(57)【特許請求の範囲】
【請求項１】
無線通信システムにおけるＳＴＡ（Ｓｔａｔｉｏｎ）装置が多重ユーザ（ＭＵ：Ｍｕｌｔｉ  ｕｓｅｒ）送信を行う方法であって、
データフィールドと複数の信号（ＳＩＧ）フィールドを含むＰＰＤＵ（ｐｈｙｓｉｃａｌ  ｐｒｏｔｏｃｏｌ  ｄａｔａ  ｕｎｉｔ）を生成するステップと、
他のＳＴＡに前記ＰＰＤＵを送信するステップと、
を含み、
前記ＰＰＤＵは同期又はチャネル推定の少なくとも一つに対して一つ以上のＬＴＦ（ｌｏｎｇ  ｔｒａｉｎｉｎｎｇ  ｆｉｅｌｄ）シンボルを更に含み、
前記ＬＴＦシンボルは、予め定義されたシーケンスと予め定義されたマトリクスの一つの列とを掛け合わせて、ＭＵ送信帯域幅にしたがって周波数領域で生成されたＬＴＦシーケンスに基づいて生成され、
前記予め定義されたシーケンスは同じ長さの、前記予め定義されたシーケンスの複数の第１部分と、前記予め定義されたシーケンスの残りの第２部分とを有し、
前記予め定義されたシーケンスの前記第２部分は、前記予め定義されたシーケンスの前記第１部分のいずれよりも短く、
前記ＬＴＦシーケンスは、前記ＬＴＦシーケンスの第２部分と連結された前記ＬＴＦシーケンスの第１部分を含み、
前記ＬＴＦシーケンスの第２部分は、前記ＬＴＦシーケンスの第１部分より短く、
前記ＬＴＦシーケンスの第１部分は、複数の連結された要素を生成するために、前記予め定義されたシーケンスの等しい長さの複数の第１部分と前記予め定義されたマトリクスの前記一つの列の全ての要素とを掛け合わせて生成され、
前記予め定義したマトリクスは、列のそれぞれの間の直交性を有するＭ行（Ｍは自然数）でＭ列のマトリクスであり、
前記ＬＴＦシーケンスの第２部分は、前記予め定義されたシーケンスの第２部分と前記予め定義されたマトリクスの前記一つの列のサブセットのみとを掛け合わせて生成され、連続する第１要素の数を構成する前記予め定義されたマトリクスの前記一つの列のサブセットは前記予め定義されたシーケンスの第２部分の要素の数に対応し、
前記予め定義したシーケンスを掛け合わされた前記予め定義されたマトリクスのそれぞれの列は、それぞれの異なるＳＴＡに適用される、多重ユーザ送信方法。
【請求項２】
前記送信されたＬＴＦシーケンスは前記ＬＴＦシーケンスのノンーゼロ（ｎｏｎ−ｚｅｒｏ）要素で構成される、請求項１に記載の多重ユーザ送信方法。
【請求項３】
前記予め定義されたマトリクスの長さは、前記ＭＵ送信のために割り当てられた時空間ストリームの数に関わらず８に固定される、請求項１に記載の多重ユーザ送信方法。
【請求項４】
前記予め定義されたマトリクスの長さは、２，４及び８の一つ以上の組合せを有する、請求項１に記載の多重ユーザ送信方法。
【請求項５】
前記予め定義されたマトリクスの一つの列がかけられたトーン単位でキャリア周波数オフセットとチャネル推定に利用される、請求項１に記載の多重ユーザ送信方法。
【請求項６】
前記予め定義されたマトリクスの一つの列がかけられたトーン単位と関係なく、特定トーン間隔を有するトーン単位でキャリア周波数オフセットとチャネル推定に利用される、請求項１に記載の多重ユーザ送信方法。
【請求項７】
前記ＬＴＦシーケンスのマッピングのための複数のトーンは、分類され、前記ＭＵ送信帯域幅内でそれぞれのグループに割り当てられる、請求項１に記載の多重ユーザ送信方法。
【請求項８】
前記ＬＴＦシーケンスのマッピングための複数のトーンは、前記一つ以上のＬＴＦシンボルの中の前記グループ内でＳＴＡの数に対応するシンボルの数により異なって割り当てられる、請求項７に記載の多重ユーザ送信方法。
【請求項９】
前記予め定義されたシーケンスは、それぞれの時空間ストリームに対して前記予め定義されたマトリクスの異なる列がかけられる、請求項１に記載の多重ユーザ送信方法。
【請求項１０】
前記予め定義されたマトリクスは、以下の方程式で定義される、請求項１に記載の多重ユーザ送信方法。
【数１】
0006753858.tif 000025
ここで、
【数２】
0006753858.tif 000026
【請求項１１】
無線通信システムにおける多重ユーザ（ＭＵ：Ｍｕｌｔｉ  ｕｓｅｒ）送信を行うＳＴＡ（Ｓｔａｔｉｏｎ）装置であって、
無線信号を送受信するためのＲＦ（Ｒａｄｉｏ  Ｆｒｅｑｕｅｎｃｙ）ユニットと、
前記ＲＦユニットを制御するプロセッサと、
を備え、
前記プロセッサは、
データフィールドと複数の信号（ＳＩＧ）フィールドを含む物理プロトコルデータユニット（ＰＰＤＵ：Ｐｈｙｓｉｃａｌ  Ｐｒｏｔｏｃｏｌ  Ｄａｔａ  Ｕｎｉｔ）を生成し、
前記ＰＰＤＵを他のＳＴＡに送信し、
前記ＰＰＤＵは、同期とチャネル推定の少なくとも一つに対して一つ以上のＬＴＦ（Ｌｏｎｇ  Ｔｒａｉｎｉｎｇ  Ｆｉｅｌｄ）シンボルをさらに含み、
前記ＬＴＦシンボルは、予め定義されたシーケンスに予め定義されたマトリクスの一つの列を掛け合わることにより、ＭＵ送信帯域幅にしたがって周波数領域の中で生成されたＬＴＦシーケンスに基づいて生成され、
前記予め定義されたシーケンスは、前記予め定義されたシーケンスの長さの等しい複数の第１部分と、残りの部分である前記予め定義されたシーケンスの第２部分を有し、
前記予め定義されたシーケンスの前記第２部分は、前記予め定義されたシーケンスの第１部分のいずれより短く、
前記ＬＴＦシーケンスは前記ＬＴＦシーケンスの第２部分と連結された前記ＬＴＦシーケンスの第１部分を含み、
前記ＬＴＦシーケンスの前記第２部分は前記ＬＴＦシーケンスの第１部分より短く、
前記ＬＴＦシーケンスの第１部分は、複数の連結された要素を生成するために、前記予め定義されたシーケンスの等しい長さの複数の第１部分と前記予め定義されたマトリクスの前記一つの列の全ての要素とを掛け合わせて生成され、
前記予め定義したマトリクスは、列のそれぞれの間の直交性を有するＭ行（Ｍは自然数）でＭ列のマトリクスであり、
前記ＬＴＦシーケンスの第２部分は、前記予め定義されたシーケンスの第２部分と前記予め定義されたマトリクスの前記一つの列のサブセットのみとを掛け合わせて生成され、連続する第１要素の数を構成する前記予め定義されたマトリクスの前記一つの列のサブセットは前記予め定義されたシーケンスの第２部分の要素の数に対応し、
前記予め定義したシーケンスを掛け合わされた前記予め定義されたマトリクスのそれぞれの列は、それぞれの異なるＳＴＡに適用される、ＳＴＡ装置。
【発明の詳細な説明】
【技術分野】
【０００１】
本発明は、無線通信システムに関し、より詳細には、上向きリンクまたは下向きリンク多重ユーザ送受信のための方法及びこれを支援する装置に関する。
【背景技術】
【０００２】
ワイファイ（Ｗｉ−Ｆｉ）は、２．４ＧＨｚ、５ＧＨｚまたは６０ＧＨｚ周波数帯域において機器がインターネットに接続可能なようにするＷＬＡＮ（Wireless Local Area Network）技術である。
【０００３】
ＷＬＡＮは、ＩＥＥＥ（institute of electrical and electronic engineers）８０２．１１標準に基づくＩＥＥＥ ８０２．１１のＷＮＧ ＳＣ（Wireless Next Generation Standing Committee）は、次世代ＷＬＡＮ（wireless local area network）を中長期的に悩むアドホック委員会（commettee）である。
【０００４】
ＩＥＥＥ ８０２．１１ｎは、ネットワークの速度と信頼性を増加させ、無線ネットワークの運営距離を拡張するのに目的をおいている。さらに具体的には、ＩＥＥＥ ８０２．１１ｎでは、最大６００Ｍｂｐｓのデータ処理速度（data rate）を提供する高処理率（ＨＴ：High Throughput）を支援し、また送信エラーを最小化しデータ速度を最適化するために、送信部と受信部の両端ともに多重アンテナを使用するＭＩＭＯ（Multiple Inputs and Multiple Outputs）技術に基盤をおいている。
【０００５】
ＷＬＡＮの補給が活性化され、またこれを利用したアプリケーションが多様化するにつれて、超高処理率（ＶＨＴ：Very High Throughput）を支援する次世代ＷＬＡＮシステムは、ＩＥＥＥ ８０２．１１ｎ ＷＬＡＮシステムの次のバージョンとして、ＩＥＥＥ ８０２．１１ａｃが新しく制定された。ＩＥＥＥ ８０２．１１ａｃは、８０ＭＨｚ帯域幅送信及び／又はより高い帯域幅送信（例えば、１６０ＭＨｚ）を介して、１Ｇｂｐｓ以上のデータ処理速度を支援し、主に５ＧＨｚ帯域で動作する。
【０００６】
最近では、ＩＥＥＥ ８０２．１１ａｃが支援するデータ処理速度よりさらに高い処理率を支援するための新しいＷＬＡＮシステムに対する必要性が台頭しつつある。
【０００７】
一名ＩＥＥＥ ８０２．１１ａｘまたは高効率（ＨＥＷ：High Efficiency）ＷＬＡＮと呼ばれる次世代ＷＬＡＮタスクグループで主に論議されるＩＥＥＥ ８０２．１１ａｘの範囲（scope）は、１）２．４ＧＨｚ及び５ＧＨｚなどの帯域で８０２．１１ ＰＨＹ（physical）階層とＭＡＣ（medium access control）階層の向上、２）スペクトル効率性（spectrum efficiency）と領域スループット（area throughput）向上、３）干渉ソースが存在する環境、密集した異種ネットワーク（heterogeneous network）環境及び高いユーザ負荷が存在する環境のような実際の室内環境及び室外環境での性能向上などを含む。
【０００８】
ＩＥＥＥ ８０２．１１ａｘにおいて主に考慮されるシナリオは、ＡＰ（access point）とＳＴＡ（station）が多い密集環境であり、ＩＥＥＥ ８０２．１１ａｘは、このような状況でスペクトル効率（spectrum efficiency）と空間送信率（area throughput）の改善について議論する。特に、室内環境だけでなく、従来のＷＬＡＮで多く考慮されなかった室外環境での実質的性能改善に関心を有する。
【０００９】
ＩＥＥＥ ８０２．１１ａｘでは、無線オフィス（wireless office）、スマートホーム（smart home）、スタジアム（Stadium）、ホットスポット（Hotspot）、ビル／アパート（building/apartment）のようなシナリオに関心が大きく、該当シナリオに基づいてＡＰとＳＴＡが多い密集環境でのシステム性能の向上についての議論が行われている。 
【００１０】
今後、ＩＥＥＥ ８０２．１１ａｘでは、１つのＢＳＳ（basic service set）での単一リンク性能向上よりは、ＯＢＳＳ（overlapping basic service set）環境でのシステム性能の向上及び室外環境性能の改善、及びセルラオフロード（cellular offloading）などに対する議論が盛んになると予想される。このようなＩＥＥＥ ８０２．１１ａｘの方向性は、次世代ＷＬＡＮがますます移動通信と類似の技術範囲を有するようになるのを意味する。最近、スモールセル（small cell）及びＤ２Ｄ（Direct-to-Direct）通信領域で移動通信とＷＬＡＮ技術が共に論議されている状況を考慮してみると、ＩＥＥＥ ８０２．１１ａｘに基づいた次世代ＷＬＡＮと移動通信の技術的及び事業的融合は、さらに盛んになると予測される。
【発明の概要】
【発明が解決しようとする課題】
【００１１】
次世代ＷＬＡＮシステムでは、上向きリンク多重ユーザ（ｍｕｌｔｉ  ｕｓｅｒ）ＭＩＭＯ（ｍｕｌｔｉｐｌｅ  ｉｎｐｕｔ  ｍｕｌｔｉｐｌｅ  ｏｕｔｐｕｔ）送信の支援を考慮している。ただし、この場合、ＬＴＦでチャネル推定と同時に既存のパイロット（ｐｉｌｏｔ）方式をそのまま適用して、ユーザ毎にそれぞれ異なるキャリア周波数オフセット（ＣＦＯ：Ｃａｒｒｉｅｒ  Ｆｒｅｑｕｅｎｃｙ  Ｏｆｆｓｅｔ）を測定するのに限界がある。
【００１２】
これにより、本発明の目的は、多重ユーザ送信のためのＨＥ−ＬＴＦ（Ｈｉｇｈ  ｅｆｆｉｃｉｅｎｃｙ−Ｌｏｎｇ  Ｔｒａｉｎｉｎｇ  Ｆｉｅｌｄ）を構成する方法を提案する。
【００１３】
また、本発明の目的は、多重ユーザ送信においてチャネル推定（ｃｈａｎｎｅｌ  ｅｓｔｉｍａｔｉｏｎ）だけでなく、ＣＦＯまで測定する方法を提案する。
【００１４】
本発明でなそうとする技術的課題は、以上で言及した技術的課題に制限されず、言及していないさらに他の技術的課題は、下記の記載から本発明の属する技術分野における通常の知識を有する者に明確に理解され得るであろう。
【課題を解決するための手段】
【００１５】
本発明の一態様は、無線通信システムにおけるＳＴＡ（Ｓｔａｔｉｏｎ）装置が多重ユーザ（ＭＵ：Ｍｕｌｔｉ  ｕｓｅｒ）送信を行う方法において、ＭＵ送信帯域幅による周波数領域（ｆｒｅｑｕｅｎｃｙ  ｄｏｍａｉｎ）でＨＥ−ＬＴＦ（Ｈｉｇｈ  Ｅｆｆｉｃｉｅｎｃｙ−Ｌｏｎｇ  Ｔｒａｉｎｉｎｇ  Ｆｉｅｌｄ）シーケンスを生成するステップ及び前記ＨＥ−ＬＴＦシーケンスがマッピングされる１つ以上のシンボルを含む物理プロトコルデータユニット（ＰＰＤＵ：Ｐｈｙｓｉｃａｌ  Ｐｒｏｔｏｃｏｌ  Ｄａｔａ  Ｕｎｉｔ）を送信するステップを含み、前記ＨＥ−ＬＴＦシーケンスは、予め定義されたシーケンスにＰ行列の１つの行（ｒｏｗ）の長さ単位に前記Ｐ行列の１つの行がかけられて生成されることができる。
【００１６】
本発明の他の一態様は、無線通信システムにおける多重ユーザ（ＭＵ：Ｍｕｌｔｉ  ｕｓｅｒ）送信を行うＳＴＡ（Ｓｔａｔｉｏｎ）装置において、無線信号を送受信するためのＲＦ（Ｒａｄｉｏ  Ｆｒｅｑｕｅｎｃｙ）ユニット及び前記ＲＦユニットを制御するプロセッサを備え、前記プロセッサは、ＭＵ送信帯域幅による周波数領域（ｆｒｅｑｕｅｎｃｙ  ｄｏｍａｉｎ）でＨＥ−ＬＴＦ（Ｈｉｇｈ  Ｅｆｆｉｃｉｅｎｃｙ−Ｌｏｎｇ  Ｔｒａｉｎｉｎｇ  Ｆｉｅｌｄ）シーケンスを生成し、前記ＨＥ−ＬＴＦシーケンスがマッピングされる１つ以上のシンボルを含む物理プロトコルデータユニット（ＰＰＤＵ：Ｐｈｙｓｉｃａｌ  Ｐｒｏｔｏｃｏｌ  Ｄａｔａ  Ｕｎｉｔ）を送信するように構成され、前記ＨＥ−ＬＴＦシーケンスは、予め定義されたシーケンスにＰ行列の１つの行（ｒｏｗ）の長さ単位に前記Ｐ行列の１つの行がかけられて生成されることができる。
【００１７】
本発明のさらに他の一態様は、無線通信システムにおけるＳＴＡ（Ｓｔａｔｉｏｎ）装置が多重ユーザ（ＭＵ：Ｍｕｌｔｉ  ｕｓｅｒ）送信を受信する方法において、受信した信号からＨＥ−ＬＴＦ（Ｈｉｇｈ  Ｅｆｆｉｃｉｅｎｃｙ−Ｌｏｎｇ  Ｔｒａｉｎｉｎｇ  Ｆｉｅｌｄ）シーケンス及び前記ＨＥ−ＬＴＦシーケンスに適用されたＰ行列の１つの行（ｒｏｗ）をアンスクランブリング（ｕｎｓｃｒａｍｂｌｉｎｇ）するステップと、前記信号が送信されたシンボル間の位相差に基づいてキャリア周波数オフセット（ＣＦＯ：Ｃａｒｒｉｅｒ  Ｆｒｅｑｕｅｎｃｙ  Ｏｆｆｓｅｔ）を推定するステップと、前記推定されたＣＦＯ値を用いて前記信号が送信されたシンボル別にチャネルを推定するステップとを含み、前記ＣＦＯは、前記Ｐ行列の１つの行（ｒｏｗ）の長さのサブキャリア別に同じチャネルを仮定して推定されることができる。
【００１８】
本発明のさらに他の一態様は、無線通信システムにおける多重ユーザ（ＭＵ：Ｍｕｌｔｉ  ｕｓｅｒ）送信を受信する装置において、無線信号を送受信するためのＲＦ（Ｒａｄｉｏ  Ｆｒｅｑｕｅｎｃｙ）ユニットを備え、前記ＲＦユニットを制御するプロセッサを備え、前記プロセッサは、受信した信号からＨＥ−ＬＴＦ（Ｈｉｇｈ  Ｅｆｆｉｃｉｅｎｃｙ−Ｌｏｎｇ  Ｔｒａｉｎｉｎｇ  Ｆｉｅｌｄ）シーケンス及び前記ＨＥ−ＬＴＦシーケンスに適用されたＰ行列の１つの行（ｒｏｗ）をアンスクランブリング（ｕｎｓｃｒａｍｂｌｉｎｇ）し、前記信号が送信されたシンボル間の位相差に基づいてキャリア周波数オフセット（ＣＦＯ：Ｃａｒｒｉｅｒ  Ｆｒｅｑｕｅｎｃｙ  Ｏｆｆｓｅｔ）を推定し、前記推定されたＣＦＯ値を用いて前記信号が送信されたシンボル別にチャネルを推定するように構成され、前記ＣＦＯは、前記Ｐ行列の１つの行（ｒｏｗ）の長さのサブキャリア別に同じチャネルを仮定して推定されることができる。
【００１９】
好ましくは、前記予め定義されたシーケンスを前記Ｐ行列の１つの行の長さに分けた残りのシーケンスが存在する場合、前記残りのシーケンスに前記Ｐ行列の１つの行の行列要素が循環シフト（ｃｙｃｌｉｃ  ｓｈｉｆｔ）されてかけられることができる。
【００２０】
好ましくは、前記１つ以上のＨＥ−ＬＴＦシンボルに前記Ｐ行列の１つの行を適用するステップをさらに含むことができる。
【００２１】
好ましくは、前記Ｐ行列の長さは、前記ＭＵ送信のために割り当てられた時空間ストリーム（ｔｉｍｅ−ｓｐａｔｉａｌ  ｓｔｒｅａｍ）を個数と関係なく８に固定することができる。
【００２２】
好ましくは、前記Ｐ行列の長さは、２、４、及び８のうち、１つ以上に組み合わせられることができる。
【００２３】
好ましくは、前記Ｐ行列の１つの行がかけられたトーン単位別にキャリア周波数オフセット（Ｃａｒｒｉｅｒ  Ｆｒｅｑｕｅｎｃｙ  Ｏｆｆｓｅｔ）及びチャネル推定に利用されることができる。
【００２４】
好ましくは、前記Ｐ行列の１つの行がかけられたトーン単位と関係なく、所定のトーン間隔で構成されるトーン単位別にキャリア周波数オフセット（Ｃａｒｒｉｅｒ  Ｆｒｅｑｕｅｎｃｙ  Ｏｆｆｓｅｔ）及びチャネル推定に利用されることができる。
【００２５】
好ましくは、前記予め定義されたシーケンスを前記Ｐ行列の１つの行の長さに分けた残りのシーケンスが存在する場合、前記残りのシーケンスに前記Ｐ行列の１つの行をかけないことがある。
【００２６】
好ましくは、前記予め定義されたシーケンスを前記Ｐ行列の１つの行の長さに分けた残りのシーケンスが存在する場合、前記残りのシーケンスの長さに合うＰ行列の１つの行がかけられることができる。
【００２７】
好ましくは、前記ＭＵ送信帯域幅内でグループ別に前記ＨＥ−ＬＴＦシーケンスマッピングのためのトーンが区分されて割り当てられることができる。
【００２８】
好ましくは、前記ＨＥ−ＬＴＦシンボルのうち、前記グループ内のＳＴＡ数に該当する個数のシンボル以後、前記ＨＥ−ＬＴＦシーケンスマッピングのためのトーンが相違して割り当てられることができる。
【発明の効果】
【００２９】
本発明の実施形態によれば、無線通信システムにおいて上向きリンク／下向きリンク多重ユーザ送信を円滑に行うことができる。
【００３０】
また、本発明の実施形態に係る無線通信システムにおいて、ＨＥ−ＬＴＦ基盤にてチャネル推定（ｃｈａｎｎｅｌ  ｅｓｔｉｍａｔｉｏｎ）だけでなく、ＣＦＯまで測定することができる。
【００３１】
本発明において得ることができる効果は、以上で言及した効果に制限されず、言及していないさらに他の効果は、下記の記載から本発明の属する技術分野における通常の知識を有する者に明確に理解され得るであろう。
【図面の簡単な説明】
【００３２】
本発明に関する理解のために詳細な説明の一部として含まれる添付図面は、本発明に対する実施形態を提供し、詳細な説明とともに本発明の技術的特徴を説明する。
【００３３】
【図１】本発明が適用され得るＩＥＥＥ  ８０２．１１システムの一例を示す図である。
【図２】本発明が適用され得るＩＥＥＥ  ８０２．１１システムの階層アーキテクチャ（ｌａｙｅｒ  ａｒｃｈｉｔｅｃｔｕｒｅ）の構造を例示する図である。
【図３】本発明が適用され得る無線通信システムのｎｏｎ−ＨＴフォーマットＰＰＤＵ及びＨＴフォーマットＰＰＤＵを例示する。
【図４】本発明が適用され得る無線通信システムのＶＨＴフォーマットＰＰＤＵフォーマットを例示する。
【図５】本発明が適用され得る無線通信システムのＰＰＤＵのフォーマットを区分するための星状（ｃｏｎｓｔｅｌｌａｔｉｏｎ）を例示する図である。
【図６】本発明が適用され得るＩＥＥＥ  ８０２．１１システムのＭＡＣフレームフォーマットを例示する。
【図７】本発明が適用され得る無線通信システムにおいてＨＴ  ＣｏｎｔｒｏｌフィールドのＨＴフォーマットを例示する。
【図８】本発明が適用され得る無線通信システムにおいてＨＴ  ＣｏｎｔｒｏｌフィールドのＶＨＴフォーマットを例示する。
【図９】本発明が適用され得る無線通信システムにおいて一般的なリンクセットアップ（ｌｉｎｋ  ｓｅｔｕｐ）手順を説明するための図である。
【図１０】本発明が適用され得る無線通信システムにおいて任意バックオフ周期とフレーム送信手順を説明するための図である。
【図１１】本発明が適用され得る無線通信システムにおいてＶＨＴ−ＬＴＦを例示する図である。
【図１２】本発明の一実施形態に係るＨＥ（Ｈｉｇｈ  Ｅｆｆｉｃｉｅｎｃｙ）フォーマットＰＰＤＵを例示する図である。
【図１３】本発明の一実施形態に係るＨＥ（Ｈｉｇｈ  Ｅｆｆｉｃｉｅｎｃｙ）フォーマットＰＰＤＵを例示する図である。
【図１４】本発明の一実施形態に係るＨＥ（Ｈｉｇｈ  Ｅｆｆｉｃｉｅｎｃｙ）フォーマットＰＰＤＵを例示する図である。
【図１５】本発明の一実施形態に係るＨＥ（Ｈｉｇｈ  Ｅｆｆｉｃｉｅｎｃｙ）フォーマットＰＰＤＵを例示する図である。
【図１６】本発明の一実施形態に係るＨＥ−ＬＴＦシーケンスを生成する方法を例示する。
【図１７】本発明の一実施形態に係るＨＥ−ＬＴＦフィールドを構成する方法を例示する。
【図１８】本発明の一実施形態に係るＣＦＯ推定方法を例示する図である。
【図１９】本発明の一実施形態に係るＨＥ−ＬＴＦシーケンス生成方法を例示する図である。
【図２０】本発明の一実施形態に係るＨＥ−ＬＴＦシーケンス生成方法を例示する図である。
【図２１】本発明の一実施形態に係るＨＥ−ＬＴＦシーケンス生成方法を例示する図である。
【図２２】本発明の一実施形態に係るＣＦＯ及びチャネル推定方法を例示する図である。
【図２３】本発明の一実施形態に係るＨＥ−ＬＴＦシーケンスを生成する方法を例示する図である。
【図２４】本発明の一実施形態に係る上向きリンク多重ユーザ送信のための方法を例示する図である。
【図２５】本発明の一実施形態に係る無線装置を例示するブロック図である。
【図２６】本発明の一実施形態に係る図２５のプロセッサをより具体的に例示する図である。
【発明を実施するための形態】
【００３４】
以下、本発明に係る好ましい実施形態を添付の図面を参照して詳細に説明する。添付の図面と共に以下に開示される詳細な説明は、本発明の例示的な実施形態を説明しようとするものであり、本発明が実施できる唯一の実施形態を示そうとするものではない。以下の詳細な説明は本発明の完全な理解を提供するために具体的な細部事項を含む。しかしながら、当業者は本発明がこのような具体的な細部事項無しでも実施できることが分かる。
【００３５】
幾つかの場合、本発明の概念が曖昧になることを避けるために、公知の構造及び装置は省略されるか、または各構造及び装置の核心機能を中心としたブロック図形式に図示できる。
【００３６】
以下の説明で使用される特定の用語は本発明の理解を助けるために提供されたものであり、このような特定の用語の使用は本発明の技術的思想を逸脱しない範囲で異なる形態に変更できる。
【００３７】
以下の技術は、ＣＤＭＡ（code division multiple access）、ＦＤＭＡ（frequency division multiple access）、ＴＤＭＡ（time division multiple access）、ＯＦＤＭＡ（orthogonal frequency division multiple access）、ＳＣ−ＦＤＭＡ（single carrier frequency division multiple access）、ＮＯＭＡ（non-orthogonal multiple access）などのような様々な無線接続システムに利用されることができる。ＣＤＭＡは、ＵＴＲＡ（universal terrestrial radio access）またはＣＤＭＡ２０００のような無線技術（radio technology）により実現化されることができる。ＴＤＭＡは、ＧＳＭ（global system for mobile communications）／ＧＰＲＳ（general packet radio service）／ＥＤＧＥ（enhanced data rates for GSM evolution）のような無線技術により実現化されることができる。ＯＦＤＭＡは、ＩＥＥＥ（institute of electrical and electronics engineers）８０２．１１（Ｗｉ−Ｆｉ）、ＩＥＥＥ ８０２．２０（ＷｉＭＡＸ）、ＩＥＥＥ ８０２−２０、Ｅ−ＵＴＲＡ（evolved UTRA）などのような無線技術により実現化されることができる。ＵＴＲＡは、ＵＭＴＳ（universal mobile telecommunications system）の一部である。３ＧＰＰ（3rd generation partnership project）ＬＴＥ（long term evolution）は、Ｅ−ＵＴＲＡを使用するＥ−ＵＭＴＳ（evolved UMTS）の一部として、ダウンリンクでＯＦＤＭＡを採用しアップリンクでＳＣ−ＦＤＭＡを採用する。ＬＴＥ−Ａ（advanced）は、３ＧＰＰ ＬＴＥの進化である。
【００３８】
本発明の実施の形態は、無線接続システムであるＩＥＥＥ ８０２、３ＧＰＰ及び３ＧＰＰ２のうち、少なくとも一つに開示された標準文書により裏付けられることができる。すなわち、本発明の実施の形態のうち、本発明の技術的思想を明らかに表すために説明しないステップまたは部分は、前記文書により裏付けられることができる。また、本文書において開示しているすべての用語は、前記標準文書により説明されることができる。
【００３９】
説明を明確にするために、ＩＥＥＥ ８０２．１１システムを中心に述べるが、本発明の技術的特徴がこれに制限されるものではない。
【００４０】
システム一般
図１は、本発明が適用されることができるＩＥＥＥ ８０２．１１システムの一例を示す図である。
【００４１】
ＩＥＥＥ ８０２．１１構造は、複数の構成要素から構成されることができ、これらの相互作用により上位階層に対してトランスペアレントな（transparent）ステーション（ＳＴＡ：Station）移動性を支援する無線通信システムが提供されることができる。基本サービスセット（ＢＳＳ：Basic Service Set）は、ＩＥＥＥ ８０２．１１システムでの基本的な構成ブロックに該当できる。
【００４２】
図１では、３個のＢＳＳ（ＢＳＳ１ないしＢＳＳ３）が存在し、それぞれのＢＳＳのメンバーとして２個のＳＴＡが含まれること（ＳＴＡ１及びＳＴＡ２は、ＢＳＳ１に含まれ、ＳＴＡ３及びＳＴＡ４は、ＢＳＳ２に含まれ、ＳＴＡ５及びＳＴＡ６は、ＢＳＳ３に含まれる）を例示的に示す。
【００４３】
図１においてＢＳＳを示す楕円は、該当ＢＳＳに含まれたＳＴＡが通信を維持するカバレッジ領域を示すものと理解されることができる。この領域を基本サービス領域（ＢＳＡ：Basic Service Area）と称することができる。ＳＴＡがＢＳＡの外に移動するようになると、該当ＢＳＡ内の他のＳＴＡと直接的に通信できなくなる。
【００４４】
ＩＥＥＥ ８０２．１１システムにおいて最も基本的なタイプのＢＳＳは、独立的なＢＳＳ（ＩＢＳＳ：Independent BSS）である。例えば、ＩＢＳＳは、２個のＳＴＡだけから構成された最小の形態を有することができる。また、最も単純な形態で他の構成要素が省略されている図１のＢＳＳ３がＩＢＳＳの代表的な例示に該当できる。このような構成は、ＳＴＡが直接通信できる場合に可能である。また、このような形態のＬＡＮは、予め計画されて構成されることではなく、ＬＡＮが必要な場合に構成されることができ、これをアドホック（ａｄ−ｈｏｃ）ネットワークと称することもできる。
【００４５】
ＳＴＡのオンまたはオフ、ＳＴＡがＢＳＳ領域に入って行く等により、ＢＳＳでのＳＴＡのメンバーシップが動的に変更されることができる。ＢＳＳのメンバーになるためには、ＳＴＡは、同期化過程を利用してＢＳＳにジョインできる。ＢＳＳ基盤構造のすべてのサービスにアクセスするためには、ＳＴＡは、ＢＳＳに連係（associated）されなければならない。このような連係（association）は、動的に設定されることができ、分配システムサービス（ＤＳＳ：Distribution System Service）の利用を含むことができる。
【００４６】
８０２．１１システムにおいて直接的なＳＴＡ−対−ＳＴＡの距離は、物理階層（ＰＨＹ：physical）性能によって制限されることができる。ある場合には、このような距離の限界が充分でありうるが、場合によっては、より遠くの距離のＳＴＡ間の通信が必要でありうるときもある。拡張されたカバレッジを支援するために、分配システム（ＤＳ：Distribution System）が構成されることができる。
【００４７】
ＤＳは、ＢＳＳが相互接続する構造を意味する。具体的には、図１のように、ＢＳＳが独立に存在する代わりに、複数のＢＳＳから構成されたネットワークの拡張された形態の構成要素としてＢＳＳが存在することもできる。
【００４８】
ＤＳは、論理的な概念であり、分配システム媒体（ＤＳＭ：Distribution System Medium）の特性によって特定されることができる。これと関連して、ＩＥＥＥ ８０２．１１標準では、無線媒体（ＷＭ：Wireless Medium）と分配システム媒体（ＤＳＭ：Distribution System Medium）を論理的に区分している。各々の論理的媒体は、相異なる目的のために使用され、相異なる構成要素によって使用される。ＩＥＥＥ ８０２．１１標準の定義では、このような媒体を同じことに制限することもせず相異なることに制限することもしない。このように複数の媒体が論理的に相異なるという点で、ＩＥＥＥ ８０２．１１システムの構造（ＤＳ構造または他のネットワーク構造）の柔軟性が説明されることができる。すなわち、ＩＥＥＥ ８０２．１１システム構造は、様々に実現化されることができ、各々の実現例の物理的な特性によって独立的に該当システム構造が特定されることができる。
【００４９】
ＤＳは、複数のＢＳＳの途切れない（seamless）統合を提供し、目的地へのアドレスを扱うのに必要な論理的サービスを提供することによって、移動装置を支援できる。
【００５０】
ＡＰは、関連したＳＴＡに対してＷＭを介してＤＳへのアクセスを可能にし、ＳＴＡ機能性を有する個体を意味する。ＡＰを介してＢＳＳ及びＤＳ間のデータ移動が行われることができる。例えば、図１に示すＳＴＡ２及びＳＴＡ３は、ＳＴＡの機能性を有し、かつ関連したＳＴＡ（ＳＴＡ１及びＳＴＡ４）がＤＳにアクセスするようにする機能を提供する。また、すべてのＡＰは、基本的にＳＴＡに該当するので、すべてのＡＰは、アドレス可能な個体である。ＷＭ上での通信のために、ＡＰによって使用されるアドレスとＤＳＭ上での通信のために、ＡＰによって使用されるアドレスは、必ず同一である必要はない。
【００５１】
ＡＰに関連したＳＴＡのうちの一つからそのＡＰのＳＴＡアドレスに送信されるデータは、常に非制御ポート（uncontrolled port）で受信され、ＩＥＥＥ ８０２．１×ポートアクセス個体によって処理されることができる。また、制御ポート（controlled port）が認証されると、送信データ（またはフレーム）は、ＤＳに伝達されることができる。
【００５２】
任意の（arbitrary）サイズ及び複雑度を有する無線ネットワークがＤＳ及びＢＳＳから構成されることができる。ＩＥＥＥ ８０２．１１システムでは、このような方式のネットワークを拡張されたサービスセット（ＥＳＳ：Extended Service Set）ネットワークと称する。ＥＳＳは、一つのＤＳに接続したＢＳＳの集合に該当できる。しかしながら、ＥＳＳは、ＤＳを含まない。ＥＳＳネットワークは、論理リンク制御（ＬＬＣ：Logical Link Control）階層でＩＢＳＳネットワークに見える点が特徴である。ＥＳＳに含まれるＳＴＡは、互いに通信でき、移動ＳＴＡは、ＬＬＣにトランスペアレント（transparent）に一つのＢＳＳから他のＢＳＳに（同じＥＳＳ内で）移動できる。
【００５３】
ＩＥＥＥ ８０２．１１システムでは、図１でのＢＳＳの相対的な物理的位置に対してなんにも仮定しなく、次のような形態が全部可能である。
【００５４】
具体的には、ＢＳＳは、部分的に重なることができ、これは、連続的なカバレッジを提供するために一般に利用される形態である。また、ＢＳＳは、物理的に接続されていなくても良く、論理的には、ＢＳＳ間の距離に制限はない。また、ＢＳＳは、物理的に同じ位置に位置でき、これは、リダンダンシー（redundancy）を提供するために利用されることができる。また、一つ（または一つ以上の）ＩＢＳＳまたはＥＳＳネットワークが一つまたはそれ以上のＥＳＳネットワークとして同じ空間に物理的に存在できる。これは、ＥＳＳネットワークが存在する位置にａｄ-ｈｏｃネットワークが動作する場合、相異なる機関（organizations）によって物理的に重なるＩＥＥＥ ８０２．１１ネットワークが構成される場合、または同じ位置で２つ以上の相違したアクセス及びセキュリティー政策が必要な場合などでのＥＳＳネットワーク形態に該当できる。
【００５５】
ＷＬＡＮシステムにおけるＳＴＡは、ＩＥＥＥ ８０２．１１の媒体接続制御（ＭＡＣ：Medium Access Control）／ＰＨＹ規定に従って動作する装置である。ＳＴＡの機能がＡＰと個別的に区分されない限り、ＳＴＡは、ＡＰ ＳＴＡと非−ＡＰ ＳＴＡ（ｎｏｎ−ＡＰ ＳＴＡ）を含むことができる。ただし、ＳＴＡとＡＰとの間に通信が行われるとするとき、ＳＴＡは、ｎｏｎ−ＡＰ ＳＴＡと理解されることができる。図１の例示において、ＳＴＡ１、ＳＴＡ４、ＳＴＡ５及びＳＴＡ６は、ｎｏｎ−ＡＰ ＳＴＡに該当し、ＳＴＡ２及びＳＴＡ３は、ＡＰ ＳＴＡに該当する。
【００５６】
Ｎｏｎ−ＡＰ ＳＴＡは、ラップトップパソコン、移動電話機のように、一般にユーザが直接扱う装置に該当する。以下の説明において、ｎｏｎ−ＡＰ ＳＴＡは、無線装置（wireless device）、端末（terminal）、ユーザ装置（ＵＥ：User Equipment）、移動局（ＭＳ：Mobile Station）、移動端末（Mobile Terminal）、無線端末（wireless Terminal）、無線送受信ユニット（ＷＴＲＵ：wireless Transmit/Receive Unit）、ネットワークインタフェース装置（network interface device）、ＭＴＣ（Machine-Type Communication）装置、Ｍ２Ｍ（Machine-to-Machine）装置などと呼ぶことができる。
【００５７】
また、ＡＰは、他の無線通信分野での基地局（ＢＳ：Base Station）、ノード−Ｂ（Node-B）、発展したノード−Ｂ（ｅＮＢ：evolved Node-B）、基底送受信システム（ＢＴＳ：Base Transceiver System）、フェムト基地局（Femto BS）などに対応する概念である。
【００５８】
以下、本明細書においてダウンリンク（ＤＬ：downlink）は、ＡＰからｎｏｎ−ＡＰ ＳＴＡへの通信を意味し、アップリンク（ＵＬ：uplink）は、ｎｏｎ−ＡＰ ＳＴＡからＡＰへの通信を意味する。ダウンリンクにおける送信機は、ＡＰの一部で、受信機は、ｎｏｎ−ＡＰ ＳＴＡの一部でありうる。アップリンクにおける送信機は、ｎｏｎ−ＡＰ ＳＴＡの一部で、受信機は、ＡＰの一部でありうる。
【００５９】
図２は、本発明が適用され得るＩＥＥＥ  ８０２．１１システムの階層アーキテクチャ（ｌａｙｅｒ  ａｒｃｈｉｔｅｃｔｕｒｅ）の構造を例示する図である。
【００６０】
図２に示すように、ＩＥＥＥ  ８０２．１１システムの階層アーキテクチャは、ＭＡＣサブ階層（ＭＡＣ（Ｍｅｄｉｕｍ  Ａｃｃｅｓｓ  Ｃｏｎｔｒｏｌ）ｓｕｂｌａｙｅｒ／ｌａｙｅｒ）とＰＨＹサブ階層／階層（Ｐｈｙｓｉｃａｌ  ｓｕｂｌａｙｅｒ／ｌａｙｅｒ）を含むことができる。
【００６１】
ＰＨＹは、ＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）個体（ｅｎｔｉｔｙ）とＰＭＤ（Ｐｈｙｓｉｃａｌ  Ｍｅｄｉｕｍ  Ｄｅｐｅｎｄｅｎｔ）個体とに区分されることもできる。この場合、ＰＬＣＰ個体は、ＭＡＣとデータフレームを連結する役割を果たし、ＰＭＤ個体は、２個またはそれ以上のＳＴＡとデータを無線で送受信する役割を果たす。
【００６２】
ＭＡＣとＰＨＹとは共に管理個体（Ｍａｎａｇｅｍｅｎｔ  Ｅｎｔｉｔｙ）を含むことができ、各々ＭＡＣサブ階層管理個体（ＭＬＭＥ：ＭＡＣ  Ｓｕｂｌａｙｅｒ  Ｍａｎａｇｅｍｅｎｔ  Ｅｎｔｉｔｙ）とＰＨＹサブ階層管理個体（ＰＬＭＥ：Ｐｈｙｓｉｃａｌ  Ｓｕｂｌａｙｅｒ  Ｍａｎａｇｅｍｅｎｔ  Ｅｎｔｉｔｙ）と呼ぶことができる。これらの管理個体は、階層管理関数の動作を介して階層管理サービスインターフェースを提供する。ＭＬＭＥは、ＰＬＭＥと連結されてＭＡＣの管理動作（ｍａｎａｇｅｍｅｎｔ  ｏｐｅｒａｔｉｏｎ）を行うことができ、同様に、ＰＬＭＥもＭＬＭＥと連結されてＰＨＹの管理動作（ｍａｎａｇｅｍｅｎｔ  ｏｐｅｒａｔｉｏｎ）を行うことができる。
【００６３】
正確なＭＡＣ動作を提供するために、ＳＭＥ（Ｓｔａｔｉｏｎ  Ｍａｎａｇｅｍｅｎｔ  Ｅｎｔｉｔｙ）が各ＳＴＡ内に存在し得る。ＳＭＥは、各階層と独立的な管理個体であって、ＭＬＭＥとＰＬＭＥから階層基盤状態情報を収集するか、各階層の特定パラメータの値を設定する。ＳＭＥは、一般システム管理個体に代えてこのような機能を果たすことができ、標準管理プロトコルを実現できる。
【００６４】
ＭＬＭＥ、ＰＬＭＥ、及びＳＭＥは、プリミティブ（ｐｒｉｍｉｔｉｖｅ）基盤の様々な方法で相互作用（ｉｎｔｅｒａｃｔ）することができる。具体的には、ＸＸ−ＧＥＴ．ｒｅｑｕｅｓｔプリミティブは、管理情報ベース属性（ＭＩＢ  ａｔｔｒｉｂｕｔｅ：Ｍａｎａｇｅｍｅｎｔ  Ｉｎｆｏｒｍａｔｉｏｎ  Ｂａｓｅ  ａｔｔｒｉｂｕｔｅ）の値を要請するために使用され、ＸＸ−ＧＥＴ．ｃｏｎｆｉｒｍプリミティブは、状態が「ＳＵＣＣＥＳＳ」であれば、当該ＭＩＢ属性値をリターン（ｒｅｔｕｒｎ）し、その他の場合には、状態フィールドにエラー表示をしてリターンする。ＸＸ−ＳＥＴ．ｒｅｑｕｅｓｔプリミティブは、指定されたＭＩＢ属性を与えられた値に設定するように要請するために使用される。ＭＩＢ属性が特定動作を意味しているならば、この要請は、その特定動作の実行を要請する。そして、ＸＸ−ＳＥＴ．ｃｏｎｆｉｒｍプリミティブは、状態が「ＳＵＣＣＥＳＳ」であれば、これは、指定されたＭＩＢ属性が要請された値に設定されたことを意味する。その他の場合には、状態フィールドは、エラー状況を表す。このＭＩＢ属性が特定動作を意味するならば、このプリミティブは、当該動作が行われたことを確認することができる。
【００６５】
ＰＨＹは、ＭＡＣにＴＸＶＥＣＴＯＲ、ＲＸＶＥＣＴＯＲ、及びＰＨＹＣＯＮＦＩＧ＿ＶＥＣＴＯＲを介してインターフェース（ｉｎｔｅｒｆａｃｅ）を提供する。ＴＸＶＥＣＴＯＲは、ＰＨＹにＰＰＤＵ別の送信パラメータを支援する。ＲＸＶＥＣＴＯＲを用いて、ＰＨＹはＭＡＣに受信したＰＰＤＵパラメータを知らせる。ＴＸＶＥＣＴＯＲは、ＭＡＣでＰＨＹにＰＨＹ−ＴＸＳＴＡＲＴ．ｒｅｑｕｅｓｔプリミティブを介して伝達され、ＲＸＶＥＣＴＯＲは、ＰＨＹでＭＡＣにＰＨＹ−ＲＸＳＴＡＲＴ．ｉｎｄｉｃａｔｉｏｎプリミティブを介して伝達される。
【００６６】
ＰＨＹＣＯＮＦＩＧ＿ＶＥＣＴＯＲを用いて、ＭＡＣはフレーム送信または受信と関係なくＰＨＹの動作を設定する。
【００６７】
各サブ階層（または、階層）での動作を簡略に説明すれば、次のとおりである。
【００６８】
ＭＡＣは、上位階層（例えば、ＬＬＣ）から伝達されたＭＡＣサービスデータユニット（ＭＳＤＵ：ＭＡＣ  Ｓｅｒｖｉｃｅ  Ｄａｔａ  Ｕｎｉｔ）またはＭＳＤＵの断片（ｆｒａｇｍｅｎｔ）にＭＡＣヘッダ（ｈｅａｄｅｒ）とフレームチェックシーケンス（ＦＣＳ：Ｆｒａｍｅ  Ｃｈｅｃｋ  Ｓｅｑｕｅｎｃｅ）とを付着して、１つ以上のＭＡＣプロトコルデータユニット（ＭＰＤＵ：ＭＡＣ  Ｐｒｏｔｏｃｏｌ  Ｄａｔａ  Ｕｎｉｔ）を生成する。生成されたＭＰＤＵは、ＰＨＹに伝達される。
【００６９】
Ａ−ＭＳＤＵ（ａｇｇｒｅｇａｔｅｄ  ＭＳＤＵ）技法（ｓｃｈｅｍｅ）が使用される場合、複数個のＭＳＤＵは、単一のＡ−ＭＳＤＵ（ａｇｇｒｅｇａｔｅｄ  ＭＳＤＵ）に併合されることができる。ＭＳＤＵ併合動作は、ＭＡＣ上位階層で行われることができる。Ａ−ＭＳＤＵは、単一のＭＰＤＵ（断片化（ｆｒａｇｍｅｎｔ）されない場合）でＰＨＹに伝達される。
【００７０】
ＰＨＹは、ＭＡＣから伝達された物理サービスデータユニット（ＰＳＤＵ：Ｐｈｙｓｉｃａｌ  Ｓｅｒｖｉｃｅ  Ｄａｔａ  Ｕｎｉｔ）に物理階層送受信機により必要な情報を含む付加フィールドを加えて物理プロトコルデータユニット（ＰＰＤＵ：Ｐｈｙｓｉｃａｌ  Ｐｒｏｔｏｃｏｌ  Ｄａｔａ  Ｕｎｉｔ）を生成する。ＰＰＤＵは、無線媒体を介して送信される。
【００７１】
ＰＳＤＵは、ＰＨＹがＭＡＣから受信したものであり、ＭＰＤＵは、ＭＡＣがＰＨＹに送信したものであるので、ＰＳＤＵは、実質的にＭＰＤＵと同一である。
【００７２】
Ａ−ＭＰＤＵ（ａｇｇｒｅｇａｔｅｄ  ＭＰＤＵ）技法（ｓｃｈｅｍｅ）が使用される場合、複数のＭＰＤＵ（このとき、各ＭＰＤＵは、Ａ−ＭＳＤＵを運ぶことができる。）は、単一のＡ−ＭＰＤＵに併合されることができる。ＭＰＤＵ併合動作は、ＭＡＣ下位階層で行われることができる。Ａ−ＭＰＤＵは、様々なタイプのＭＰＤＵ（例えば、ＱｏＳデータ、ＡＣＫ（Ａｃｋｎｏｗｌｅｄｇｅ）、ブロックＡＣＫ（ＢｌｏｃｋＡｃｋ）等）が併合され得る。ＰＨＹは、ＭＡＣで単一のＰＳＤＵとしてＡ−ＭＰＤＵを受信する。すなわち、ＰＳＤＵは、複数のＭＰＤＵで構成される。したがって、Ａ−ＭＰＤＵは、単一のＰＰＤＵ内で無線媒体を介して送信される。
【００７３】
ＰＰＤＵ（Physical Protocol Data Unit）フォーマット
ＰＰＤＵ（Physical Protocol Data Unit）は、物理階層から発生されるデータブロックを意味する。以下、本発明が適用されうるＩＥＥＥ ８０２．１１ ＷＬＡＮシステムに基づいてＰＰＤＵフォーマットを説明する。
【００７４】
図３は、本発明が適用されうる無線通信システムのｎｏｎ−ＨＴフォーマットＰＰＤＵ及びＨＴフォーマットＰＰＤＵを例示する。
【００７５】
図３の（ａ）は、ＩＥＥＥ ８０２．１１ａ／ｇシステムを支援するためのｎｏｎ−ＨＴフォーマットＰＰＤＵを例示する。ｎｏｎ−ＨＴ ＰＰＤＵは、レガシー（legacy）ＰＰＤＵとも呼ばれることができる。
【００７６】
図３の（ａ）を参照すると、ｎｏｎ−ＨＴフォーマットＰＰＤＵは、Ｌ−ＳＴＦ（Legacy（またはＮｏｎ−ＨＴ）Short Training field）、Ｌ−ＬＴＦ（Legacy（またはＮｏｎ−ＨＴ）Long Training field）及びＬ−ＳＩＧ（Legacy（またはＮｏｎ−ＨＴ）SIGNAL）フィールドから構成されるレガシーフォーマットプリアンブルとデータフィールドとを含んで構成される。
【００７７】
Ｌ−ＳＴＦは、短いトレーニングＯＦＤＭシンボル（ｓｈｏｒｔ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＳＴＦは、フレームタイミング取得（ｆｒａｍｅ  ｔｉｍｉｎｇ  ａｃｑｕｉｓｉｔｉｏｎ）、自動利得制御（ＡＧＣ：Ａｕｔｏｍａｔｉｃ  Ｇａｉｎ  Ｃｏｎｔｒｏｌ）、ダイバーシティ検出（ｄｉｖｅｒｓｉｔｙ  ｄｅｔｅｃｔｉｏｎ）、概略的な周波数／時間同期化（ｃｏａｒｓｅ  ｆｒｅｑｕｅｎｃｙ／ｔｉｍｅ  ｓｙｎｃｈｒｏｎｉｚａｔｉｏｎ）のために使用されることができる。
【００７８】
Ｌ−ＬＴＦは、長いトレーニングＯＦＤＭシンボル（ｌｏｎｇ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＬＴＦは、精密な周波数／時間同期化（ｆｉｎｅ  ｆｒｅｑｕｅｎｃｙ／ｔｉｍｅ  ｓｙｎｃｈｒｏｎｉｚａｔｉｏｎ）及びチャネル推定（ｃｈａｎｎｅｌ  ｅｓｔｉｍａｔｉｏｎ）のために使用されることができる。
【００７９】
Ｌ−ＳＩＧフィールドは、データフィールドの復調及びデコーディングのための制御情報を送信するために使用されることができる。Ｌ−ＳＩＧフィールドは、データ率（ｄａｔａ  ｒａｔｅ）、データ長さ（ｄａｔａ  ｌｅｎｇｔｈ）に関する情報を含むことができる。
【００８０】
図３の（ｂ）は、ＩＥＥＥ ８０２．１１ｎシステム及びＩＥＥＥ ８０２．１１ａ／ｇシステムを全部支援するためのＨＴ混合フォーマットＰＰＤＵ（HT-mixed format PPDU）を例示する。
【００８１】
図３の（ｂ）を参照すると、ＨＴ混合フォーマットＰＰＤＵは、Ｌ−ＳＴＦ、Ｌ−ＬＴＦ及びＬ−ＳＩＧフィールドから構成されるレガシーフォーマットプリアンブルとＨＴ−ＳＩＧ（HT-Signal）フィールド、ＨＴ−ＳＴＦ（HT short training field）、ＨＴ−ＬＴＦ（HT long training field）から構成されるＨＴフォーマットプリアンブル及びデータフィールドを含んで構成される。
【００８２】
Ｌ−ＳＴＦ、Ｌ−ＬＴＦ及びＬ−ＳＩＧフィールドは、下位互換性（backward compatibility）のためのレガシーフィールドを意味するので、Ｌ−ＳＴＦからＬ−ＳＩＧフィールドまでｎｏｎ−ＨＴフォーマットと同一である。Ｌ−ＳＴＡは、ＨＴ混合ＰＰＤＵを受信してもＬ−ＬＴＦ、Ｌ−ＬＴＦ及びＬ−ＳＩＧフィールドを介してデータフィールドを解釈できる。ただし、Ｌ−ＬＴＦは、ＨＴ−ＳＴＡがＨＴ混合ＰＰＤＵを受信しＬ−ＳＩＧフィールド及びＨＴ−ＳＩＧフィールドを復調するために行うチャネル推定のための情報をさらに含むことができる。
【００８３】
ＨＴ−ＳＴＡは、レガシーフィールドの後にくるＨＴ−ＳＩＧフィールド利用して、ＨＴ−混合フォーマットＰＰＤＵであることが分かり、これに基づいてデータフィールドをデコードできる。
【００８４】
ＨＴ−ＬＴＦフィールドは、データフィールドの復調のためのチャネル推定に使用されることができる。ＩＥＥＥ ８０２．１１ｎは、ＳＵ−ＭＩＭＯ（Single-User Multi-Input and Multi-Output）を支援するので、複数の空間ストリームに送信されるデータフィールドの各々に対して、チャネル推定のためにＨＴ−ＬＴＦフィールドは、複数から構成されることができる。
【００８５】
ＨＴ−ＬＴＦフィールドは、空間ストリームに対するチャネル推定のために使用されるデータＨＴ−ＬＴＦ（Data HT-LTF）とフルチャネルサウンディング（full channel sounding）のために追加的に使用される拡張ＨＴ−ＬＴＦ（extension HT-LTF）から構成されることができる。したがって、複数のＨＴ−ＬＴＦは、送信される空間ストリームの数より同じであるか、または多くありうる。
【００８６】
ＨＴ−混合フォーマットＰＰＤＵは、Ｌ−ＳＴＡも受信してデータを獲得できるようにするために、Ｌ−ＳＴＦ、Ｌ−ＬＴＦ及びＬ−ＳＩＧフィールドが最も速く送信される。以後、ＨＴ−ＳＴＡのために送信されるデータの復調及びデコードのためにＨＴ−ＳＩＧフィールドが送信される。
【００８７】
ＨＴ−ＳＩＧフィールドまでは、ビーム形成を行わないで送信して、Ｌ−ＳＴＡ及びＨＴ−ＳＴＡが該当ＰＰＤＵを受信してデータを獲得できるようにし、以後に送信されるＨＴ−ＳＴＦ、ＨＴ−ＬＴＦ及びデータフィールドは、プリコーディングを介した無線信号送信が行われる。ここで、プリコーディングをして受信するＳＴＡでプリコーディングにより電力が可変される部分を勘案できるように、ＨＴ−ＳＴＦフィールドを送信し、その以後に複数のＨＴ−ＬＴＦ及びデータフィールドを送信する。
【００８８】
図３の（ｃ）は、ＩＥＥＥ ８０２．１１ｎシステムのみを支援するためのＨＴ−ＧＦフォーマットＰＰＤＵ（HT-greenfield format PPDU）を例示する。
【００８９】
図３の（ｃ）を参照すると、ＨＴ−ＧＦフォーマットＰＰＤＵは、ＨＴ−ＧＦ−ＳＴＦ、ＨＴ−ＬＴＦ１、ＨＴ−ＳＩＧフィールド、複数のＨＴ−ＬＴＦ２及びデータフィールドを含む。
【００９０】
ＨＴ−ＧＦ−ＳＴＦは、フレームタイミング獲得及びＡＧＣのために使用される。ＨＴ−ＬＴＦ１は、チャネル推定のために使用される。
【００９１】
ＨＴ−ＳＩＧフィールドは、データフィールドの復調及びデコードのために使用される。
【００９２】
ＨＴ−ＬＴＦ２は、データフィールドの復調のためのチャネル推定に使用される。同様に、ＨＴ−ＳＴＡは、ＳＵ−ＭＩＭＯを使用するので、複数の空間ストリームに送信されるデータフィールドの各々に対してチャネル推定を要するので、ＨＴ−ＬＴＦ２は、複数から構成されることができる。
【００９３】
複数のＨＴ−ＬＴＦ２は、ＨＴ混合ＰＰＤＵのＨＴ−ＬＴＦフィールドと同様に、複数のData ＨＴ−ＬＴＦと複数の拡張ＨＴ−ＬＴＦから構成されることができる。
【００９４】
図３の（ａ）ないし（ｃ）におけるデータフィールドは、ペイロード（payload）として、サービスフィールド（SERVICE field）、スクランブルされたＰＳＤＵ（scrambled PSDU）フィールド、テールビット（Tail bits）、パディングビット（padding bits）を含むことができる。データフィールドのすべてのビットは、スクランブルされる。
【００９５】
図３（ｄ）は、データフィールドに含まれるサービスフィールドを示す。サービスフィールドは、１６ビットを有する。各ビットは、０番から１５番まで付与され、０番ビットから順次に送信される。０番から６番ビットは、０に設定され、受信端内のデスクランブラー（descrambler）を同期化するために使用される。
【００９６】
ＩＥＥＥ ８０２．１１ａｃ ＷＬＡＮシステムは、無線チャネルを効率的に利用するために、複数のＳＴＡが同時にチャネルにアクセスするダウンリンクＭＵ−ＭＩＭＯ（Multi User Multiple Input Multiple Output）方式の送信を支援する。ＭＵ−ＭＩＭＯ送信方式によれば、ＡＰがＭＩＭＯペアリング（pairing）された一つ以上のＳＴＡに同時にパケットを送信できる。
【００９７】
ＤＬ ＭＵ送信（downlink multi-user transmission）は、一つ以上のアンテナを介してＡＰが同じ時間資源を介してＰＰＤＵを複数のｎｏｎ−ＡＰ ＳＴＡに送信する技術を意味する。
【００９８】
以下、ＭＵ ＰＰＤＵは、ＭＵ−ＭＩＭＯ技術またはＯＦＤＭＡ技術を利用して一つ以上のＳＴＡのための一つ以上のＰＳＤＵを伝達するＰＰＤＵを意味する。そして、ＳＵ ＰＰＤＵは、一つのＰＳＤＵのみを伝達できるか、またはＰＳＤＵが存在しないフォーマットを有したＰＰＤＵを意味する。
【００９９】
ＭＵ−ＭＩＭＯ送信のために、８０２．１１ｎ制御情報のサイズに比べてＳＴＡに送信される制御情報のサイズが相対的に大きくありうる。ＭＵ−ＭＩＭＯ支援のために追加的に要求される制御情報の一例として、各ＳＴＡにより受信される空間的ストリーム（spatial stream）の数を指示する情報、各ＳＴＡに送信されるデータの変調及びコーディング関連情報などがこれに該当することができる。
【０１００】
したがって、複数のＳＴＡに同時にデータサービスを提供するためにＭＵ−ＭＩＭＯ送信が行われるとき、送信される制御情報のサイズは、受信するＳＴＡの数に応じて増加されることができる。
【０１０１】
このように増加される制御情報のサイズを效率的に送信するために、ＭＵ−ＭＩＭＯ送信のために要求される複数の制御情報は、すべてのＳＴＡに共通的に要求される共通制御情報（common control information）と特定ＳＴＡに個別的に要求される専用制御情報（dedicated control information）の２とおりのタイプの情報に区分して送信されることができる。
【０１０２】
図４は、本発明が適用されることができる無線通信システムのＶＨＴフォーマットＰＰＤＵフォーマットを例示する。
【０１０３】
図４は、ＩＥＥＥ ８０２．１１ａｃシステムを支援するためのＶＨＴフォーマットＰＰＤＵ（VHT format PPDU）を例示する。
【０１０４】
図４を参照すると、ＶＨＴフォーマットＰＰＤＵは、Ｌ−ＳＴＦ、Ｌ−ＬＴＦ及びＬ−ＳＩＧフィールドから構成されるレガシーフォーマットプリアンブルとＶＨＴ−ＳＩＧ−Ａ（VHT-Signal-A）フィールド、ＶＨＴ−ＳＴＦ（VHT short training field）、ＶＨＴ−ＬＴＦ（VHT long training field）、ＶＨＴ−ＳＩＧ−Ｂ（VHT-Signal-B）フィールドから構成されるＶＨＴフォーマットプリアンブル及びデータフィールドを含んで構成される。
【０１０５】
Ｌ−ＳＴＦ、Ｌ−ＬＴＦ及びＬ−ＳＩＧは、下位互換性（backward compatibility）のためのレガシーフィールドを意味するので、Ｌ−ＳＴＦからＬ−ＳＩＧフィールドまでｎｏｎ−ＨＴフォーマットと同一である。ただし、Ｌ−ＬＴＦは、Ｌ−ＳＩＧフィールド及びＶＨＴ−ＳＩＧ−Ａフィールドを復調するために行うチャネル推定のための情報をさらに含むことができる。
【０１０６】
Ｌ−ＳＴＦ、Ｌ−ＬＴＦ、Ｌ−ＳＩＧフィールド及びＶＨＴ−ＳＩＧ−Ａフィールドは、２０ＭＨｚチャネル単位に繰り返されて送信されることができる。例えば、ＰＰＤＵが４個の２０ＭＨｚチャネル（すなわち、８０ＭＨｚ帯域幅）を介して送信されるとき、Ｌ−ＳＴＦ、Ｌ−ＬＴＦ、Ｌ−ＳＩＧフィールド及びＶＨＴ−ＳＩＧ−Ａフィールドは、毎２０ＭＨｚチャネルで繰り返されて送信されることができる。
【０１０７】
ＶＨＴ−ＳＴＡは、レガシーフィールドの後にくるＶＨＴ−ＳＩＧ−Ａフィールド利用して、ＶＨＴフォーマットＰＰＤＵであることが分かり、これに基づいてデータフィールドをデコードできる。
【０１０８】
ＶＨＴフォーマットＰＰＤＵは、Ｌ−ＳＴＡも受信してデータを獲得できるようにするために、Ｌ−ＳＴＦ、Ｌ−ＬＴＦ及びＬ−ＳＩＧフィールドが最も速く送信される。以後、ＶＨＴ−ＳＴＡのために送信されるデータの復調及びデコードのために、ＶＨＴ−ＳＩＧ−Ａフィールドが送信される。
【０１０９】
ＶＨＴ−ＳＩＧ−Ａフィールドは、ＡＰとＭＩＭＯペアリングされた（paired）ＶＨＴ ＳＴＡに共通する制御情報送信のためのフィールドであって、これは、受信されたＶＨＴフォーマットＰＰＤＵを解釈するための制御情報を含んでいる。
【０１１０】
ＶＨＴ−ＳＩＧ−Ａフィールドは、ＶＨＴ−ＳＩＧ−Ａ１フィールドとＶＨＴ−ＳＩＧ−Ａ２フィールドを含むことができる。
【０１１１】
ＶＨＴ−ＳＩＧ−Ａ１フィールドは、使用するチャネル帯域幅（ＢＷ：bandwidth）情報、時空間ブロックコーディング（ＳＴＢＣ：Space Time Block Coding）の適用か否か、ＭＵ−ＭＩＭＯでグループ化されたＳＴＡのグループを指示するためのグループ識別情報（Group ID：Group Identifier）、使用されるストリームの数（ＮＳＴＳ：Number of space-Time stream）／部分ＡＩＤ（Partial AID（association Identifier））に対する情報及び送信パワーセーブ禁止（Transmit power save forbidden）情報を含むことができる。ここで、Group IDは、ＭＵ−ＭＩＭＯ送信を支援するために送信対象ＳＴＡグループに対して割り当てられる識別子を意味し、現在使用されたＭＩＭＯ送信方法がＭＵ−ＭＩＭＯであるか、またはＳＵ−ＭＩＭＯであるかを表すことができる。
【０１１２】
＜表1＞は、ＶＨＴ−ＳＩＧ−Ａ１フィールドを例示する表である。
【０１１３】
【表１−１】
0006753858.tif 000002
【０１１４】
【表１−２】
0006753858.tif 000003
【０１１５】
ＶＨＴ−ＳＩＧ−Ａ２フィールドは、短い保護区間（ＧＩ：Guard Interval）の使用有無に対する情報、フォワードエラー訂正（ＦＥＣ：Forward Error Correction）情報、単一ユーザに対するＭＣＳ（Modulation and Coding Scheme）に関する情報、複数ユーザに対するチャネルコーディングの種類に関する情報、ビーム形成関連情報、ＣＲＣ（Cyclic Redundancy checking）のための冗長ビット（redundancy bits）と畳み込みデコーダ（convolutional decoder）のテールビット（tail bit）などを含むことができる。
【０１１６】
＜表２＞は、ＶＨＴ−ＳＩＧ−Ａ２フィールドを例示する表である。
【０１１７】
【表２−１】
0006753858.tif 000004
【０１１８】
【表２−２】
0006753858.tif 000005
【０１１９】
ＶＨＴ−ＳＴＦは、ＭＩＭＯ送信において、ＡＧＣ推定の性能を改善するために使用される。ＶＨＴ−ＳＴＦフィールド区間（ｄｕｒａｔｉｏｎ）は、４μｓである。
【０１２０】
ＶＨＴ−ＬＴＦは、ＶＨＴ−ＳＴＡがＭＩＭＯチャネルを推定するのに使用される。ＶＨＴ ＷＬＡＮシステムは、ＭＵ−ＭＩＭＯを支援するから、ＶＨＴ−ＬＴＦは、ＰＰＤＵが送信される空間ストリームの数だけ設定されることができる。追加的に、フルチャネルサウンディング（full channel Sounding）が支援される場合、ＶＨＴ−ＬＴＦの数は、より多くなることができる。
【０１２１】
ＶＨＴ−ＳＩＧ−Ｂフィールドは、ＭＵ−ＭＩＭＯペアリングされた複数のＶＨＴ−ＳＴＡがＰＰＤＵを受信してデータを獲得するのに必要な専用制御情報を含む。したがって、ＶＨＴ−ＳＩＧ−Ａフィールドに含まれた共通制御情報（common control information）が現在受信されたＰＰＤＵがＭＵ−ＭＩＭＯ送信を指示した場合においてのみ、ＶＨＴ−ＳＴＡは、ＶＨＴ−ＳＩＧ−Ｂフィールドをデコード（decoding）するよう設計されることができる。これに対し、共通制御情報が現在受信されたＰＰＤＵが単一ＶＨＴ−ＳＴＡのためのもの（ＳＵ−ＭＩＭＯを含む）であることを指示した場合、ＳＴＡは、ＶＨＴ−ＳＩＧ−Ｂフィールドをデコードしないように設計されることができる。
【０１２２】
ＶＨＴ−ＳＩＧ−Ｂフィールドは、各ＶＨＴ−ＳＴＡの変調（ｍｏｄｕｌａｔｉｏｎ）、エンコーディング（ｅｎｃｏｄｉｎｇ）、及びレートマッチング（ｒａｔｅ−ｍａｔｃｈｉｎｇ）に関する情報を含む。ＶＨＴ−ＳＩＧ−Ｂフィールドの大きさは、ＭＩＭＯ送信の類型（ＭＵ−ＭＩＭＯまたはＳＵ−ＭＩＭＯ）及びＰＰＤＵ送信のために使用するチャネル帯域幅によって異なることができる。
【０１２３】
ＭＵ−ＭＩＭＯを支援するシステムにおいて同じサイズのＰＰＤＵをＡＰにペアリングされたＳＴＡに送信するために、ＰＰＤＵを構成するデータフィールドのビットサイズを指示する情報及び／又は特定フィールドを構成するビットストリームサイズを指示する情報がＶＨＴ−ＳＩＧ−Ａフィールドに含まれることができる。
【０１２４】
ただし、効果的にＰＰＤＵフォーマットを使用するために、Ｌ−ＳＩＧフィールドが使用されることができる。同じサイズのＰＰＤＵがすべてのＳＴＡに送信されるために、Ｌ−ＳＩＧフィールド内に含まれて送信される長さフィールド（length field）及びレートフィールド（rate field）が必要な情報を提供するために使用されることができる。この場合、ＭＰＤＵ（MAC Protocol Data Unit）及び／又はＡ−ＭＰＤＵ（Aggregate MAC Protocol Data Unit）がＭＡＣ階層のバイト（またはオクテット（ｏｃｔ：octet））に基づいて設定されるので、物理階層で追加的なパディング（padding）が要求されることができる。
【０１２５】
図４においてデータフィールドは、ペイロード（payload）として、サービスフィールド（SERVICE field）、スクランブルされたＰＳＤＵ（scrambled PSDU）、テールビット（tail bits）、パディングビット（padding bits）を含むことができる。
【０１２６】
上述のように、様々なＰＰＤＵのフォーマットが混合して使用されるから、ＳＴＡは、受信したＰＰＤＵのフォーマットを区分できなければならない。
【０１２７】
ここで、ＰＰＤＵを区分するという意味（またはＰＰＤＵフォーマットを区分するという意味）は、多様な意味を有することができる。例えば、ＰＰＤＵを区分するという意味は、受信したＰＰＤＵがＳＴＡによりデコード（または解釈）が可能なＰＰＤＵであるかどうかに対して判断するという意味を含むことができる。また、ＰＰＤＵを区分するという意味は、受信したＰＰＤＵがＳＴＡにより支援可能なＰＰＤＵであるかどうかに対して判断するという意味でありうる。また、ＰＰＤＵを区分するという意味は、受信したＰＰＤＵを介して送信された情報がいかなる情報であるかを区分するという意味としても解釈できる。
【０１２８】
これに対し、以下に図面を参照してより詳細に説明する。
【０１２９】
図５は、本発明が適用できる無線通信システムのＰＰＤＵのフォーマットを区分するための星状（constellation）を例示する図である。
【０１３０】
図５（ａ）はｎｏｎ−ＨＴフォーマットＰＰＤＵに含まれるＬ−ＳＩＧフィールドの星状（constellation）を例示し、図５（ｂ）はＨＴ混合フォーマットＰＰＤＵ検出のための位相回転（phase rotation）を例示し、図５（ｃ）はＶＨＴフォーマットＰＰＤＵ検出のための位相回転（phase rotation）を例示する。
【０１３１】
ＳＴＡがｎｏｎ−ＨＴフォーマットＰＰＤＵ、ＨＴ−ＧＦフォーマットＰＰＤＵ、ＨＴ混合フォーマットＰＰＤＵ、及びＶＨＴフォーマットＰＰＤＵを区分（classification）するために、Ｌ−ＳＩＧフィールド及びＬ−ＳＩＧフィールドの以後に転送されるＯＦＤＭシンボルの星状（constellation）の位相（phase）が使われる。即ち、ＳＴＡは受信したＰＰＤＵのＬ−ＳＩＧフィールド及び／又はＬ−ＳＩＧフィールドの以後に転送されるＯＦＤＭシンボルの星状の位相に基づいてＰＰＤＵフォーマットを区分することができる。
【０１３２】
図５（ａ）を参照すると、Ｌ−ＳＩＧフィールドを構成するＯＦＤＭシンボルはＢＰＳＫ（binary Phase Shift Keying）が用いられる。
【０１３３】
まず、ＨＴ−ＧＦフォーマットＰＰＤＵを区分するために、ＳＴＡは受信したＰＰＤＵで最初のＳＩＧフィールドが感知されれば、Ｌ−ＳＩＧフィールドか否かを判断する。即ち、ＳＴＡは図５（ａ）の例示のような星状に基づいてデコーディングを試みる。ＳＴＡがデコーディングに失敗すれば該当ＰＰＤＵがＨＴ−ＧＦフォーマットＰＰＤＵと判断することができる。
【０１３４】
次に、ｎｏｎ−ＨＴフォーマットＰＰＤＵ、ＨＴ混合フォーマットＰＰＤＵ、及びＶＨＴフォーマットＰＰＤＵを区分（classification）するために、Ｌ−ＳＩＧフィールドの以後に転送されるＯＦＤＭシンボルの星状の位相が使用できる。即ち、Ｌ−ＳＩＧフィールドの以後に転送されるＯＦＤＭシンボルの変調方法が互いに異なることがあり、ＳＴＡは受信したＰＰＤＵのＬ−ＳＩＧフィールドの以後のフィールドに対する変調方法に基づいてＰＰＤＵフォーマットを区分することができる。
【０１３５】
図５（ｂ）を参照すると、ＨＴ混合フォーマットＰＰＤＵを区分するために、ＨＴ混合フォーマットＰＰＤＵでＬ−ＳＩＧフィールドの以後に転送される２つのＯＦＤＭシンボルの位相が使用できる。
【０１３６】
より具体的には、ＨＴ混合フォーマットＰＰＤＵでＬ−ＳＩＧフィールドの以後に転送されるＨＴ−ＳＩＧフィールドに対応するＯＦＤＭシンボル＃１及びＯＦＤＭシンボル＃２の位相は全て時計反回り方向に９０度だけ回転する。即ち、ＯＦＤＭシンボル＃１及びＯＦＤＭシンボル＃２に対する変調方法はＱＢＰＳＫ（Quadrature Binary Phase Shift Keying）が用いられる。ＱＢＰＳＫ星状は、ＢＰＳＫ星状を基準に時計反回り方向に９０度だけ位相が回転した星状でありうる。
【０１３７】
ＳＴＡは、受信したＰＰＤＵのＬ−ＳＩＧフィールドの次に転送されるＨＴ−ＳＩＧフィールドに対応する第１のＯＦＤＭシンボル及び第２のＯＦＤＭシンボルを図５（ｂ）の例示のような星状に基づいてデコーディングを試みる。ＳＴＡがデコーディングに成功すれば、該当ＰＰＤＵがＨＴフォーマットＰＰＤＵと判断する。
【０１３８】
次に、ｎｏｎ−ＨＴフォーマットＰＰＤＵ及びＶＨＴフォーマットＰＰＤＵを区分するために、Ｌ−ＳＩＧフィールドの以後に転送されるＯＦＤＭシンボルの星状の位相が使用できる。
【０１３９】
図５（ｃ）を参照すると、ＶＨＴフォーマットＰＰＤＵを区分（classification）するために、ＶＨＴフォーマットＰＰＤＵでＬ−ＳＩＧフィールドの以後に転送される２つのＯＦＤＭシンボルの位相が使用できる。
【０１４０】
より具体的に、ＶＨＴフォーマットＰＰＤＵでＬ−ＳＩＧフィールドの以後のＶＨＴ−ＳＩＧ−Ａフィールドに対応するＯＦＤＭシンボル＃１の位相は回転しないが、ＯＦＤＭシンボル＃２の位相は時計反回り方向に９０度だけ回転する。即ち、ＯＦＤＭシンボル＃１に対する変調方法はＢＰＳＫが用いられ、ＯＦＤＭシンボル＃２に対する変調方法はＱＢＰＳＫが用いられる。
【０１４１】
ＳＴＡは、受信したＰＰＤＵのＬ−ＳＩＧフィールドの次に転送されるＶＨＴ−ＳＩＧフィールドに対応する第１のＯＦＤＭシンボル及び第２のＯＦＤＭシンボルを図５（ｃ）の例示のような星状に基づいてデコーディングを試みる。ＳＴＡがデコーディングに成功すれば、該当ＰＰＤＵがＶＨＴフォーマットＰＰＤＵと判断することができる。
【０１４２】
一方、デコーディングに失敗すれば、ＳＴＡは該当ＰＰＤＵがｎｏｎ−ＨＴフォーマットＰＰＤＵと判断することができる。
【０１４３】
ＭＡＣフレームフォーマット
図６は、本発明が適用されることができるＩＥＥＥ ８０２．１１システムのＭＡＣフレームフォーマットを例示する。
【０１４４】
図６を参照すると、ＭＡＣフレーム（すなわち、ＭＰＤＵ）は、ＭＡＣヘッダー（MAC Header）、フレーム本体（Frame Body）及びフレームチェックシーケンス（ＦＣＳ：frame check sequence）から構成される。
【０１４５】
MAC Headerは、フレーム制御（Frame Control）フィールド、持続時間／識別子（Duration/ID）フィールド、アドレス１（Address 1）フィールド、アドレス２（Address 2）フィールド、アドレス３（Address 3）フィールド、シーケンス制御（Sequence Control）フィールド、アドレス４（Address 4）フィールド、ＱｏＳ制御（QoS control）フィールド及びＨＴ制御（HT Control）フィールドを含む領域と定義される。
【０１４６】
Frame Controlフィールドは、該当ＭＡＣフレーム特性に対する情報を含む。Frame Controlフィールドのより詳細な説明は後述する。
【０１４７】
Duration/IDフィールドは、該当ＭＡＣフレームのタイプ及びサブタイプに応じる他の値を有するように具現化されることができる。
【０１４８】
仮に、該当ＭＡＣフレームのタイプ及びサブタイプがパワーセーブ（ＰＳ：power save）運営のためのＰＳ-ポール（PS-Poll）フレームの場合、Duration/IDフィールドは、フレームを送信したＳＴＡのＡＩＤ（association identifier）を含むように設定されることができる。その以外の場合、Duration/IDフィールドは、該当ＭＡＣフレームのタイプ及びサブタイプに応じて特定持続時間値を有するように設定されることができる。また、フレームがＡ−ＭＰＤＵ（aggregate-MPDU）フォーマットに含まれたＭＰＤＵである場合、ＭＡＣヘッダーに含まれたDuration/IDフィールドは、全部同じ値を有するように設定されることもできる。
【０１４９】
Address１フィールドないしAddress４フィールドは、ＢＳＳＩＤ、ソースアドレス（ＳＡ：source address）、目的アドレス（ＤＡ：destination address）、送信ＳＴＡアドレスを表す送信アドレス（ＴＡ：Transmitting address）、受信ＳＴＡアドレスを表す受信アドレス（ＲＡ：Receiving Address）を指示するために使用される。
【０１５０】
一方、ＴＡフィールドにより具現化されたアドレスフィールドは、帯域幅シグナリングＴＡ（bandwidth signaling TA）値に設定されることができ、この場合、ＴＡフィールドは、該当ＭＡＣフレームがスクランブリングシーケンスに追加的な情報を含んでいることを指示できる。帯域幅シグナリングＴＡは、該当ＭＡＣフレームを送信するＳＴＡのＭＡＣアドレスと表現されることができるが、ＭＡＣアドレスに含まれた個別／グループビット（Individual/Group bit）が特定値（例えば、「１」）に設定されることができる。
【０１５１】
Sequence controlフィールドは、シーケンスナンバー（sequence number）及びフラグメントナンバー（fragment number）を含むように設定される。シーケンスナンバーを該当ＭＡＣフレームに割り当てられたシーケンスナンバーを指示できる。フラグメントナンバーは、該当ＭＡＣフレームの各フラグメントのナンバーを指示できる。
【０１５２】
QoS Controlフィールドは、ＱｏＳと関連した情報を含む。QoS Control フィールドは、サブタイプ（Subtype）のサブフィールドにおいてＱｏＳデータフレームを指示する場合に含まれることができる。
【０１５３】
HT Controlフィールドは、ＨＴ及び／又はＶＨＴ送受信技法と関連した制御情報を含む。HT Controlフィールドは、制御ラッパー（Control  Wrapper）フレームに含まれる。また、オーダー（Order）サブフィールド値が１であるＱｏＳデータ（QoS Data）フレーム、管理（Management）フレームに存在する。
【０１５４】
Frame Bodyは、ＭＡＣペイロード（payload）と定義され、上位階層で送信しようとするデータが位置するようになり、可変的なサイズを有する。例えば、最大ＭＰＤＵのサイズは、１１４５４オクテット（octets）で、最大ＰＰＤＵのサイズは、５．４８４ｍｓでありうる。
【０１５５】
ＦＣＳは、ＭＡＣフッター（footer）と定義され、ＭＡＣフレームのエラー探索のために使用される。
【０１５６】
最初の三つのフィールド（Frame Controlフィールド、Duration/IDフィールド及びAddress 1フィールド）と最も最後のフィールド（ＦＣＳフィールド）は、最小フレームフォーマットを構成し、すべてのフレームに存在する。その他のフィールドは、特定フレームタイプにおいてのみ存在できる。
【０１５７】
図７は、本発明が適用され得る無線通信システムにおいてＨＴ  ＣｏｎｔｒｏｌフィールドのＨＴフォーマットを例示する。
【０１５８】
図７に示すように、ＨＴ  Ｃｏｎｔｒｏｌフィールドは、ＶＨＴサブフィールド、ＨＴ制御ミドル（ＨＴ  Ｃｏｎｔｒｏｌ  Ｍｉｄｄｌｅ）サブフィールド、ＡＣ制限（ＡＣ  Ｃｏｎｓｔｒａｉｎｔ）サブフィールド、及び逆方向承認（ＲＤＧ：Ｒｅｖｅｒｓｅ  Ｄｉｒｅｃｔｉｏｎ  Ｇｒａｎｔ）／追加ＰＰＤＵ（Ｍｏｒｅ  ＰＰＤＵ）サブフィールドで構成されることができる。
【０１５９】
ＶＨＴサブフィールドは、ＨＴ  ＣｏｎｔｒｏｌフィールドがＶＨＴのためのＨＴ  Ｃｏｎｔｒｏｌフィールドのフォーマットを有するか（ＶＨＴ＝１）またはＨＴのためのＨＴ  Ｃｏｎｔｒｏｌフィールドのフォーマットを有するか（ＶＨＴ＝０）の可否を指示する。図７では、ＨＴのためのＨＴ  Ｃｏｎｔｒｏｌフィールド（すなわち、ＶＨＴ＝０）を仮定して説明する。
【０１６０】
ＨＴ  Ｃｏｎｔｒｏｌ  Ｍｉｄｄｌｅサブフィールドは、ＶＨＴサブフィールドの指示に応じて他のフォーマットを有するように実現されることができる。ＨＴ  Ｃｏｎｔｒｏｌ  Ｍｉｄｄｌｅサブフィールドについてのより詳細な説明は、後述する。
【０１６１】
ＡＣ  Ｃｏｎｓｔｒａｉｎｔサブフィールドは、逆方向（ＲＤ：ｒｅｖｅｒｓｅ  ｄｉｒｅｃｔｉｏｎ）データフレームのマッピングされたＡＣ（Ａｃｃｅｓｓ  Ｃａｔｅｇｏｒｙ）が単一ＡＣに限定されたものであるか否かを指示する。
【０１６２】
ＲＤＧ／Ｍｏｒｅ  ＰＰＤＵサブフィールドは、当該フィールドがＲＤ開始者（ｉｎｉｔｉａｔｏｒ）またはＲＤ応答者（ｒｅｓｐｏｎｄｅｒ）によって送信されるか否かによって異なるように解釈されることができる。
【０１６３】
ＲＤ開始者によって送信された場合、ＲＤＧが存在するときにＲＤＧ／Ｍｏｒｅ  ＰＰＤＵフィールドが「１」に設定され、ＲＤＧが存在しないときに「０」に設定される。ＲＤ応答者によって送信された場合、当該サブフィールドを含むＰＰＤＵがＲＤ応答者により送信された最後のフレームであれば「１」に設定され、さらに他のＰＰＤＵが送信されれば「０」に設定される。
【０１６４】
ＨＴのためのＨＴ  ＣｏｎｔｒｏｌフィールドのＨＴ  Ｃｏｎｔｒｏｌ  Ｍｉｄｄｌｅサブフィールドは、リンク適応（Ｌｉｎｋ  Ａｄａｐｔａｔｉｏｎ）サブフィールド、キャリブレーションポジション（Ｃａｌｉｂｒａｔｉｏｎ  Ｐｏｓｉｔｉｏｎ）サブフィールド、キャリブレーションシーケンス（Ｃａｌｉｂｒａｔｉｏｎ  Ｓｅｑｕｅｎｃｅ）サブフィールド、予備（Ｒｅｓｅｒｖｅｄ）サブフィールド、チャネル状態情報／調整（ＣＳＩ／Ｓｔｅｅｒｉｎｇ：Ｃｈａｎｎｅｌ  Ｓｔａｔｅ  Ｉｎｆｏｒｍａｔｉｏｎ／Ｓｔｅｅｒｉｎｇ）サブフィールド、ＨＴ  ＮＤＰ公知（ＨＴ  ＮＤＰ  Ａｎｎｏｕｎｃｅｍｅｎｔ：ＨＴ  Ｎｕｌｌ  Ｄａｔａ  Ｐａｃｋｅｔ  Ａｎｎｏｕｎｃｅｍｅｎｔ）サブフィールド、予備（Ｒｅｓｅｒｖｅｄ）サブフィールドを含むことができる。
【０１６５】
Ｌｉｎｋ  Ａｄａｐｔａｔｉｏｎサブフィールドは、トレーニング要請（ＴＲＱ：Ｔｒａｉｎｉｎｇ  ｒｅｑｕｅｓｔ）サブフィールド、ＭＣＳ要請、またはアンテナ選択指示（ＭＡＩ：ＭＣＳ（Ｍｏｄｕｌａｔｉｏｎ  ａｎｄ  Ｃｏｄｉｎｇ  Ｓｃｈｅｍｅ）  Ｒｅｑｕｅｓｔ  ｏｒ  ＡＳＥＬ（Ａｎｔｅｎｎａ  Ｓｅｌｅｃｔｉｏｎ）  Ｉｎｄｉｃａｔｉｏｎ）サブフィールド、ＭＣＳフィードバックシーケンス指示（ＭＦＳＩ：ＭＣＳ  Ｆｅｅｄｂａｃｋ  Ｓｅｑｕｅｎｃｅ  Ｉｄｅｎｔｉｆｉｅｒ）サブフィールド、ＭＣＳフィードバック及びアンテナ選択命令／データ（ＭＦＢ／ＡＳＥＬＣ：ＭＣＳ  Ｆｅｅｄｂａｃｋ  ａｎｄ  Ａｎｔｅｎｎａ  Ｓｅｌｅｃｔｉｏｎ  Ｃｏｍｍａｎｄ／ｄａｔａ）サブフィールドを含むことができる。
【０１６６】
ＴＲＱサブフィールドは、応答者（ｒｅｓｐｏｎｄｅｒ）にサウンディングＰＰＤＵ（ｓｏｕｎｄｉｎｇ  ＰＰＤＵ）送信を要請する場合、１に設定され、応答者にサウンディングＰＰＤＵ送信を要請しない場合、０に設定される。
【０１６７】
ＭＡＩサブフィールドが１４に設定されれば、アンテナ選択指示（ＡＳＥＬ  ｉｎｄｉｃａｔｉｏｎ）を表し、ＭＦＢ／ＡＳＥＬＣサブフィールドは、アンテナ選択命令／データとして解釈される。そうでない場合、ＭＡＩサブフィールドは、ＭＣＳ要請を表し、ＭＦＢ／ＡＳＥＬＣサブフィールドは、ＭＣＳフィードバックとして解釈される。
【０１６８】
ＭＡＩサブフィールドがＭＣＳ要請（ＭＲＱ：ＭＣＳ  Ｒｅｑｕｅｓｔ）を表す場合、ＭＡＩサブフィールドは、ＭＲＱ（ＭＣＳ  ｒｅｑｕｅｓｔ）及びＭＳＩ（ＭＲＱ  ｓｅｑｕｅｎｃｅ  ｉｄｅｎｔｉｆｉｅｒ）で構成されると解釈される。ＭＲＱサブフィールドは、ＭＣＳフィードバックが要請されれば「１」に設定され、ＭＣＳフィードバックが要請されなければ「０」に設定される。ＭＲＱサブフィールドが「１」であるとき、ＭＳＩサブフィールドは、ＭＣＳフィードバック要請を特定するためのシーケンス番号を含む。ＭＲＱサブフィールドが「０」であるとき、ＭＳＩサブフィールドは、予備（ｒｅｓｅｒｖｅｄ）ビットに設定される。
【０１６９】
前述した各サブフィールドは、ＨＴ制御フィールドに含まれることができるサブフィールドの例示に該当し、他のサブフィールドに代替されるか、追加的なサブフィールドがさらに含まれ得る。
【０１７０】
図８は、本発明が適用され得る無線通信システムにおいてＨＴ  ＣｏｎｔｒｏｌフィールドのＶＨＴフォーマットを例示する。
【０１７１】
図８に示すように、ＨＴ  Ｃｏｎｔｒｏｌフィールドは、ＶＨＴサブフィールド、ＨＴ制御ミドル（ＨＴ  Ｃｏｎｔｒｏｌ  Ｍｉｄｄｌｅ）サブフィールド、ＡＣ制限（ＡＣ  Ｃｏｎｓｔｒａｉｎｔ）サブフィールド、及び逆方向承認（ＲＤＧ：Ｒｅｖｅｒｓｅ  Ｄｉｒｅｃｔｉｏｎ  Ｇｒａｎｔ）／追加ＰＰＤＵ（Ｍｏｒｅ  ＰＰＤＵ）サブフィールドで構成されることができる。
【０１７２】
図８では、ＶＨＴのためのＨＴ  Ｃｏｎｔｒｏｌフィールド（すなわち、ＶＨＴ＝１）を仮定して説明する。ＶＨＴのためのＨＴ  ＣｏｎｔｒｏｌフィールドをＶＨＴ  Ｃｏｎｔｒｏｌフィールドと呼ぶことができる。
【０１７３】
ＡＣ  Ｃｏｎｓｔｒａｉｎｔサブフィールド及びＲＤＧ／Ｍｏｒｅ  ＰＰＤＵサブフィールドについての説明は、前述した図７での説明と同様なので、説明を省略する。
【０１７４】
上述のように、HT Control Middleサブフィールドは、ＶＨＴサブフィールドの指示に従って、他のフォーマットを有するように具現されることができる。
【０１７５】
ＶＨＴのためのHT ControlフィールドのHT Control Middleサブフィールドは、予備ビット（Reserved bit）、ＭＣＳフィードバック要請（ＭＲＱ：ＭＣＳ（Modulation and Coding Scheme）feedback request）サブフィールド、ＭＲＱシーケンス識別子（ＭＳＩ：MRQ Sequence Identifier）／時空間ブロックコーディング（ＳＴＢＣ：Space-time block coding）サブフィールド、ＭＣＳフィードバックシーケンス識別子（ＭＦＳＩ：MCS feedback sequence identifier）／グループＩＤ最下位ビット（ＧＩＤ−Ｌ：LSB（Least Significant Bit） of Group ID）サブフィールド、ＭＣＳフィードバック（ＭＦＢ：MCS Feedback）サブフィールド、グループＩＤ最上位ビット（ＧＩＤ−Ｈ：MSB（Most Significant Bit） of Group ID）サブフィールド、コーディングタイプ（Coding Type）サブフィールド、フィードバック送信タイプ（ＦＢ Ｔｘ Type：Feedback Transmission type）サブフィールド及び自発的ＭＦＢ（Unsolicited MFB）サブフィールドから構成されることができる。
【０１７６】
＜表３＞は、ＶＨＴフォーマットのHT Control Middleサブフィールドに含まれた各サブフィールドに対する説明を示す。
【０１７７】
【表３−１】
0006753858.tif 000006
【０１７８】
【表３−２】
0006753858.tif 000007
【０１７９】
そして、ＭＦＢサブフィールドは、ＶＨＴ空間−時間ストリーム数（ＮＵＭ＿ＳＴＳ：Number of space time streams）サブフィールド、ＶＨＴ−ＭＣＳサブフィールド、帯域幅（ＢＷ：Bandwidth）サブフィールド、信号対雑音比（ＳＮＲ：Signal to Noise Ratio）サブフィールドを含むことができる。
【０１８０】
ＮＵＭ＿ＳＴＳサブフィールドは、推薦する空間ストリームの数を指示する。ＶＨＴ−ＭＣＳサブフィールドは、推薦するＭＣＳを指示する。ＢＷサブフィールドは、推薦するＭＣＳと関連した帯域幅情報を指示する。ＳＮＲサブフィールドは、データサブキャリヤ及び空間ストリーム上の平均ＳＮＲ値を指示する。
【０１８１】
上述の各フィールドに含まれる情報は、ＩＥＥＥ ８０２．１１システムの定義に従うことができる。また、上述の各フィールドは、ＭＡＣフレームに含まれることができるフィールドの例示に該当し、これに限定されない。すなわち、上述の各フィールドが他のフィールドに代替されるか、または追加的なフィールドがさらに含まれることができ、すべてのフィールドが必須的に含まれなくても良い。
【０１８２】
リンクセットアップ手順（Ｌｉｎｋ  Ｓｅｔｕｐ  Ｐｒｏｃｅｄｕｒｅ）
図９は、本発明が適用され得る無線通信システムにおいて一般的なリンクセットアップ（ｌｉｎｋ  ｓｅｔｕｐ）手順を説明するための図である。
【０１８３】
ＳＴＡがネットワークに対してリンクをセットアップし、データを送受信するためには、まず、ネットワークを発見（ｄｉｓｃｏｖｅｒｙ）するためのスキャニング（Ｓｃａｎｎｉｎｇ）手順、認証（ａｕｔｈｅｎｔｉｃａｔｉｏｎ）手順、連係（ａｓｓｏｃｉａｔｉｏｎ）手順などを経なければならない。リンクセットアップ手順をセッション開始手順、セッションセットアップ手順とも称することができる。また、リンクセットアップ手順のスキャニング、認証、連係手順を通称して連係手順と称することもできる。
【０１８４】
ＷＬＡＮにおいてスキャニング手順は、受動的スキャニング（ｐａｓｓｉｖｅ  ｓｃａｎｎｉｎｇ）手順と能動的スキャニング（ａｃｔｉｖｅ  ｓｃａｎｎｉｎｇ）手順とがある。
【０１８５】
図９（ａ）は、受動的スキャニング（ｐａｓｓｉｖｅ  ｓｃａｎｎｉｎｇ）によるリンクセットアップ（ｌｉｎｋ  ｓｅｔｕｐ）手順を例示し、図９（ｂ）は、能動的スキャニング（ａｃｔｉｖｅ  ｓｃａｎｎｉｎｇ）によるリンクセットアップ（ｌｉｎｋ  ｓｅｔｕｐ）手順を例示する。
【０１８６】
図９（ａ）のように、受動的スキャニング手順は、ＡＰが周期的にブロードキャストするビーコンフレーム（ｂｅａｃｏｎ  ｆｒａｍｅ）を介して行われる。ビーコンフレームは、ＩＥＥＥ  ８０２．１１において管理フレーム（ｍａｎａｇｅｍｅｎｔ  ｆｒａｍｅ）のうちの１つであって、無線ネットワークの存在を知らせ、スキャニングを行うｎｏｎ−ＡＰ  ＳＴＡとして無線ネットワークを探して、無線ネットワークに参加できるように周期的に（例えば、１００ｍｓｅｃ間隔）ブロードキャストされる。ビーコンフレームには、現在のネットワークに関する情報（例えば、ＢＳＳに関する情報）が載っている。
【０１８７】
ネットワークに関する情報を得るために、ｎｏｎ−ＡＰ  ＳＴＡは、受動的にチャネルを移しながらビーコンフレームの受信を待つ。ビーコンフレームを受信したｎｏｎ−ＡＰ  ＳＴＡは、受信したビーコンフレームに含まれたネットワークに関する情報を保存し、次のチャネルに移動して同じ方法で次のチャネルでスキャニングを行うことができる。ｎｏｎ−ＡＰ  ＳＴＡがビーコンフレームを受信してネットワークに関する情報を取得することにより、当該チャネルでのスキャニング手順が完了する。
【０１８８】
このように、受動的スキャニング手順は、ｎｏｎ−ＡＰ  ＳＴＡが他のフレームを送信する必要なく、ビーコンフレームを受信さえすれば手順が完了するので、全体的なオーバーヘッドが少ないという長所がある。ただし、ビーコンフレームの送信周期に比例してｎｏｎ−ＡＰ  ＳＴＡのスキャニング実行時間が増えるという短所がある。
【０１８９】
それに対し、図９（ｂ）のような能動的スキャニング手順は、ｎｏｎ−ＡＰ  ＳＴＡが周辺にどのＡＰが存在するか探索するために能動的にチャネルを移しながらプローブ要請フレーム（ｐｒｏｂｅ  ｒｅｑｕｅｓｔ  ｆｒａｍｅ）をブロードキャストすることにより、これを受信した全てのＡＰからネットワーク情報を要求する。
【０１９０】
プローブ要請フレームを受信した応答者（ｒｅｓｐｏｎｄｅｒ）は、フレーム衝突を防止するために、ランダム（ｒａｎｄｏｍ）時間の間待った後、プローブ応答フレーム（ｐｒｏｂｅ  ｒｅｓｐｏｎｓｅ  ｆｒａｍｅ）にネットワーク情報を載せて当該ｎｏｎ−ＡＰ  ＳＴＡに送信する。プローブ応答フレームを受信したＳＴＡは、受信したプローブ応答フレームに含まれたネットワーク関連情報を保存し、次のチャネルに移動して同じ方法でスキャニングを行うことができる。ｎｏｎ−ＡＰ  ＳＴＡがプローブ応答フレームを受信してネットワーク情報を取得することによってスキャニング手順が完了する。
【０１９１】
能動的スキャニング手順は、受動的スキャニング手順に比べて相対的に速い時間の間スキャニングを終えることができるという長所がある。しかし、追加的なフレームシーケンス（ｆｒａｍｅ  ｓｅｑｕｅｎｃｅ）が必要なので、全体的なネットワークオーバーヘッドは増加するようになる。
【０１９２】
スキャニング手順を完了したｎｏｎ−ＡＰ  ＳＴＡは、自分だけの基準によってネットワークを選択した後、当該ＡＰと認証（ａｕｔｈｅｎｔｉｃａｔｉｏｎ）手順を行う。
【０１９３】
認証手順は、ｎｏｎ−ＡＰ  ＳＴＡが認証要請フレーム（ａｕｔｈｅｎｔｉｃａｔｉｏｎ  ｒｅｑｕｅｓｔ  ｆｒａｍｅ）をＡＰに送信する過程と、これに応答してＡＰが認証応答フレーム（ａｕｔｈｅｎｔｉｃａｔｉｏｎ  ｒｅｓｐｏｎｓｅ  ｆｒａｍｅ）をｎｏｎ−ＡＰ  ＳＴＡに送信する過程、すなわち、２−ｗａｙハンドシェーキング（ｈａｎｄｓｈａｋｉｎｇ）で行われる。
【０１９４】
認証要請／応答に使用される認証フレーム（ａｕｔｈｅｎｔｉｃａｔｉｏｎ  ｆｒａｍｅ）は、管理フレームに該当する。
【０１９５】
認証フレームは、認証アルゴリズム番号（ａｕｔｈｅｎｔｉｃａｔｉｏｎ  ａｌｇｏｒｉｔｈｍ  ｎｕｍｂｅｒ）、認証トランザクションシーケンス番号（ａｕｔｈｅｎｔｉｃａｔｉｏｎ  ｔｒａｎｓａｃｔｉｏｎ  ｓｅｑｕｅｎｃｅ  ｎｕｍｂｅｒ）、状態コード（ｓｔａｔｕｓ  ｃｏｄｅ）、検問テキスト（ｃｈａｌｌｅｎｇｅ  ｔｅｘｔ）、ＲＳＮ（Ｒｏｂｕｓｔ  Ｓｅｃｕｒｉｔｙ  Ｎｅｔｗｏｒｋ）、有限循環グループ（Ｆｉｎｉｔｅ  Ｃｙｃｌｉｃ  Ｇｒｏｕｐ）などに関する情報を含むことができる。これは、認証要請／応答フレームに含まれることができる情報等の一部例示に該当し、他の情報に代替されるか、追加的な情報がさらに含まれ得る。
【０１９６】
ｎｏｎ−ＡＰ  ＳＴＡは、認証要請フレームをＡＰに送信することができる。ＡＰは、受信された認証要請フレームに含まれた情報に基づいて、当該ｎｏｎ−ＡＰ  ＳＴＡに対する認証を許すか否かを決定できる。ＡＰは、認証処理の結果を認証応答フレームを介してｎｏｎ−ＡＰ  ＳＴＡに提供することができる。
【０１９７】
認証手順を介してｎｏｎ−ＡＰ  ＳＴＡとＡＰとは、互いに対する認証を経た後、連係（ａｓｓｏｃｉａｔｉｏｎ）を確立（ｅｓｔａｂｌｉｓｈ）する。
【０１９８】
連係過程は、ｎｏｎ−ＡＰ  ＳＴＡが連係要請フレーム（ａｓｓｏｃｉａｔｉｏｎ  ｒｅｑｕｅｓｔ  ｆｒａｍｅ）をＡＰに送信する過程と、これに応答してＡＰが連係応答フレーム（ａｓｓｏｃｉａｔｉｏｎ  ｒｅｓｐｏｎｓｅ  ｆｒａｍｅ）をｎｏｎ−ＡＰ  ＳＴＡに送信する過程、すなわち、２−ｗａｙハンドシェーキング（ｈａｎｄｓｈａｋｉｎｇ）で行われる。
【０１９９】
連係要請フレームは、ｎｏｎ−ＡＰ  ＳＴＡの様々な能力（ｃａｐａｂｉｌｉｔｙ）に関連した情報、ビーコン聴取間隔（ｌｉｓｔｅｎ  ｉｎｔｅｒｖａｌ）、ＳＳＩＤ（ｓｅｒｖｉｃｅ  ｓｅｔ  ｉｄｅｎｔｉｆｉｅｒ）、支援レート（ｓｕｐｐｏｒｔｅｄ  ｒａｔｅｓ）、支援チャネル（ｓｕｐｐｏｒｔｅｄ  ｃｈａｎｎｅｌｓ）、ＲＳＮ、移動性ドメイン、支援オペレーティングクラス（ｓｕｐｐｏｒｔｅｄ  ｏｐｅｒａｔｉｎｇ  ｃｌａｓｓｅｓ）、ＴＩＭ放送要請（Ｔｒａｆｆｉｃ  Ｉｎｄｉｃａｔｉｏｎ  Ｍａｐ  Ｂｒｏａｄｃａｓｔ  ｒｅｑｕｅｓｔ）、相互動作（ｉｎｔｅｒｗｏｒｋｉｎｇ）サービス能力などに関する情報を含むことができる。
【０２００】
これに基づいてＡＰは、当該ｎｏｎ−ＡＰ  ＳＴＡに対して支援可能可否を判断する。決定後、ＡＰは、連係応答フレームに連係要請に対する受諾可否とその理由、自分が支援可能な性能（Ｃａｐａｂｉｌｉｔｙ  Ｉｎｆｏｒｍａｔｉｏｎ）に関する情報を入れてｎｏｎ−ＡＰ  ＳＴＡに送信する。
【０２０１】
連係応答フレームは、様々な能力に関連した情報、状態コード、ＡＩＤ（Ａｓｓｏｃｉａｔｉｏｎ  ＩＤ）、支援レート、ＥＤＣＡ（Ｅｎｈａｎｃｅｄ  Ｄｉｓｔｒｉｂｕｔｅｄ  Ｃｈａｎｎｅｌ  Ａｃｃｅｓｓ）パラメータセット、ＲＣＰＩ（Ｒｅｃｅｉｖｅｄ  Ｃｈａｎｎｅｌ  Ｐｏｗｅｒ  Ｉｎｄｉｃａｔｏｒ）、ＲＳＮＩ（Ｒｅｃｅｉｖｅｄ  Ｓｉｇｎａｌ  ｔｏ  Ｎｏｉｓｅ  Ｉｎｄｉｃａｔｏｒ）、移動性ドメイン、タイムアウト間隔（連係カムバック時間（ａｓｓｏｃｉａｔｉｏｎ  ｃｏｍｅｂａｃｋ  ｔｉｍｅ））、重ね合わせ（ｏｖｅｒｌａｐｐｉｎｇ）ＢＳＳスキャンパラメータ、ＴＩＭ放送応答、ＱｏＳ（Ｑｕａｌｉｔｙ  ｏｆ  Ｓｅｒｖｉｃｅ）マップなどの情報を含むことができる。
【０２０２】
前述した連係要請／応答フレームに含まれることができる情報は例示に該当し、他の情報に代替されるか、追加的な情報がさらに含まれ得る。
【０２０３】
ｎｏｎ−ＡＰ  ＳＴＡがＡＰと成功裏に連係を確立した場合、正常な送受信がなされるようになる。それに対し、ＡＰと成功裏に連係を確立できなかった場合、その理由に基づいてｎｏｎ−ＡＰ  ＳＴＡは、再度連係手順を試みるか、他のＡＰに連係を試みることができる。
【０２０４】
媒体アクセスメカニズム
ＩＥＥＥ ８０２．１１における通信は、共有された無線媒体（shared wireless medium）においてなされるから、有線チャネル（wired channel）環境とは根本的に異なる特徴を有する。
【０２０５】
有線チャネル環境では、ＣＳＭＡ／ＣＤ（carrier sense multiple access/collision detection）に基づいて通信が可能である。例えば、送信端から一回シグナルが送信されると、チャネル環境が大きな変化がないから、受信端まで大きく信号が減衰されずに送信される。このとき、２つ以上のシグナルが衝突されると、感知（detection）が可能であった。これは、受信端で感知された電力（power）が瞬間的に送信端から送信した電力より大きくなるためである。しかしながら、無線チャネル環境は、多様な要素（例えば、距離に応じてシグナルの減衰が大きいか、または瞬間的に深いフェージング（deep fading）を経ることができる）がチャネルに影響を与えるから、実際に受信端で信号が正しく送信されたか、または衝突が発生したか、送信端で正確にキャリヤセンシング（carrier sensing）をすることができない。
【０２０６】
これにより、ＩＥＥＥ ８０２．１１に応じるＷＬＡＮシステムにおいて、ＭＡＣの基本アクセスメカニズムとしてＣＳＭＡ／ＣＡ（Carrier Sense Multiple Access with Collision Avoidance）メカニズムを導入した。ＣＡＭＡ／ＣＡメカニズムは、ＩＥＥＥ ８０２．１１ＭＡＣの分配調整機能（ＤＣＦ：Distributed Coordination Function）とも呼ばれるが、基本的に「listen before talk」アクセスメカニズムを採用している。このような類型のアクセスメカニズムによると、ＡＰ及び／又はＳＴＡは、送信を始めるに先立ち、所定の時間区間（例えば、ＤＩＦＳ（DCF Inter-Frame Space））の間に無線チャネルまたは媒体（medium）をセンシング（sensing）するＣＣＡ（Clear Channel Assesment）を行う。センシング結果、万が一、媒体がアイドル状態（idle status）であると判断されると、該当媒体を介してフレーム送信を始める。これに対し、媒体が占有状態（occupied status）であると感知されると、該当ＡＰ及び／又はＳＴＡは、自分自身の送信を開始せずに、既に様々なＳＴＡが該当媒体を使用するために待機しているという仮定下でＤＩＦＳに追加的に媒体アクセスのための遅延時間（例えば、任意のバックオフ周期（random backoff period））の間により待った後にフレーム送信を試みることができる。
【０２０７】
任意のバックオフ周期を適用することによって、フレームを送信するための複数のＳＴＡが存在すると仮定するとき、複数のＳＴＡは、確率的に異なるバックオフ周期値を有するようになって、互いに異なる時間の間に待機した後にフレーム送信を試みることが期待されるので、衝突（collision）を最小化させることができる。
【０２０８】
また、ＩＥＥＥ ８０２．１１ＭＡＣプロトコルは、ＨＣＦ（Hybrid Coordination Function）を提供する。ＨＣＦは、前記ＤＣＦと支点調整機能（ＰＣＦ：Point Coordination Function）を基盤とする。ＰＣＦは、ポーリング（polling）基盤の同期式アクセス方式ですべての受信ＡＰ及び／又はＳＴＡがデータフレームを受信することができるように、周期的にポーリングする方式を称する。また、ＨＣＦは、ＥＤＣＡ（Enhanced Distributed Channel Access）とＨＣＣＡ（HCF controlled Channel Access）を有する。ＥＤＣＡは、提供者が多数のユーザにデータフレームを提供するためのアクセス方式を競争基盤で行うことで、ＨＣＣＡは、ポーリング（polling）メカニズムを利用した非競争基盤のチャネルアクセス方式を使用することである。また、ＨＣＦは、ＷＬＡＮのＱｏＳ（Quality of Service）を向上させるための媒体アクセスメカニズムを含み、競争周期（ＣＰ：Contention Period）と非競争周期（ＣＦＰ：Contention Free Period）の両方でＱｏＳデータを送信できる。
【０２０９】
図１０は、本発明が適用されることができる無線通信システムにおける任意のバックオフ周期とフレーム送信手順を説明するための図である。
【０２１０】
特定媒体が占有（occupyまたはbusy）状態からアイドル（idle）状態に変更されると、複数のＳＴＡは、データ（またはフレーム）送信を試みることができる。このとき、衝突を最小化するための方案として、ＳＴＡは、各々任意のバックオフカウント（random backoff count）を選択し、それに該当するスロット時間（slot time）分だけ待機した後に、送信を試みることができる。任意のバックオフカウントは、疑似−任意整数（pseudo-random integer）値を有し、０ないし競争ウィンドウ（ＣＷ：Contention Window）範囲で均一分布（uniform distribution）した値のうちのいずれか一つで決定されることができる。ここで、ＣＷは、競争ウィンドウパラメータ値である。ＣＷパラメータは、初期値としてＣＷ＿ｍｉｎが与えられるが、送信が失敗した場合（例えば、送信されたフレームに対するＡＣＫを受信していない場合）に２倍の値を取ることができる。ＣＷパラメータ値がＣＷ＿ｍａｘになると、データ送信が成功するまでＣＷ＿ｍａｘ値を維持しながらデータ送信を試みることができ、データ送信が成功する場合には、ＣＷ＿ｍｉｎ値にリセットされる。ＣＷ、ＣＷ＿ｍｉｎ及びＣＷ＿ｍａｘ値は、２＾ｎ−１（ｎ＝０，１，２，．．．）に設定されることが好ましい。
【０２１１】
任意のバックオフ過程が始まると、ＳＴＡは、決定されたバックオフカウント値に応じてバックオフスロットをカウントダウンし、カウントダウンする間に媒体をモニタリングし続ける。媒体が占有状態であるとモニタリングされる場合、カウントダウンを中断し待機するようになり、媒体がアイドル状態になると、カウントダウンを再開する。
【０２１２】
図１０の例示においてＳＴＡ３のＭＡＣに送信するパケットが到達した場合に、ＳＴＡ３は、ＤＩＦＳ分だけ媒体がアイドル状態であることを確認し、直にフレームを送信できる。
【０２１３】
一方、残りのＳＴＡは、媒体が占有（busy）状態であることをモニタリングし待機する。その間にＳＴＡ１、ＳＴＡ２及びＳＴＡ５のそれぞれでも送信するデータが発生でき、それぞれのＳＴＡは、媒体がアイドル状態であるとモニタリングされる場合、ＤＩＦＳだけ待機した後に、各自が選択した任意のバックオフカウント値に応じてバックオフスロットをカウントダウンする。
【０２１４】
図１０の例示では、ＳＴＡ２が最も小さなバックオフカウント値を選択し、ＳＴＡ１が最も大きなバックオフカウント値を選択した場合を示す。すなわち、ＳＴＡ２がバックオフカウントを終えフレーム送信を始める時点においてＳＴＡ５の残余バックオフ時間は、ＳＴＡ１の残余バックオフ時間より短い場合を例示する。
【０２１５】
ＳＴＡ１及びＳＴＡ５は、ＳＴＡ２が媒体を占有する間にカウントダウンを止め待機する。ＳＴＡ２の媒体占有が終了して媒体が再度アイドル状態になると、ＳＴＡ１及びＳＴＡ５は、ＤＩＦＳだけ待機した後に、止めたバックオフカウントを再開する。すなわち、残余バックオフ時間ほどの残りのバックオフスロットをカウントダウンした後にフレーム送信を始めることができる。ＳＴＡ５の残余バックオフ時間がＳＴＡ１より短かったので、ＳＴＡ５のフレーム送信を始めるようになる。
【０２１６】
一方、ＳＴＡ２が媒体を占有する間にＳＴＡ４でも送信するデータが発生できる。このとき、ＳＴＡ４の立場では、媒体がアイドル状態になると、ＤＩＦＳだけ待機した後、自身が選択した任意のバックオフカウント値に応じるバックオフスロットのカウントダウンを行う。
【０２１７】
図１０の例示では、ＳＴＡ５の残余バックオフ時間がＳＴＡ４の任意のバックオフカウント値と偶然に一致する場合を示し、この場合、ＳＴＡ４とＳＴＡ５との間に衝突が発生できる。衝突が発生する場合には、ＳＴＡ４とＳＴＡ５ともがＡＣＫを受信できないから、データ送信を失敗するようになる。この場合、ＳＴＡ４とＳＴＡ５は、ＣＷ値を２倍に増やした後に、任意のバックオフカウント値を選択しバックオフスロットのカウントダウンを行う。一方、ＳＴＡ１は、ＳＴＡ４とＳＴＡ５の送信により媒体が占有状態である間に待機している途中で、媒体がアイドル状態になると、ＤＩＦＳだけ待機した後に、残余バックオフ時間が経過すると、フレーム送信を始めることができる。
【０２１８】
ＣＳＭＡ／ＣＡメカニズムは、ＡＰ及び／又はＳＴＡが媒体を直接センシングする物理的キャリヤセンシング（physical carrier sensing）の他に、仮想キャリヤセンシング（virtual carrier sensing）も含む。
【０２１９】
仮想キャリヤセンシングは、非表示ノード問題（hidden node problem）などのように媒体接近上発生できる問題を補完するためのものである。仮想キャリヤセンシングのために、ＷＬＡＮシステムのＭＡＣは、ネットワーク割り当てベクトル（ＮＡＶ：Network Allocation Vector）を利用する。ＮＡＶは、現在媒体を使用しているか、または使用する権限があるＡＰ及び／又はＳＴＡが、媒体が利用可能な状態になるまで残っている時間を他のＡＰ及び／又はＳＴＡに指示する値である。したがって、ＮＡＶに設定された値は、該当フレームを送信するＡＰ及び／又はＳＴＡによって媒体の使用が予定されている期間に該当し、ＮＡＶ値を受信するＳＴＡは、該当期間の間に媒体アクセスが禁止される。ＮＡＶは、例えば、フレームのＭＡＣヘッダー（header）の持続期間（duration）フィールドの値に応じて設定されることができる。
【０２２０】
ＡＰ及び／又はＳＴＡは、媒体に接近しようとすることを知らせるために、ＲＴＳ（request to send）フレーム及びＣＴＳ（clear to send）フレームを交換する手順を行うことができる。ＲＴＳフレーム及びＣＴＳフレームは、実質的なデータフレーム送信及び受信確認応答（ＡＣＫ）が支援される場合、ＡＣＫフレームが送受信されるのに必要な無線媒体が接近予約された時間的な区間を指示する情報を含む。フレームを送信しようとするＡＰ及び／又はＳＴＡから送信されたＲＴＳフレームを受信するか、またはフレーム送信対象ＳＴＡから送信されたＣＴＳフレームを受信した他のＳＴＡは、ＲＴＳ／ＣＴＳフレームに含まれている情報が指示する時間的な区間の間に媒体に接近しないように設定されることができる。これは、時間区間の間、ＮＡＶが設定されることによって実現されることができる。
【０２２１】
残余キャリア周波数オフセット（ｒｅｓｉｄｕａｌ  Ｃａｒｒｉｅｒ  Ｆｒｅｑｕｅｎｃｙ  Ｏｆｆｓｅｔ）測定及びチャネル推定（ｃｈａｎｎｅｌ  ｅｓｔｉｍａｔｉｏｎ）
８０２．１１ａｃシステムでは、パイロット（ｐｉｌｏｔ）を用いて残余（ｒｅｓｉｄｕａｌ）キャリア周波数オフセット（ＣＦＯ：Ｃａｒｒｉｅｒ  Ｆｒｅｑｕｅｎｃｙ  Ｏｆｆｓｅｔ）を測定する。具体的に、各シンボル毎に同じトーン（ｔｏｎｅ）（または、サブキャリア）に同じパイロットを割り当て、同じ係数（ｃｏｅｆｆｉｃｉｅｎｔ）を設定してシンボル間のパイロット値の位相（ｐｈａｓｅ）差を測定して残余ＣＦＯを測定する。
【０２２２】
また、チャネル推定は、ＶＨＴ−ＬＴＦで行われ、Ｐ行列（ｍａｔｒｉｘ）をかけて同じサブキャリアのシンボルとストリームとの間に直交性（ｏｒｔｈｏｇｏｎａｌｉｔｙ）を作り、これを利用して測定することができる。Ｐ行列は、Ｐ行列を構成する各行（ｒｏｗ）別に直交性（ｏｒｔｈｏｇｏｎａｌｉｔｙ）を有する行列を意味する。
【０２２３】
上述したように、ＶＨＴ−ＬＴＦは、ＰＰＤＵが送信される時空間ストリーム（ｓｐａｃｅ−ｔｉｍｅｓｔｒｅａｍ）の個数の分だけ設定されることができる。
【０２２４】
表４は、ＶＨＴ−ＬＴＦフィールドの数を例示する。
【０２２５】
【表４】
0006753858.tif 000008
【０２２６】
下記の数式１ないし４は、Ｐ行列（ｍａｔｒｉｘ）値を例示する。
【０２２７】
【数１】
0006753858.tif 000009
【０２２８】
数式１を参照すれば、ＰＰＤＵ内の時空間ストリームの総数（Ｎ＿ＳＴＳ、ｔｏｔａｌ）が４以下であるとき、Ｐ＿４×４行列（数式２）を用い、５または６であるとき、Ｐ＿６×６行列（数式３）を用い、７または８であるとき、Ｐ＿８×８（数式４）を用いる。
【０２２９】
【数２】
0006753858.tif 000010
【０２３０】
【数３】
0006753858.tif 000011
【０２３１】
【数４】
0006753858.tif 000012
【０２３２】
図１１は、本発明が適用され得る無線通信システムにおいてＶＨＴ−ＬＴＦを例示する図である。
【０２３３】
図１１では、時空間ストリームが４個である場合を例示する。
【０２３４】
前述した数式２ないし４において例示したＰ行列で各行（ｒｏｗ）は、各時空間ストリームに対応し、図１１のように、ＶＨＴ−ＬＴＦに行列要素（ｍａｔｒｉｘ  ｅｌｅｍｅｎｔ）が各々かけられる。
【０２３５】
図１１に示すように、時空間ストリーム１の４個のＶＨＴ−ＬＴＦには、前述した数式２の１番目の行（ｒｏｗ）に属したそれぞれの行列要素がかけられる。１番目のＶＨＴ−ＬＴＦシーケンス要素には１がかけられ、２番目のＶＨＴ−ＬＴＦシーケンス要素には−１がかけられ、３番目のＶＨＴ−ＬＴＦシーケンス要素には１がかけられ、４番目のＶＨＴ−ＬＴＦシーケンス要素には１がかけられる。
【０２３６】
他の時空間ストリームも上記のようにＰ行列がかけられる。
【０２３７】
上向きリンク多重ユーザ送信のための方法
次世代ＷｉＦｉに対する様々な分野のベンダー達の多くの関心と８０２．１１ａｃ以後の高いスループット（ｈｉｇｈ  ｔｈｒｏｕｇｈｐｕｔ）、及びＱｏＥ（ｑｕａｌｉｔｙ  ｏｆ  ｅｘｐｅｒｉｅｎｃｅ）性能向上に対する要求が高まっている状況で、次世代ＷＬＡＮシステムである８０２．１１ａｘシステムのための新しいフレームフォーマット及びヌメロロジー（ｎｕｍｅｒｏｌｏｇｙ）に対する議論が活発に進行中である。
【０２３８】
ＩＥＥＥ  ８０２．１１ａｘは、より高いデータ処理率（ｄａｔａ  ｒａｔｅ）を支援し、より高いユーザ負荷（ｕｓｅｒ  ｌｏａｄ）を処理するための次世代ＷＬＡＮシステムとして最近に新しく提案されているＷＬＡＮシステムのうちの１つであって、一名、高効率ＷＬＡＮ（ＨＥＷ：Ｈｉｇｈ  Ｅｆｆｉｃｉｅｎｃｙ  ＷＬＡＮ）と呼ばれる。
【０２３９】
ＩＥＥＥ  ８０２．１１ａｘ  ＷＬＡＮシステムは、既存のＷＬＡＮシステムと同様に、２．４ＧＨｚ周波数帯域及び５ＧＨｚ周波数帯域で動作することができる。また、それより高い６０ＧＨｚ周波数帯域でも動作することができる。
【０２４０】
ＩＥＥＥ  ８０２．１１ａｘシステムでは、平均スループット向上（ａｖｅｒａｇｅ  ｔｈｒｏｕｇｈｐｕｔ  ｅｎｈａｎｃｅｍｅｎｔ）と室外環境でのシンボル間干渉（ｉｎｔｅｒ−ｓｙｍｂｏｌ  ｉｎｔｅｒｆｅｒｅｎｃｅ）に対する強靭な送信（ｏｕｔｄｏｏｒ  ｒｏｂｕｓｔ  ｔｒａｎｓｍｉｓｓｉｏｎ）のために、既存のＩＥＥＥ  ８０２．１１  ＯＦＤＭ  ｓｙｓｔｅｍ（ＩＥＥＥ  ８０２．１１ａ、８０２．１１ｎ、８０２．１１ａｃ等）より各帯域幅で４倍大きいＦＦＴサイズを使用できる。これについて、下記の図面を参照して説明する。
【０２４１】
以下、本発明のＨＥフォーマットＰＰＤＵについての説明において、別の言及がなくても、前述したｎｏｎ−ＨＴフォーマットＰＰＤＵ、ＨＴ−ｍｉｘｅｄフォーマットＰＰＤＵ、ＨＴ−ｇｒｅｅｎｆｉｅｌｄフォーマットＰＰＤＵ、及び／又はＶＨＴフォーマットＰＰＤＵについての説明がＨＥフォーマットＰＰＤＵについての説明に併合され得る。
【０２４２】
図１２は、本発明の一実施形態に係るＨＥ（Ｈｉｇｈ  Ｅｆｆｉｃｉｅｎｃｙ）フォーマットＰＰＤＵを例示する図である。
【０２４３】
図１２に示すように、ＨＥＷのためのＨＥフォーマットＰＰＤＵは、大別して、レガシ部分（Ｌ−ｐａｒｔ）、ＨＥ部分（ＨＥ−ｐａｒｔ）で構成されることができる。
【０２４４】
Ｌ−ｐａｒｔは、既存のＷＬＡＮシステムにおいて維持する形態と同様に、Ｌ−ＳＴＦフィールド、Ｌ−ＬＴＦフィールド、及びＬ−ＳＩＧフィールドで構成される。Ｌ−ＳＴＦフィールド、Ｌ−ＬＴＦフィールド、及びＬ−ＳＩＧフィールドをレガシプリアンブル（ｌｅｇａｃｙ  ｐｒｅａｍｂｌｅ）と称することができる。
【０２４５】
ＨＥ−ｐａｒｔは、８０２．１１ａｘ標準のために新しく定義される部分であって、ＨＥ−ＳＩＧフィールドとＨＥプリアンブル（ＨＥ−ｐｒｅａｍｂｌｅ）、及びデータ（ＨＥ−ｄａｔａ）フィールドで構成されることができる。そして、ＨＥ−ｐｒｅａｍｂｌｅは、ＨＥ−ＳＴＦフィールド及びＨＥ−ＬＴＦフィールドを含むことができる。また、ＨＥ−ＳＴＦフィールド及びＨＥ−ＬＴＦフィールドだけでなく、ＨＥ−ＳＩＧフィールドを含み、ＨＥ−ｐｒｅａｍｂｌｅと称することもできる。
【０２４６】
図１２では、ＨＥ−ＳＩＧフィールド、ＨＥ−ＳＴＦフィールド、及びＨＥ−ＬＴＦフィールドの順序を例示しているが、これと相違した順序で構成されることができる。
【０２４７】
Ｌ−ｐａｒｔ、ＨＥ−ＳＩＧフィールド、ＨＥ−ｐｒｅａｍｂｌｅを物理プリアンブル（ＰＨＹ（ｐｈｙｓｉｃａｌ）ｐｒｅａｍｂｌｅ）と称することができる。
【０２４８】
ＨＥ−ＳＩＧフィールドは、ＨＥ−ｄａｔａフィールドをデコーディングするための情報（例えば、ＯＦＤＭＡ、ＵＬ  ＭＵ  ＭＩＭＯ、向上したＭＣＳ等）を含むことができる。
【０２４９】
Ｌ−ｐａｒｔとＨＥ−ｐａｒｔ（特に、ＨＥ−ｐｒｅａｍｂｌｅ及びＨＥ−ｄａｔａ）とは、互いに異なるＦＦＴ（Ｆａｓｔ  Ｆｏｕｒｉｅｒ  Ｔｒａｎｓｆｏｒｍ）サイズを有することができ、互いに異なるＣＰ（Ｃｙｃｌｉｃ  Ｐｒｅｆｉｘ）を使用することもできる。すなわち、Ｌ−ｐａｒｔとＨＥ−ｐａｒｔ（特に、ＨＥ−ｐｒｅａｍｂｌｅ及びＨＥ−ｄａｔａ）とは、サブキャリア周波数間隔（ｓｕｂｃａｒｒｉｅｒ  ｆｒｅｑｕｅｎｃｙ  ｓｐａｃｉｎｇ）が互いに異なるように定義され得る。
【０２５０】
８０２．１１ａｘシステムでは、レガシＷＬＡＮシステムに比べて４倍大きい（４×）ＦＦＴサイズを使用できる。すなわち、Ｌ−ｐａｒｔは、１×シンボル構造で構成され、ＨＥ−ｐａｒｔ（特に、ＨＥ−ｐｒｅａｍｂｌｅ及びＨＥ−ｄａｔａ）は、４×シンボル構造で構成されることができる。ここで、１×、２×、４×サイズのＦＦＴは、レガシＷＬＡＮシステム（例えば、ＩＥＥＥ  ８０２．１１ａ、８０２．１１ｎ、８０２．１１ａｃ等）に対する相対的であるサイズを意味する。
【０２５１】
例えば、Ｌ−ｐａｒｔに用いられるＦＦＴサイズは、２０ＭＨｚ、４０ＭＨｚ、８０ＭＨｚ、及び１６０ＭＨｚで各々６４、１２８、２５６、５１２であれば、ＨＥ−ｐａｒｔに用いられるＦＦＴサイズは、２０ＭＨｚ、４０ＭＨｚ、８０ＭＨｚ、及び１６０ＭＨｚで各々２５６、５１２、１０２４、２０４８でありうる。
【０２５２】
このように、レガシＷＬＡＮシステムよりＦＦＴサイズが大きくなると、サブキャリア周波数間隔（ｓｕｂｃａｒｒｉｅｒ  ｆｒｅｑｕｅｎｃｙ  ｓｐａｃｉｎｇ）が小さくなるので、単位周波数当たり、サブキャリアの数が増加されるが、ＯＦＤＭシンボル長さが長くなる。
【０２５３】
すなわち、より大きいＦＦＴサイズが使用されるとは、サブキャリア間隔が狭くなるという意味であり、同様に、ＩＤＦＴ（Ｉｎｖｅｒｓｅ  Ｄｉｓｃｒｅｔｅ  Ｆｏｕｒｉｅｒ  Ｔｒａｎｓｆｏｒｍ）／ＤＦＴ（Ｄｉｓｃｒｅｔｅ  Ｆｏｕｒｉｅｒ  Ｔｒａｎｓｆｏｒｍ）周期（ｐｅｒｉｏｄ）が増えるという意味である。ここで、ＩＤＦＴ／ＤＦＴ周期は、ＯＦＤＭシンボルで保護区間ＧＩを除いたシンボル長さを意味できる。
【０２５４】
したがって、ＨＥ−ｐａｒｔ（特に、ＨＥ−ｐｒｅａｍｂｌｅ及びＨＥ−ｄａｔａ）は、Ｌ−ｐａｒｔに比べて４倍大きいＦＦＴサイズが使用されるならば、ＨＥ−ｐａｒｔのサブキャリア間隔は、Ｌ−ｐａｒｔのサブキャリア間隔の１／４倍になり、ＨＥ−ｐａｒｔのＩＤＦＴ／ＤＦＴ周期は、Ｌ−ｐａｒｔのＩＤＦＴ／ＤＦＴ周期の４倍となる。例えば、Ｌ−ｐａｒｔのサブキャリア間隔が３１２．５ｋＨｚ（＝２０ＭＨｚ／６４、４０ＭＨＺ／１２８、８０ＭＨｚ／２５６、及び／又は１６０ＭＨｚ／５１２）であれば、ＨＥ−ｐａｒｔのサブキャリア間隔は、７８．１２５ｋＨｚ（＝２０ＭＨｚ／２５６、４０ＭＨＺ／５１２、８０ＭＨｚ／１０２４、及び／又は１６０ＭＨｚ／２０４８）でありうる。また、Ｌ−ｐａｒｔのＩＤＦＴ／ＤＦＴ周期が３．２μｓ（＝１／３１２．５ｋＨｚ）であれば、ＨＥ−ｐａｒｔのＩＤＦＴ／ＤＦＴ周期は、１２．８μｓ（＝１／７８．１２５ｋＨｚ）でありうる。
【０２５５】
ここで、ＧＩは、０．８μｓ、１．６μｓ、３．２μｓのうち、１つが使用され得るので、ＧＩを含むＨＥ−ｐａｒｔのＯＦＤＭシンボル長さ（または、シンボル間隔（ｓｙｍｂｏｌ  ｉｎｔｅｒｖａｌ））は、ＧＩによって１３．６μｓ、１４．４μｓ、１６μｓでありうる。
【０２５６】
図１２では、ＨＥ−ＳＩＧフィールドが１×シンボル構造で構成される場合を例示しているが、ＨＥ−ＳＩＧフィールドもＨＥ−ｐｒｅａｍｂｌｅ及びＨＥ−ｄａｔａのように、４×シンボル構造で構成されることもできる。
【０２５７】
図１２の例示とは異なり、ＨＥ−ＳＩＧは、ＨＥ−ＳＩＧ  ＡフィールドとＨＥ−ＳＩＧ  Ｂフィールドに区分されることができる。この場合、単位周波数当たり、ＦＦＴサイズは、ＨＥ−ＳＩＧ  Ｂ以後からさらに大きくなり得る。すなわち、ＨＥ−ＳＩＧ  Ｂ以後からＬ−ｐａｒｔに比べてＯＦＤＭシンボル長さが長くなり得る。
【０２５８】
本発明が適用され得るＷＬＡＮシステムのためのＨＥフォーマットＰＰＤＵは、少なくとも１つの２０ＭＨｚチャネルを介して送信されることができる。例えば、ＨＥフォーマットＰＰＤＵは、総４個の２０ＭＨｚチャネルを介して４０ＭＨｚ、８０ＭＨｚ、または１６０ＭＨｚ周波数帯域で送信されることができる。これについて、下記の図面を参照してさらに詳細に説明する。
【０２５９】
図１３は、本発明の一実施形態に係るＨＥフォーマットＰＰＤＵを例示する図である。
【０２６０】
図１３では、１つのＳＴＡに８０ＭＨｚが割り当てられた場合（または、８０ＭＨｚ内の複数のＳＴＡにＯＦＤＭＡ資源ユニットが割り当てられた場合）、若しくは、複数のＳＴＡに各々８０ＭＨｚの互いに異なるストリームが割り当てられた場合のＰＰＤＵフォーマットを例示する。
【０２６１】
図１３に示すように、Ｌ−ＳＴＦ、Ｌ−ＬＴＦ、及びＬ−ＳＩＧは、各２０ＭＨｚチャネルで６４ＦＦＴポイント（または、６４サブキャリア）に基づいて生成されたＯＦＤＭシンボルに送信されることができる。
【０２６２】
ＨＥ−ＳＩＧ  Ａフィールドは、ＰＰＤＵを受信するＳＴＡに共通に送信される共用制御情報を含むことができる。ＨＥ−ＳＩＧ  Ａフィールドは、１個ないし３個のＯＦＤＭシンボルで送信されることができる。ＨＥ−ＳＩＧ  Ａフィールドは、２０ＭＨｚ単位に複写されて、同じ情報を含む。また、ＨＥ−ＳＩＧ−Ａフィールドは、システムの全体帯域幅情報を知らせる。
【０２６３】
表５は、ＨＥ−ＳＩＧ  Ａフィールドに含まれる情報を例示する表である。
【０２６４】
【表５】
0006753858.tif 000013
【０２６５】
表５に例示される各フィールドに含まれる情報は、ＩＥＥＥ  ８０２．１１システムの定義にしたがうことができる。また、前述した各フィールドは、ＰＰＤＵに含まれ得るフィールドの例示に該当し、これに限定されない。すなわち、前述した各フィールドが他のフィールドに代替されるか、追加的なフィールドがさらに含まれ得るし、全てのフィールドが必須的に含まれないこともある。
【０２６６】
ＨＥ−ＳＴＦは、ＭＩＭＯ送信においてＡＧＣ推定の性能を改善するために使用される。
【０２６７】
ＨＥ−ＳＩＧ  Ｂフィールドは、各ＳＴＡが自分のデータ（例えば、ＰＳＤＵ）を受信するために要求されるユーザ特定（ｕｓｅｒ−ｓｐｅｃｉｆｉｃ）情報を含むことができる。ＨＥ−ＳＩＧ  Ｂフィールドは、１つまたは２つのＯＦＤＭシンボルで送信されることができる。例えば、ＨＥ−ＳＩＧ  Ｂフィールドは、当該ＰＳＤＵの変調及びコーディング技法（ＭＣＳ）及び当該ＰＳＤＵの長さに関する情報を含むことができる。
【０２６８】
Ｌ−ＳＴＦ、Ｌ−ＬＴＦ、Ｌ−ＳＩＧ、及びＨＥ−ＳＩＧ  Ａフィールドは、２０ＭＨｚチャネル単位に繰り返されて送信されることができる。例えば、ＰＰＤＵが４個の２０ＭＨｚチャネル（すなわち、８０ＭＨｚ帯域）を介して送信されるとき、Ｌ−ＳＴＦ、Ｌ−ＬＴＦ、Ｌ−ＳＩＧ、及びＨＥ−ＳＩＧ  Ａフィールドは、２０ＭＨｚチャネル毎に繰り返されて送信されることができる。
【０２６９】
ＦＦＴサイズが大きくなると、既存のＩＥＥＥ  ８０２．１１ａ／ｇ／ｎ／ａｃを支援するレガシＳＴＡは、当該ＨＥ  ＰＰＤＵをデコーディングできなくなることがある。レガシＳＴＡとＨＥ  ＳＴＡとが共存（ｃｏｅｘｉｓｔｅｎｃｅ）するために、Ｌ−ＳＴＦ、Ｌ−ＬＴＦ、及びＬ−ＳＩＧフィールドは、レガシＳＴＡが受信できるように２０ＭＨｚチャネルで６４ＦＦＴを介して送信される。例えば、Ｌ−ＳＩＧフィールドは、１つのＯＦＤＭシンボルを占有し、１つのＯＦＤＭシンボル時間は、４μｓであり、ＧＩは、０．８μｓでありうる。
【０２７０】
各周波数単位別のＦＦＴサイズは、ＨＥ−ＳＴＦからさらに大きくなり得る。例えば、２５６ＦＦＴが２０ＭＨｚチャネルで使用され、５１２ＦＦＴが４０ＭＨｚチャネルで使用され、１０２４ＦＦＴが８０ＭＨｚチャネルで使用されることができる。ＦＦＴサイズが大きくなると、ＯＦＤＭサブキャリア間の間隔が狭くなるので、単位周波数当たり、ＯＦＤＭサブキャリアの数が増加されるが、ＯＦＤＭシンボル時間は長くなる。システムの効率を向上させるために、ＨＥ−ＳＴＦ以後のＧＩの長さは、ＨＥ−ＳＩＧ  ＡのＧＩの長さと同様に設定されることができる。
【０２７１】
ＨＥ−ＳＩＧ  Ａフィールドは、ＨＥ  ＳＴＡがＨＥ  ＰＰＤＵをデコーディングするために要求される情報を含むことができる。しかし、ＨＥ−ＳＩＧ  Ａフィールドは、レガシＳＴＡとＨＥ  ＳＴＡとを共に受信できるように、２０ＭＨｚチャネルで６４ＦＦＴを介して送信されることができる。これは、ＨＥ  ＳＴＡがＨＥフォーマットＰＰＤＵだけでなく、既存のＨＴ／ＶＨＴフォーマットＰＰＤＵを受信でき、レガシＳＴＡ及びＨＥ  ＳＴＡがＨＴ／ＶＨＴフォーマットＰＰＤＵとＨＥフォーマットＰＰＤＵとを区分しなければならないためである。
【０２７２】
図１４は、本発明の一実施形態に係るＨＥフォーマットＰＰＤＵを例示する図である。
【０２７３】
図１４では、２０ＭＨｚチャネルが各々互いに異なるＳＴＡ（例えば、ＳＴＡ１、ＳＴＡ２、ＳＴＡ３、及びＳＴＡ４）に割り当てられる場合を仮定する。
【０２７４】
図１４に示すように、単位周波数当たり、ＦＦＴサイズは、ＨＥ−ＳＴＦ（または、ＨＥ−ＳＩＧ  Ｂ）からさらに大きくなり得る。例えば、ＨＥ−ＳＴＦ（または、ＨＥ−ＳＩＧ  Ｂ）から２５６ＦＦＴが２０ＭＨｚチャネルで使用され、５１２ＦＦＴが４０ＭＨｚチャネルで使用され、１０２４ＦＦＴが８０ＭＨｚチャネルで使用されることができる。
【０２７５】
ＰＰＤＵに含まれる各フィールドで送信される情報は、前述した図１３の例示と同様なので、以下、説明を省略する。
【０２７６】
ＨＥ−ＳＩＧ  Ｂフィールドは、各ＳＴＡに特定した情報を含むことができるが、全体バンド（すなわち、ＨＥ−ＳＩＧ−Ａフィールドで指示）にわたってエンコーディングされることができる。すなわち、ＨＥ−ＳＩＧ  Ｂフィールドは、全てのＳＴＡに関する情報を含み、全てのＳＴＡが受信するようになる。
【０２７７】
ＨＥ−ＳＩＧ  Ｂフィールドは、各ＳＴＡ別に割り当てられる周波数帯域幅情報及び／又は当該周波数帯域でストリーム情報を知らせることができる。例えば、図１４においてＨＥ−ＳＩＧ−Ｂは、ＳＴＡ１が２０ＭＨｚ、ＳＴＡ２がその次の２０ＭＨｚ、ＳＴＡ３がその次の２０ＭＨｚ、ＳＴＡ４がその次の２０ＭＨｚとして割り当てられることができる。また、ＳＴＡ１とＳＴＡ２とは、４０ＭＨｚを割り当て、ＳＴＡ３とＳＴＡ４とは、その次の４０ＭＨｚを割り当てることができる。この場合、ＳＴＡ１とＳＴＡ２とは、互いに異なるストリームを割り当て、ＳＴＡ３とＳＴＡ４とは、互いに異なるストリームを割り当てることができる。
【０２７８】
また、ＨＥ−ＳＩＧ−Ｃフィールドを定義して、図１４の例示にＨＥ−ＳＩＧ  Ｃフィールドが追加され得る。この場合、ＨＥ−ＳＩＧ−Ｂフィールドでは、全帯域にわたって全てのＳＴＡに関する情報が送信され、各ＳＴＡに特定した制御情報は、ＨＥ−ＳＩＧ−Ｃフィールドを介して２０ＭＨｚ単位に送信されることができる。
【０２７９】
また、図１３及び図１４の例示とは異なり、ＨＥ−ＳＩＧ−Ｂフィールドは、全帯域にわたって送信せずに、ＨＥ−ＳＩＧ−Ａフィールドと同様に、２０ＭＨｚ単位に送信されることができる。これについて下記の図面を参照して説明する。
【０２８０】
図１５は、本発明の一実施形態に係るＨＥフォーマットＰＰＤＵを例示する図である。
【０２８１】
図１５では、２０ＭＨｚチャネルが各々互いに異なるＳＴＡ（例えば、ＳＴＡ１、ＳＴＡ２、ＳＴＡ３、及びＳＴＡ４）に割り当てられる場合を仮定する。
【０２８２】
図１５に示すように、ＨＥ−ＳＩＧ  Ｂフィールドは、全帯域にわたって送信されず、ＨＥ−ＳＩＧ  Ａフィールドと同様に、２０ＭＨｚ単位に送信される。ただし、このとき、ＨＥ−ＳＩＧ−Ｂは、ＨＥ−ＳＩＧ  Ａフィールドとは異なり、２０ＭＨｚ単位にエンコーディングされて送信されるが、２０ＭＨｚ単位に複製されて送信されないこともある。
【０２８３】
この場合、単位周波数当たり、ＦＦＴサイズは、ＨＥ−ＳＴＦ（または、ＨＥ−ＳＩＧ  Ｂ）からさらに大きくなり得る。例えば、ＨＥ−ＳＴＦ（または、ＨＥ−ＳＩＧ  Ｂ）から２５６ＦＦＴが２０ＭＨｚチャネルで使用され、５１２ＦＦＴが４０ＭＨｚチャネルで使用され、１０２４ＦＦＴが８０ＭＨｚチャネルで使用されることができる。
【０２８４】
ＰＰＤＵに含まれる各フィールドで送信される情報は、前述した図１３の例示と同様なので、以下、説明を省略する。
【０２８５】
ＨＥ−ＳＩＧ  Ａフィールドは、２０ＭＨｚ単位に複写されて（ｄｕｐｌｉｃａｔｅｄ）送信される。
【０２８６】
ＨＥ−ＳＩＧ  Ｂフィールドは、各ＳＴＡ別に割り当てられる周波数帯域幅情報及び／又は当該周波数帯域でストリーム情報を知らせることができる。ＨＥ−ＳＩＧ  Ｂフィールドは、各ＳＴＡに関する情報を含むので、２０ＭＨｚ単位の各ＨＥ−ＳＩＧ  Ｂフィールド別に各ＳＴＡに関する情報が含まれ得る。このとき、図１５の例示では、各ＳＴＡ別に２０ＭＨｚが割り当てられる場合を例示しているが、例えば、ＳＴＡに４０ＭＨｚが割り当てられる場合、２０ＭＨｚ単位にＨＥ−ＳＩＧ−Ｂフィールドが複写されて送信されることもできる。
【０２８７】
各ＢＳＳ別に互いに異なる帯域幅を支援する状況で、隣接したＢＳＳからの干渉レベルが少ない一部の帯域幅をＳＴＡに割り当てる場合に、上記のように、ＨＥ−ＳＩＧ−Ｂフィールドを全帯域にわたって送信しないことがより好ましい場合がある。
【０２８８】
図１２〜図１５においてデータフィールドは、ペイロード（ｐａｙｌｏａｄ）であって、サービスフィールド（ＳＥＲＶＩＣＥ  ｆｉｅｌｄ）、スクランブリングされたＰＳＤＵ、テールビット（ｔａｉｌ  ｂｉｔｓ）、パディングビット（ｐａｄｄｉｎｇ  ｂｉｔｓ）を含むことができる。
【０２８９】
一方、前述した図１２〜図１５のようなＨＥフォーマットＰＰＤＵは、Ｌ−ＳＩＧフィールドの繰り返しシンボルであるＲＬ−ＳＩＧ（Ｒｅｐｅａｔｅｄ  Ｌ−ＳＩＧ）フィールドを介して区分されることができる。ＲＬ−ＳＩＧフィールドは、ＨＥ  ＳＩＧ−Ａフィールドの前に挿入され、各ＳＴＡは、ＲＬ−ＳＩＧフィールドを用いて受信されたＰＰＤＵのフォーマットをＨＥフォーマットＰＰＤＵとして区分することができる。
【０２９０】
ＷＬＡＮシステムで動作するＡＰが同じ時間資源上で複数のＳＴＡにデータを送信する方式をＤＬ  ＭＵ送信（ｄｏｗｎｌｉｎｋ  ｍｕｌｔｉ−ｕｓｅｒ  ｔｒａｎｓｍｉｓｓｉｏｎ）と呼ぶことができる。逆に、ＷＬＡＮシステムで動作する複数のＳＴＡが同じ時間資源上でＡＰにデータを送信する方式をＵＬ  ＭＵ送信（ｕｐｌｉｎｋ  ｍｕｌｔｉ−ｕｓｅｒ  ｔｒａｎｓｍｉｓｓｉｏｎ）と呼ぶことができる。
【０２９１】
このようなＤＬ  ＭＵ送信またはＵＬ  ＭＵ送信は、周波数ドメイン（ｆｒｅｑｕｅｎｃｙ  ｄｏｍａｉｎ）または空間ドメイン（ｓｐａｔｉａｌ  ｄｏｍａｉｎ）上で多重化されることができる。
【０２９２】
周波数ドメイン上で多重化される場合、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）に基づいて複数のＳＴＡの各々に対して互いに異なる周波数資源（例えば、サブキャリアまたはトーン（ｔｏｎｅ））が下向きリンクまたは上向きリンク資源に割り当てられることができる。このような同じ時間資源で互いに異なる周波数資源を介しての送信方式を「ＤＬ／ＵＬ  ＯＦＤＭＡ送信」と呼ぶことができる。
【０２９３】
空間ドメイン（ｓｐａｔｉａｌ  ｄｏｍａｉｎ）上で多重化される場合、複数のＳＴＡの各々に対して互いに異なる空間ストリームが下向きリンクまたは上向きリンク資源に割り当てられることができる。このような同じ時間資源で互いに異なる空間的ストリームを介しての送信方式を「ＤＬ／ＵＬ  ＭＵ  ＭＩＭＯ」送信と呼ぶことができる。
【０２９４】
ＩＥＥＥ  ８０２．１１ａｘシステムは、既存の８０２．１１ａｃシステムに比べて４倍以上の平均スループット（ａｖｅｒａｇｅ  ｔｈｒｏｕｇｈｐｕｔ）増加を目標として種々の技術的な導入を考慮しており、そのうちの１つが４×ＦＦＴである。この構造では、既存のシステムに比べてサブキャリア間隔（ｓｕｂｃａｒｒｉｅｒ  ｓｐａｃｉｎｇ）が４分の１に減ってＣＦＯに敏感になるので、残余ＣＦＯ（ｒｅｓｉｄｕａｌ  ＣＦＯ）を適切な方式で補償しなければならない。
【０２９５】
また、８０２．１１ａｘでは、ＵＬ  ＭＵ  ＭＩＭＯ及びＵＬ  ＯＦＤＭＡの支援も考慮されているが、この状況では、既存の単一ユーザ（ｓｉｎｇｌｅ  ｕｓｅｒ）状況や下向きリンクＭＵ  ＭＩＭＯ状況とは異なり、ユーザ別に互いに異なるＣＦＯが受信端で混ざるので、パイロットを用いた既存のＣＦＯ推定（ｅｓｔｉｍａｔｉｏｎ）方式は、正確なユーザ別のＣＦＯ測定に困難がある。
【０２９６】
これを克服するために本発明では、ＵＬ  ＭＵ  ＭＩＭＯ及び／又はＵＬ  ＯＦＤＭＡ送信状況でチャネル推定（ｃｈａｎｎｅｌ  ｅｓｔｉｍａｔｉｏｎ）及びＣＦＯ測定を同時に行うことができる新しいＰ行列コーディングされたＬＴＦ（Ｐ  ｍａｔｒｉｘ  ｃｏｄｅｄ  ＬＴＦ）方式を提案する。
【０２９７】
また、既存のＰ行列活用の限界とチャネル相関（ｃｈａｎｎｅｌ  ｃｏｒｒｅｌａｔｉｏｎ）に従属的な限界を克服するための追加的な方式も提案する。１つは、付加的なＰ行列の定義無しで既存のＰ行列を用いて１１ａｘで考慮され得る全てのヌメロロジー（ｎｕｍｅｒｏｌｏｇｙ）を支援（ｃｏｖｅｒ）できる方式であり、さらに他の１つは、チャネル相関（ｃｈａｎｎｅｌ  ｃｏｒｒｅｌａｔｉｏｎ）影響を少なく受けつつ、支援できるユーザ数はそのまま維持できる方式である。
【０２９８】
以下、本発明の説明において、ユーザ（ｕｓｅｒ）という用語は、ＵＬ  ＭＵ  ＭＩＭＯ及び／又はＵＬ  ＯＦＤＭＡ送信に参加するＳＴＡを意味する。
【０２９９】
１．Ｐ行列コーディングＬＴＦ（Ｐ  ｍａｔｒｉｘ  ｃｏｄｅｄ  ＬＴＦ）方式
１−Ａ）ＨＥ−ＬＴＦシーケンス生成
既存のＰ行列を用いてユーザ別に直交（ｏｒｔｈｏｇｏｎａｌ）したＬＴＦシーケンスを生成することにより、周波数ドメイン（ｆｒｅｑｕｅｎｃｙ  ｄｏｍａｉｎ）でチャネル相関（ｃｈａｎｎｅｌ  ｃｏｒｒｅｌａｔｉｏｎ）が大きいという仮定下に、新しいＣＦＯ測定及びチャネル推定技法を次のように提案する。
【０３００】
以下、Ｐ行列コーディングされたＬＴＦ（Ｐ  ｍａｔｒｉｘ  ｃｏｄｅｄ  ＬＴＦ）方式によってＣＦＯ及びチャネルを推定する方法を説明するにあって、説明の都合上、ＵＬ  ＭＵ  ＭＩＭＯ及び／又はＵＬ  ＯＦＤＭＡ送信に参加するユーザ数が２であると仮定し、Ｐ行列は、前述した数式２で例示されたＰ＿４×４行列を再利用する場合を仮定して説明する。また、各ユーザが１つのストリームを割り当られた場合を仮定して説明する。
【０３０１】
ただし、本発明がこれに限定されるものではなく、ＵＬ  ＭＵ  ＭＩＭＯ及び／又はＵＬ  ＯＦＤＭＡ送信にこれと相違した数のユーザが参加することもできる。また、既存に定義されたＰ行列でない、各行（ｒｏｗ）別に直交（ｏｒｔｈｏｇｏｎａｌ）する新しいＰ行列が定義されて用いられることもできる。また、各ユーザ別に１つ以上のストリームを割り当てられる場合にも本発明が同様に適用され得る。
【０３０２】
図１６は、本発明の一実施形態に係るＨＥ−ＬＴＦシーケンスを生成する方法を例示する。
【０３０３】
図１６においてＬ＿ｉ（すなわち、Ｌ＿１、Ｌ＿２、Ｌ＿３、．．．）は、予め定義された共通のＨＥ−ＬＴＦシーケンスを示す。ｉは、ＨＥ−ＬＴＦがマッピングされるサブキャリアインデックスを示す。
【０３０４】
ｓ＿ｉ（ｋ）（すなわち、ｓ＿１（ｋ）、ｓ＿２（ｋ）、ｓ＿３（ｋ）、．．．）は、ストリームｋに対するスクランブルされたＨＥ−ＬＴＦシーケンスを示す。ここで、ｋは、ストリームインデックスを示し、ｉは、ＨＥ−ＬＴＦがマッピングされるサブキャリアインデックスを示す。
【０３０５】
予め定義された共通のＨＥ−ＬＴＦシーケンス（Ｌ＿ｉ）を各ストリーム別にＰ行列の互いに異なる行（ｒｏｗ）（すなわち、Ｐ行列コード）を用いてスクランブル（ｓｃｒａｍｂｌｅ）する。
【０３０６】
より具体的に、各ストリーム別に予め定義された共通のＨＥ−ＬＴＦシーケンスのＮ＿ｆ個（例えば、４等）のサブ−シーケンス（ｓｕｂ−ｓｅｑｕｅｎｃｅ）単位にＰ行列の互いに異なる行（ｒｏｗ）の行列要素（ｍａｔｒｉｘ  ｅｌｅｍｅｎｔ）をかける。すなわち、サブ−シーケンスに属するシーケンス要素とＰ行列の特定行を構成する行列要素とが順にかけられる。
【０３０７】
このように、スクランブルされたＨＥ−ＬＴＦシーケンス（ｓ＿ｉ）は、Ｎ＿ｆ個（例えば、４等）の連続的なエントリー（ｅｎｔｒｙ）のサブ−シーケンス（ｓｕｂ−ｓｅｑｕｅｎｃｅ）単位に各ストリーム別に直交（ｏｒｔｈｏｇｏｎａｌ）する。すなわち、各ストリーム別にスクランブルされたＨＥ−ＬＴＦシーケンスは、区分的に直交（ｐｉｅｃｅｗｉｓｅ  ｏｒｔｈｏｇｏｎａｌ）する。
【０３０８】
図１６に示すように、ストリーム１の場合、予め定義された共通のＨＥ−ＬＴＦシーケンスにＰ行列の１番目の行の行列要素（ｍａｔｒｉｘ  ｅｌｅｍｅｎｔ）がかけられて（スクランブルされた）、ＨＥ−ＬＴＦシーケンス（すなわち、ＨＥ−ＬＴＦシーケンス１）が生成される。ストリーム２の場合、ＨＥ−ＬＴＦシーケンスにＰ行列の２番目の行の要素がかけられて（スクランブルされた）、ＨＥ−ＬＴＦシーケンス（すなわち、ＨＥ−ＬＴＦシーケンス２）が生成される。
【０３０９】
具体的に説明すれば、ストリーム１の場合、１番目のＨＥ−ＬＴＦシーケンス要素Ｌ＿１にＰ行列の１番目の行（ｒｏｗ）の１番目の行列要素（すなわち、１）がかけられ、２番目のＨＥ−ＬＴＦシーケンス要素Ｌ＿２にＰ行列の１番目の行（ｒｏｗ）の２番目の行列要素（すなわち、−１）がかけられ、３番目のＨＥ−ＬＴＦシーケンス要素Ｌ＿３にＰ行列の１番目の行（ｒｏｗ）の３番目の行列要素（すなわち、１）がかけられ、４番目のＨＥ−ＬＴＦシーケンスＬ＿１にＰ行列の４番目の行（ｒｏｗ）の１番目の行列要素（すなわち、１）がかけられる。そして、残りのＨＥ−ＬＴＦシーケンスに対しても４個のシーケンス単位に（すなわち、Ｌ＿５〜Ｌ＿８、Ｌ＿９〜Ｌ＿１２、Ｌ＿１３〜Ｌ＿１６、．．．）、上記の過程を繰り返すことにより（スクランブルされた）、ＨＥ−ＬＴＦシーケンス１（ｓ＿ｉ（１））が生成される。
【０３１０】
そして、ストリーム２の場合も、Ｐ行列の２番目の行（ｒｏｗ）を用いて上記の過程を同様に進行することにより（スクランブルされた）、ＨＥ−ＬＴＦシーケンス２（ｓ＿ｉ（２））が生成される。
【０３１１】
上記のような方法により生成されたＨＥ−ＬＴＦシーケンスは、４サブ−シーケンス単位に各ストリーム別に直交（ｏｒｔｈｏｇｏｎａｌ）する。すなわち、ＨＥ−ＬＴＦシーケンス１とＨＥ−ＬＴＦシーケンス２とは、４サブ−シーケンス単位に直交（ｏｒｔｈｏｇｏｎａｌ）する。
【０３１２】
したがって、ＵＬ  ＭＵ  ＭＩＭＯ及び／又はＵＬ  ＯＦＤＭＡ送信の場合、各ストリーム別に互いに異なるＨＥ−ＬＴＦシーケンスを送信するようになる。
【０３１３】
１−Ｂ）時間領域（ｔｉｍｅ  ｄｏｍａｉｎ）でＰ行列エンコーディング（ｅｎｃｏｄｉｎｇ）
選択的に時間領域（ｔｉｍｅ  ｄｏｍａｉｎ）でも直交性（ｏｒｔｈｏｇｏｎａｌ）を維持するために、前述した１−Ａ）方法により生成されたＨＥ−ＬＴＦシーケンスにＰ行列エンコーディング（ｅｎｃｏｄｉｎｇ）がさらに適用され得る。これについて、下記の図面を参照して説明する。
【０３１４】
図１７は、本発明の一実施形態に係るＨＥ−ＬＴＦフィールドを構成する方法を例示する。
【０３１５】
図１７においてｃ＿ｊ（ｋ）（すなわち、ｃ＿１（ｋ）、ｃ＿２（ｋ）、ｃ＿３（ｋ）、．．．）は、ストリームｋに対応するＰ行列の行（ｒｏｗ）（すなわち、Ｐ行列コード）を示す。ここで、ｋは、ストリームインデックスを示し、ｊは、シンボルインデックスを示す。
【０３１６】
スクランブルされたＨＥ−ＬＴＦシーケンスは、１つ以上のシンボルのサブキャリアにマッピングされて送信されることができ、このとき、スクランブルされたＨＥ−ＬＴＦシーケンスが送信（若しくは、マッピング）されるシンボル（以下、「ＨＥ−ＬＴＦシンボル」と称する）の数は、ＵＬ  ＭＵ  ＭＩＭＯ送信に割り当てられたストリーム数により決定されることができる。
【０３１７】
Ｐ行列の１つの行（ｒｏｗ）（例えば、ストリームｋに対応する行（ｒｏｗ））に属する各行列要素（ｍａｔｒｉｘ  ｅｌｅｍｅｎｔ）が順に各シンボルで送信されるＨＥ−ＬＴＦシーケンスにかけられる。すなわち、各ストリーム別にＨＥ−ＬＴＦシンボルのデータトーン（すなわち、ＨＥ−ＬＴＦシーケンスがマッピングされるトーン）にＰ行列の互いに異なる行（ｒｏｗ）がかけられる。
【０３１８】
すなわち、１番目のＨＥ−ＬＴＦシンボルで送信されるスクランブルされたＨＥ−ＬＴＦシーケンス（ｓ＿ｉ（ｋ））にＰ行列の特定行（ｒｏｗ）の１番目の行列要素（すなわち、ｃ＿１（ｋ））がかけられ、２番目のＨＥ−ＬＴＦシンボルで送信されるスクランブルされたＨＥ−ＬＴＦシーケンス（ｓ＿ｉ（ｋ））にＰ行列の特定行（ｒｏｗ）の２番目の行列要素（すなわち、ｃ＿２（ｋ））がかけられ、３番目のＨＥ−ＬＴＦシンボルで送信されるスクランブルされたＨＥ−ＬＴＦシーケンス（ｓ＿ｉ（ｋ））にＰ行列の特定行（ｒｏｗ）の３番目の行列要素（すなわち、ｃ＿３（ｋ））がかけられ、４番目のＨＥ−ＬＴＦシンボルで送信されるスクランブルされたＨＥ−ＬＴＦシーケンス（ｓ＿ｉ（ｋ））にＰ行列の特定行（ｒｏｗ）の４番目の行列要素（すなわち、ｃ＿４（ｋ））がかけられる。
【０３１９】
図１７に示すように、Ｐ行列の３番目の行（ｒｏｗ）の１番目の行列要素（すなわち、１）は、１番目のＨＥ−ＬＴＦシンボルにマッピングされるスクランブルされたＨＥ−ＬＴＦシーケンスにかけられ、Ｐ行列の３番目の行（ｒｏｗ）の２番目の行列要素（すなわち、１）は、２番目のＨＥ−ＬＴＦシンボルにマッピングされるスクランブルされたＨＥ−ＬＴＦシーケンスにかけられ、Ｐ行列の３番目の行（ｒｏｗ）の３番目の行列要素（すなわち、１）は、３番目のＨＥ−ＬＴＦシンボルにマッピングされるスクランブルされたＨＥ−ＬＴＦシーケンスにかけられ、Ｐ行列の３番目の行（ｒｏｗ）の４番目の行列要素（すなわち、−１）は、４番目のＨＥ−ＬＴＦシンボルにマッピングされるスクランブルされたＨＥ−ＬＴＦシーケンスにかけられる。
【０３２０】
前述した図１６の例示のように、各ストリーム別にＰ行列の互いに異なる行（ｒｏｗ）をＨＥ−ＬＴＦシーケンスのサブ−シーケンス単位にかけることにより、各ストリーム別の周波数領域（ｆｒｅｑｕｅｎｃｙ  ｄｏｍａｉｎ）で直交性（ｏｒｔｈｏｇｏｎａｌｉｔｙ）を維持できる。
【０３２１】
また、上記のように、スクランブルされたＨＥ−ＬＴＦシーケンスが送信されるＨＥ−ＬＴＦシンボルは、ＵＬ  ＭＵ送信に割り当てられたストリーム数によって決定されるが、図１７の例示のように、各ストリーム別にＰ行列の互いに異なる行（ｒｏｗ）を各ＨＥ−ＬＴＦシンボルにマッピングされるスクランブルされたＨＥ−ＬＴＦシーケンスにかけることにより、各ストリーム別に時間領域（ｔｉｍｅ  ｄｏｍａｉｎ）で直交性（ｏｒｔｈｏｇｏｎａｌｉｔｙ）を維持できる。
【０３２２】
１−Ｃ）ＣＦＯ及びチャネル推定
以下、受信端（すなわち、ＵＬ  ＭＵ  ＭＩＭＯ及び／又はＵＬ  ＯＦＤＭＡ送信の場合のＡＰ）で受信したＨＥ−ＬＴＦを用いてＣＦＯ及びチャネルを推定する方法を説明する。
【０３２３】
総Ｋ個のストリーム（すなわち、ストリームインデックスｋ（１≦ｋ≦Ｋ））に対するＰ行列コードを表すと、下記の数式５のとおりである。
【０３２４】
【数５】
0006753858.tif 000014
【０３２５】
数式５では、上述したように、Ｐ＿４×４行列である場合を仮定したので、各Ｐ行列コードが１×４行列や、Ｐ行列がＫ×Ｋ行列である場合、各ストリームに対するＰ行列コードは、１×Ｋ行列で構成されることもできる。
【０３２６】
前述した図１７の例示のように、ＨＥ−ＬＴＦが送信される場合、受信端においてＮ＿ｆ個（例えば、４等）のサブキャリア及びＮ＿ｐ個のシンボル（すなわち、ＨＥ−ＬＴＦシンボル）でストリーム１で受信した信号（Ｙ（１））は、下記の数式６のように表すことができる。
【０３２７】
【数６】
0006753858.tif 000015
【０３２８】
数式６においてｈ＿ｉ（ｋ）（すなわち、ｈ＿１（ｋ）、ｈ＿２（ｋ）、ｈ＿３（ｋ）、．．．）は、送信端から受信端に経るチャネルを表す。
【０３２９】
そして、ｊθ（ｋ）（すなわち、θ（ｋ）、２θ（ｋ）、３θ（ｋ）、．．．）は、各ＨＥ−ＬＴＦシンボルで受信した信号の位相を表す。ここで、ｊθ（ｋ）は、数式６で複素数を表現するｊを除いて表現したものであって、ここで、ｊは、シンボルインデックスを表す。すなわち、時間領域において２番目のＨＥ−ＬＴＦシンボルでは、１番目のＨＥ−ＬＴＦシンボルでのＣＦＯが２倍に増加され、３番目のＨＥ−ＬＴＦシンボルでは、１番目のＨＥ−ＬＴＦシンボルでのＣＦＯが３倍に増加される。
【０３３０】
すなわち、送信端で送信した信号は、チャネルを経て受信端に送信され、シンボル別に位相差が発生されるので、ストリーム１で受信した信号Ｙ（１）は、チャネルｈ（１）、スクランブルされたＨＥ−ＬＴＦシーケンスＳ（１）、Ｐ行列コードＣ（１）、位相［ｅ＾ｊθ（１）、ｅ＾ｊ２θ（１）、．．．、ｅ＾ｊＮ＿ｐθ（１）］の積で表現されることができる。
【０３３１】
ここで、チャネル対角行列（ｄｉａｇ（ｈ（１））は、Ｎ＿ｆ×Ｎ＿ｆ行列、ｓ（１）は、Ｎ＿ｆ×１行列、ｃ（１）は、１×Ｎ＿ｐ行列、位相対角行列（［ｅ＾ｊθ（１）、ｅ＾ｊ２θ（１）、．．．、ｅ＾ｊＮ＿ｐθ（１）］）は、Ｎ＿ｐ×Ｎ＿ｐ行列で表現されることができる。したがって、受信端においてストリーム１で受信した信号（Ｙ（１））は、Ｎ＿ｆ×Ｎ＿Ｐ行列で表現されることができる。すなわち、数式６において行（ｒｏｗ）方向は、時間軸を意味し、列（ｃｏｌｕｍｎ）方向は、周波数軸を表す。
【０３３２】
総Ｋ個のストリームで受信した信号を結合（ｓｕｐｅｒｉｍｐｏｓｅｄ）すれば、下記の数式７のとおりである。
【０３３３】
【数７】
0006753858.tif 000016
【０３３４】
図１８は、本発明の一実施形態に係るＣＦＯ推定方法を例示する図である。
【０３３５】
図１８に示すように、前述した図１６の説明のように、連続したＮ＿ｆ個のサブキャリア単位にＨＥ−ＬＴＦシーケンスに互いに異なるＰ行列コードがかけられてスクランブルされるので、Ｎ＿ｆ個のサブキャリア単位に各ストリームのＨＥ−ＬＴＦシーケンスは、相互間に直交シーケンス（ｏｒｔｈｏｇｏｎａｌ  ｓｅｑｕｅｎｃｅ）で構成される。
【０３３６】
全てのＮ＿ｆ個（例えば、４等）の連続的なサブキャリアでのチャネルは、概略的に同一（ｒｏｕｇｈｌｙ  ｕｎｃｈａｎｇｅｄ）（すなわち、相関された（ｃｏｒｒｅｌａｔｅｄ））でありうる。したがって、受信端では、上記のように、全てのＮ＿ｆ個（例えば、４等）の連続的なサブキャリアでのチャネル相関（ｃｈａｎｎｅｌ  ｃｏｒｒｅｌａｔｉｏｎ）が高いという仮定下に、ＨＥ−ＬＴＦが送信される各ＨＥ−ＬＴＦシンボルでチャネルを推定できる。
【０３３７】
それに対し、ＣＦＯのため、時間領域ではチャネルが様々に変化することができる。したがって、受信端では、ＨＥ−ＬＴＦシンボルで送信された信号（すなわち、ＨＥ−ＬＴＦシーケンス）の位相差をチェックしてＣＦＯを推定する。
【０３３８】
これについてより具体的に説明すれば、まず、受信端では、各ストリーム別にＨＥ−ＬＴＦシンボルｔでＮ＿ｆ個の連続的なサブキャリアを介して受信した信号でスクランブルされたＨＥ−ＬＴＦシーケンス及びＰ行列コードを除去する。
【０３３９】
ストリーム１について説明すれば、受信端では、下記の数式８のように、ＨＥ−ＬＴＦシンボルｔでＮ＿ｆ個の連続的なサブキャリアを介して受信したストリーム１の信号Ｙ（１）でＨＥ−ＬＴＦシーケンス及びＰ行列コードを除去する。
【０３４０】
【数８】
0006753858.tif 000017
【０３４１】
数式８においてｃ＊＿ｔ（ｋ）は、ストリームｋに対するＰ行列コードの共役転置行列（ｃｏｎｊｕｇａｔｅ  ｔｒａｎｓｐｏｓｅ  ｍａｔｒｉｘ）（ｋは、ストリームインデックス）を表し、ｓ＾Ｈ（ｋ）は、ストリームｋに対するスクランブルされたＨＥ−ＬＴＦシーケンスの転置行列（ｔｒａｎｓｐｏｓｅ  ｍａｔｒｉｘ）（ｋは、ストリームインデックス）を表す。
【０３４２】
数式８においてＮ＿ｆサブキャリアにわたって、チャネルが高い相関性を有すると仮定すれば、下記の数式９のように計算される。
【０３４３】
【数９】
0006753858.tif 000018
【０３４４】
数式９において各ストリーム別にスクランブルされたＨＥ−ＬＴＦシーケンスは、Ｎ＿ｆ個のサブキャリア単位に直交（ｏｒｔｈｏｇｏｎａｌ）するので、Ｓ＾Ｈ（１）×ｓ（ｋ）（ｋ≠１）の結果は「０」であり、ストリーム１以外の他の全てのストリームでの信号成分が除去される。
【０３４５】
上記の方法を各ストリームで受信した信号に対して同様に行えば、特定ＨＥ−ＬＴＦシンボルで当該ストリーム以外の他の全てのストリームで送信される信号成分を除去できる。
【０３４６】
そして、受信端は、各ＨＥ−ＬＴＦシンボル別に下記の数式１０のように、特定ＨＥ−ＬＴＦシンボルで位相回転（ｐｈａｓｅ  ｒｏｔａｔｉｏｎ）を導き出すことができる。
【０３４７】
【数１０】
0006753858.tif 000019
【０３４８】
そして、ＣＦＯは、上記の数式１０から導き出された値に基づいて、下記の数式１１のように、ＨＥ−ＬＴＦシンボル間の位相差（ｐｈａｓｅ  ｄｉｆｆｅｒｅｎｃｅ）から推定されることができる。
【０３４９】
【数１１】
0006753858.tif 000020
【０３５０】
数式１１から導き出されたＨＥ−ＬＴＦシンボル間の位相差（ｐｈａｓｅ  ｄｉｆｆｅｒｅｎｃｅ）に基づいて、下記の数式１２のように、ＣＦＯ修正項（ｃｏｒｒｅｃｔｉｏｎ  ｔｅｒｍ）が導き出される。
【０３５１】
【数１２】
0006753858.tif 000021
【０３５２】
すなわち、受信端では、数式１２のように、各ストリーム別にＣＦＯ推定値を導き出す。
【０３５３】
また、数式１２から導き出された値を前述した数式９に適用すれば、受信端は、各ストリームに対して各ＨＥ−ＬＴＦシンボル別にチャネルを推定（すなわち、チャネル推定値
【数１３】
0006753858.tif 000022
導出）することができる。
【０３５４】
２．既存のＰ行列を再使用しつつ、全てのヌメロロジー（ｎｕｍｅｒｏｌｏｇｙ）（すなわち、使用可能トーン数）をカバー（ｃｏｖｅｒ）するための方式
前述した１−Ａ）方式の問題点は、既存のＰ行列を活用する場合、Ｎ＿ｆ値が２、４、６、または８でなければならないという点である。
【０３５５】
ただし、上記の値だけで追加的な方式に関する考慮無しで８０２．１１ａｘで考慮中の帯域幅毎に、若しくはＯＦＤＭＡヌメロロジー毎に互いに異なる使用可能なトーン数を全てカバーすることができない。例えば、４０ＭＨｚで予想される使用可能なトーン数は、４８４個であるが、既存のＰ行列を再使用する場合、Ｎ＿ｆが２または４である場合にのみ可能であり、６や８である場合は、割り切れない。したがって、Ｐ行列が適用され得ない残りのトーンには、どの方式を適用するかに対する新しい技術的接近が必要である。
【０３５６】
Ｎ＿ｆが２または４という意味は、ＭＵ送信のために支援可能なユーザ数（若しくは、ストリーム数）が最大２または４のみ可能であるという意味であり、１１ａｘで考慮され得る８以上のユーザ（若しくは、ストリーム）を支援するためには、長さが８を超過する（例えば、１１等）新しいＰ行列の定義が必要である。
【０３５７】
しかし、新しいＰ行列の定義は、オーバーヘッド（ｏｖｅｒｈｅａｄ）と作用することができ、例えば、長さが１１だけでない、１１ａｘで考慮することができる全てのヌメロロジーをカバーするために様々な長さのＰ行列を定義しなければならないので、１番の方式は大きな長所を有することができない。したがって、新しいＰ行列の定義無しで既存のＰ行列を用いて全てのヌメロロジーをカバーできる方式を下記のように提案する。
【０３５８】
２−Ａ）残りのトーンを除いた後、１−Ａ）番の方式を適用
使用可能なトーン（または、サブキャリア）／Ｎ＿ｆの残りをｒとすれば、受信端では、ｒ個のトーンは除き、前述した１−Ａ）番の方式を適用してＨＥ−ＬＴＦシーケンスを生成できる。そして、選択的に１−Ｂ）番の方式を適用でき、１−Ｃ）番の方式を利用してＣＦＯ測定及びチャネル推定を行うことができる。ここで、使用可能なトーンは、当該ユーザに割り当てられた周波数領域でＨＥ−ＬＴＦシーケンスがマッピングされ得るサブキャリアを意味する。
【０３５９】
そして、ここで除外されたトーンのチャネル係数（ｃｈａｎｎｅｌ  ｃｏｅｆｆｉｃｉｅｎｔ）は、周辺トーンのチャネル状態を利用して計算（例えば、補間法（ｉｎｔｅｒｐｏｌａｔｉｏｎ）、補外法（ｅｘｔｒａｐｏｌａｔｉｏｎ）等を利用）することができる。
【０３６０】
このとき、除外するトーンの位置は、どの位置に位置しても関係ない。ただし、当該ユーザに割り当てられた周波数領域で一端に位置することに比べて、１−Ａ）番の方式が適用されるトン間に位置することが、除かれたトーンのチャネル推定の際、周辺トーンのチャネルの活用度を高めることができ、除かれたトーンのチャネル推定にさらに信頼性のある（ｒｅｌｉａｂｌｅ）結果を得ることができる。
【０３６１】
図１９は、本発明の一実施形態に係るＨＥ−ＬＴＦシーケンス生成方法を例示する図である。
【０３６２】
図１９では、Ｎ＿ｆが４であり、ＵＬ  ＭＵ送信に参加するユーザが２名であり、使用可能なトーン（または、サブキャリア）が２６であるときを仮定する。また、Ｐ＿４×４が適用されないトーンが周波数領域で一番最後に位置する場合を仮定する。
【０３６３】
図１９に示すように、前述した図１６のように、各ストリーム別にＨＥ−ＬＴＦシーケンスにＮ＿ｆ個（例えば、４等）のサブ−シーケンス（ｓｕｂ−ｓｅｑｕｅｎｃｅ）単位にＰ行列の互いに異なる行（ｒｏｗ）の行列要素（ｍａｔｒｉｘ  ｅｌｅｍｅｎｔ）をかける。
【０３６４】
そして、残ったトーンがＰ行列の長さ（すなわち、Ｐ行列の行（ｃｏｌｕｍｎ）サイズ）（図１９の場合、「４」）より小さい場合、残ったＨＥ−ＬＴＦシーケンス１９０１（すなわち、Ｌ＿２５、Ｌ＿２６）にはＰ行列をかけない。
【０３６５】
そして、各ユーザは、上記のように生成されたＨＥ−ＬＴＦシーケンスをＨＥ−ＬＴＦシンボルのサブキャリアにマッピングする。そして、ＵＬ  ＭＵ送信ストリーム数によって決定された個数のＨＥ−ＬＴＦシンボルで（図１９の場合、４個のシンボル）ＨＥ−ＬＴＦシーケンスを送信する。
【０３６６】
ここで、選択的に前述した１−Ｂ）の方式のように、時間領域での直交性（ｏｒｔｈｏｇｏｎａｌｉｔｙ）を維持するために、追加的に各ストリーム別にＰ行列の互いに異なる行（ｒｏｗ）が各ＨＥ−ＬＴＦシンボルのデータトーンにかけられることができる。
【０３６７】
受信端では、Ｐ行列コードがかけられたＨＥ−ＬＴＦシーケンスがマッピングされたトーン（図１９においてＬ＿１ないしＬ＿２４）では、前述した１−Ｃ）番の方式を適用してＣＦＯ測定及びチャネル推定を行うことができる。
【０３６８】
ただし、Ｐ行列コードがかけられなかったＨＥ−ＬＴＦシーケンスがマッピングされたトーン１９０１（すなわち、Ｌ＿２５、Ｌ＿２６）でのチャネル推定は、Ｐ行列コードがかけられたＨＥ−ＬＴＦシーケンスがマッピングされたトーンのチャネル状態を利用して計算することができる。
【０３６９】
一例として、下記の数式１３のように、線形演算（ｌｉｎｅａｒ  ｏｐｅｒａｔｉｏｎ）を適用して計算することができる。
【０３７０】
〔数式１３〕
【数１４】
0006753858.tif 000023
【０３７１】
数式１３においてｈは、求めようとするチャネル状態（すなわち、Ｐ行列コードがかけられなかったトーンでのチャネル推定値）を表す。ｉは、トーンインデックス（すなわち、ｉは、Ｐ行列コードがかけられたＨＥ−ＬＴＦシーケンスがマッピングされたトーンのインデックス）を表す。ｗ＿ｉ及びｈ＿ｉは、各々ｉ番目のトーンでの加重値（ｗｅｉｇｈ）とチャネル状態（すなわち、チャネル推定値）を表す。
【０３７２】
ここで、加重値は、隣接したトーンであるほど、相関（ｃｏｒｒｅｌａｔｉｏｎ）が大きいので、より大きい値に設定することができる。
【０３７３】
さらに他の例として、下記の場合に対しても、この方式を同様に適用することができる。下記において各トーン数は、１１ａｘで考慮されているＯＦＤＭＡ方式で使用され得るトーン数を例示する。また、下記の例示は、１１ａｘで考慮される既存の１１ａｃに比べて長さが２倍若しくは４倍長い２×、４×  ＨＥ−ＬＴＦのうち、４×  ＨＥ−ＬＴＦを使用する場合であり、２×  ＨＥ−ＬＴＦ使用時には変わることができる。
【０３７４】
・５２トーンの場合、長さが６、８であるＰ行列適用時
・１０６トーンの場合、長さが４、６、８であるＰ行列適用時
・１０７トーンの場合、長さが２、４、６、８であるＰ行列適用時
・１０８トーンの場合、長さが８であるＰ行列適用時
・２４２トーンの場合、長さが４、６、８であるＰ行列適用時
・４８４トーンの場合、長さが６、８であるＰ行列適用時
・９９４トーンの場合、長さが４、６、８であるＰ行列適用時
・９９６トーンの場合、長さが８であるＰ行列適用時
【０３７５】
２−Ｂ）残りのｔｏｎｅに他の長さのＰ  ｍａｔｒｉｘ使用後、１−Ａ）番の方式適用
使用可能なトーン（または、サブキャリア）／Ｎ＿ｆの残りをｒとすれば、受信端では、ｒ個のトーン以外のトーンで１−Ａ）番の方式を適用してＨＥ−ＬＴＦシーケンスを生成できる。そして、ｒ個のトーンでは、ｒの分だけのサイズに合うＰ行列を使用して、１−Ａ）番の方式を適用してＣＦＯ測定及びチャネル推定を行う。
【０３７６】
そして、選択的に１−Ｂ）番の方式を適用でき、１−Ｃ）番の方式を利用してＣＦＯ測定及びチャネル推定を行うことができる。
【０３７７】
図２０は、本発明の一実施形態に係るＨＥ−ＬＴＦ生成方法を例示する図である。
【０３７８】
図２０では、Ｎ＿ｆが４であり、ＵＬ  ＭＵ送信に参加するユーザが２名であり、使用可能なトーン（または、サブキャリア）が２６であるときを仮定する。また、Ｐ＿４×４が適用されないトーンが周波数領域で一番最後に位置する場合を仮定する。
【０３７９】
図２０に示すように、前述した図１６のように、各ストリーム別にＨＥ−ＬＴＦシーケンスにＮ＿ｆ個（例えば、４等）のサブ−シーケンス（ｓｕｂ−ｓｅｑｕｅｎｃｅ）単位にＰ行列の互いに異なる行（ｒｏｗ）の行列要素（ｍａｔｒｉｘ  ｅｌｅｍｅｎｔ）をかける。
【０３８０】
そして、残ったトーンがＰ行列の長さ（すなわち、Ｐ行列の行（ｃｏｌｕｍｎ）サイズ）（図２０の場合、「４」）より小さい場合、残ったＨＥ−ＬＴＦシーケンス要素２００１（すなわち、Ｌ＿２５、Ｌ＿２６）には、残ったトーン数と同じ長さのＰ行列をかける。すなわち、図２０の場合、２個のトーンが残ったので、Ｐ＿２×２の行（ｒｏｗ）をかけてＨＥ−ＬＴＦシーケンスを生成する。
【０３８１】
このとき、残りのトーン（すなわち、ｒ個のトーン）は、適用されるＰ行列の長さの分だけ常に付いて位置しなければならない（Ｐ行列の長さの分だけ付いているならば、どの位置でも関係ない）。そして、ＵＬ  ＭＵ送信に参加するユーザ数は、ＨＥ−ＬＴＦシーケンス生成のために適用されるＰ行列の最も小さい長さ以下（前述した図２０の例示において２以下）の分だけ支援されることができる。
【０３８２】
そして、各ユーザは、上記のように生成されたＨＥ−ＬＴＦシーケンスをＨＥ−ＬＴＦシンボルのサブキャリアにマッピングする。ここで、ＵＬ  ＭＵ送信ストリーム数によって決定された個数のＨＥ−ＬＴＦシンボルで（図２０の場合、２個のシンボル）ＨＥ−ＬＴＦシーケンスを送信する。
【０３８３】
ここで、選択的に前述した１−Ｂ）方式のように、時間領域での直交性（ｏｒｔｈｏｇｏｎａｌｉｔｙ）を維持するために、追加的に各ストリーム別にＰ行列の互いに異なる行（ｒｏｗ）が各ＨＥ−ＬＴＦシンボルのデータトーンにかけられることができる。
【０３８４】
受信端では、ＨＥ−ＬＴＦシーケンスにかけられたＰ行列の長さによって前述した１−Ｃ）番の方式を適用してＣＦＯ測定及びチャネル推定を行うことができる。すなわち、Ｌ＿１ないしＬ＿２４に対してはＰ＿４×４が適用されたので、４個のトーン単位にチャネル相関（ｃｏｒｒｅｌａｔｉｏｎ）が高いと仮定してＣＦＯ測定及びチャネル推定を行い、Ｌ＿２５及びＬ＿２６に対してはＰ＿２×２が適用されたので、２個のトーン単位にチャネル相関（ｃｏｒｒｅｌａｔｉｏｎ）が高いと仮定してＣＦＯ測定及びチャネル推定を行うことができる。
【０３８５】
一例として、下記の場合に対してこの方式を適用できる。下記において各トーン数は、１１ａｘで考慮されているＯＦＤＭＡ方式で使用され得るトーン数を例示する。下記の場合も１１ａｘで考慮される既存の１１ａｃに比べて長さが２倍若しくは４倍長い２×、４×  ＨＥ−ＬＴＦのうち、４×  ＨＥ−ＬＴＦを仮定した状況である。
【０３８６】
・２６トーンの場合、長さが４、６、８であるＰ行列適用時、残りのトーンに長さが２であるＰ行列を適用できる。ただし、このとき、ユーザ数は、２以下でなければならない。
【０３８７】
・５２トーンの場合、長さが６、８であるＰ行列適用時、残りのトーンに長さが２または４であるＰ行列を適用できる。ただし、このとき、ユーザ数は、それぞれの場合、２または４以下でなければならない。
【０３８８】
・１０６トーンの場合、長さが４、８であるＰ行列適用時、残りのトーンに長さが２であるＰ行列を適用できる。ただし、このとき、ユーザ数は、２以下でなければならない。
【０３８９】
・１０６トーンの場合、長さが６であるＰ行列適用時、残りのトーンに長さが２または４であるＰ行列を適用できる。ただし、このとき、ユーザ数は、それぞれの場合、２または４以下でなければならない。
【０３９０】
・１０８トーンの場合、長さが８であるＰ行列適用時、残りのトーンに長さが２または４であるＰ行列を適用できる。ただし、このとき、ユーザ数は、それぞれの場合、２または４以下でなければならない。
【０３９１】
・２４２トーンの場合、長さが４、６、８であるＰ行列適用時、残りのトーンに長さが２であるＰ行列を適用できる。ただし、このとき、ユーザ数は、２以下でなければならない。
【０３９２】
・４８４トーンの場合、長さが６、８であるＰ行列適用時、残りのトーンに長さが２または４であるＰ行列を適用できる。ただし、このとき、ユーザ数は、それぞれの場合、２または４以下でなければならない。
【０３９３】
・９９４トーンの場合、長さが４、８であるＰ行列適用時、残りのトーンに長さが２であるＰ行列を適用できる。ただし、このとき、ユーザ数は、２以下でなければならない。
【０３９４】
・９９４トーンの場合、長さが６であるＰ行列適用時、残りのトーンに長さが２または４であるＰ行列を適用できる。ただし、このとき、ユーザ数は、それぞれの場合、２または４以下でなければならない。
【０３９５】
・９９６トーンの場合、長さが８であるＰ行列適用時、残りのトーンに長さが２または４であるＰ行列を適用できる。ただし、このとき、ユーザ数は、それぞれの場合、２または４以下でなければならない。
【０３９６】
ただし、このとき、残ったｒ個のトーンに適用されるＰ行列の長さによってＵＬ  ＭＵ送信に対して支援されるユーザ数が制限されるしかないので、上記とは異なり、使用可能なトーン（または、サブキャリア）／Ｎ＿ｆの残りが「０」であるＰ行列を全てのトーンに対して用いることもできる。例えば、２６トーンの場合、全てのトーンに対してＨＥ−ＬＴＦシーケンスに長さが２であるＰ行列を適用できる。他のトーンの場合にも、このような方式が適用され得る。
【０３９７】
２−Ｃ）様々な長さのＰ  ｍａｔｒｉｘ使用後、１番の方式を適用
単一長さでない、２、４、６、または８長さのＰ行列を組み合わせて使用し、１−Ａ）番の方式を適用してＨＥ−ＬＴＦシーケンスを生成できる。そして、選択的に１−Ｂ）番の方式を適用でき、１−Ｃ）番の方式を利用してＣＦＯ測定及びチャネル推定を行うことができる。
【０３９８】
この場合、ＨＥ−ＬＴＦに適用される（すなわち、ＨＥ−ＬＴＦシーケンスにかけられる）Ｐ行列の最小長さより、ＵＬ  ＭＵ送信に参加するユーザ数が少なくなければならない。逆にいえば、ＵＬ  ＭＵ送信に参加するユーザ数以上の長さを有するＰ行列だけを適用できる。
【０３９９】
例えば、２名のユーザがＵＬ  ＭＵ送信を行う状況で２６トーンを用いる場合（すなわち、２６トーンで２名のユーザがＵＬ  ＭＵ  ＭＩＭＯ送信したり、または各々２６トーンでＵＬ  ＯＦＤＭＡ送信する場合）、長さが８であるＰ行列を１回、長さが６であるＰ行列を１回、長さが４であるＰ行列を２回、長さが２であるＰ行列を２回使用することができる。
【０４００】
その他にも、使用可能なトーン数によって様々な組み合わせが可能である。また、それぞれのＰ行列がＨＥ−ＬＴＦにかけられる位置はどこでも関係ない。すなわち、組み合わせられた様々な長さのＰ行列がいかなる順序でＨＥ−ＬＴＦシーケンスにかけられるかとは関係ない。
【０４０１】
そして、各ユーザは、上記のように生成されたＨＥ−ＬＴＦシーケンスをＨＥ−ＬＴＦシンボルのサブキャリアにマッピングする。そして、ＵＬ  ＭＵ送信ストリーム数によって決定されたＨＥ−ＬＴＦシンボルの個数でＨＥ−ＬＴＦシーケンスを送信する。
【０４０２】
ここで、選択的に前述した１−Ｂ）方式のように、時間領域での直交性（ｏｒｔｈｏｇｏｎａｌｉｔｙ）を維持するために、追加的に各ストリーム別にＰ行列の互いに異なる行（ｒｏｗ）が各ＨＥ−ＬＴＦシンボルのデータトーンにかけられる。
【０４０３】
受信端では、ＨＥ−ＬＴＦシーケンスにかけられたＰ行列の長さによって前述した１−Ｃ）番の方式を適用してＣＦＯ測定及びチャネル推定を行うことができる。
【０４０４】
また、本方式が適用され得るトーン数には制限がない。例えば、ＵＬ  ＭＵ送信に使用されるトーン数が５２、１０６、１０７、１０８、２４２、４８４、９９４、または９９６トーンである場合にも、全て同様に適用されることができる。
【０４０５】
また、２−Ｃ）方式は、前述した２−Ａ）方式と組み合わせられて利用されることができる。すなわち、単一長さでない、２、４、６、または８長さのＰ行列を組み合わせて適用するとき、残りのトーンが存在する場合、２−Ａ）方式のように、残りのトーンにはＰ行列が適用されずに送信されることができる。
【０４０６】
２−Ｄ）Ｐ行列の循環直交性（ｃｙｃｌｉｃ  ｏｒｔｈｏｇｏｎａｌｉｔｙ）利用
また、本発明の一実施形態としてＰ行列の循環直交性（ｃｙｃｌｉｃ  ｏｒｔｈｏｇｏｎａｌｉｔｙ）を利用してＰ行列の適用が除外されるトーン無しで全てのトーンを完全に活用（ｆｕｌｌｙ  ｅｘｐｌｏｉｔ）することで、より正確にチャネル推定（ｃｈａｎｎｅｌ  ｅｓｔｉｍａｔｉｏｎ）及びＣＦＯ測定（ｍｅａｓｕｒｅ）を行う方式を提案する。
【０４０７】
図２１は、本発明の一実施形態に係るＨＥ−ＬＴＦ生成方法を例示する図である。
【０４０８】
図２１では、Ｎ＿ｆが４であり、ＵＬ  ＭＵ送信に参加するユーザが２名であり、使用可能なトーン（または、サブキャリア）が２６である場合を仮定する。
【０４０９】
図２１に示すように、前述した図１６のように、各ストリーム別にＨＥ−ＬＴＦシーケンスにＮ＿ｆ個（例えば、４等）のサブ−シーケンス（ｓｕｂ−ｓｅｑｕｅｎｃｅ）単位にＰ行列の互いに異なる行（ｒｏｗ）の行列要素（ｍａｔｒｉｘ  ｅｌｅｍｅｎｔ）をかける。
【０４１０】
そして、最後に残ったトーンがＰ行列の長さ（すなわち、Ｐ行列の行（ｃｏｌｕｍｎ）サイズ）（図２１の場合、「４」）より小さい場合、最後に残った２個のトーンに対しては、循環的にＰ行列値を割り当てる。すなわち、図２１において、最後に残ったＨＥ−ＬＴＦシーケンス要素２１０１（すなわち、Ｌ＿２５、Ｌ＿２６）には、Ｐ行列の行（ｒｏｗ）の前から順に行列要素（ｍａｔｒｉｘ  ｅｌｅｍｅｎｔ）（すなわち、Ｌ＿２１、Ｌ＿２２にかけられたＰ行列の値）をかける。
【０４１１】
そして、各ユーザは、上記のように生成されたＨＥ−ＬＴＦシーケンスをＨＥ−ＬＴＦシンボルのサブキャリアにマッピングする。そして、ＵＬ  ＭＵ送信ストリーム数によって決定された個数のＨＥ−ＬＴＦシンボルで（図２１の場合、４個のシンボル）ＨＥ−ＬＴＦシーケンスを送信する。
【０４１２】
ここで、選択的に前述した１−Ｂ）方式のように、時間領域での直交性（ｏｒｔｈｏｇｏｎａｌｉｔｙ）を維持するために、追加的に各ストリーム別にＰ行列の互いに異なる行（ｒｏｗ）が各ＨＥ−ＬＴＦシンボルのデータトーンにかけられることができる。
【０４１３】
受信端では、Ｐ行列が適用されたトーンブロック（ｔｏｎｅ  ｂｌｏｃｋ）単位に前述した１−Ｃ）番の方式を同様に適用してＣＦＯ測定及びチャネル推定を行うことができる。すなわち、（Ｌ＿１、Ｌ＿２、Ｌ＿３、Ｌ＿４）、（Ｌ＿５、Ｌ＿６、Ｌ＿７、Ｌ＿８）、．．．、（Ｌ＿２１、Ｌ＿２２、Ｌ＿２３、Ｌ＿２４）、及び（Ｌ＿２３、Ｌ＿２４、Ｌ＿２５、Ｌ＿２６）のようなトーンブロック（ｔｏｎｅ  ｂｌｏｃｋ）別にチャネル及びＣＦＯ推定値を計算できる。
【０４１４】
上記のように、Ｐ行列を循環（ｃｙｃｌｉｃ）して適用することにより、ユーザ１とユーザ２の２３番目のトーン（すなわち、Ｌ＿２３）から２６番目のトーン（すなわち、Ｌ＿２６）にも各ユーザ別に直交性（ｏｒｔｈｏｇｏｎａｌｉｔｙ）が維持されるので、１−Ｃ）番の方式の数式を適用してチャネルとＣＦＯの測定が可能である。
【０４１５】
このとき、Ｐ行列を循環（ｃｙｃｌｉｃ）して適用する残ったトーンの位置は、使用可能なトーンでどの位置に位置しても関係ない。
【０４１６】
図２１の例示のように、一番最後のトーン位置にＰ行列を循環（ｃｙｃｌｉｃ）して適用することができるが、一番最初の部分にＰ行列を循環（ｃｙｃｌｉｃ）して適用することもできる。すなわち、一番最初のＨＥ−ＬＴＦシーケンス要素には、Ｐ行列の行（ｒｏｗ）の後から順に行列要素（ｍａｔｒｉｘ  ｅｌｅｍｅｎｔ）をかけることができる。例えば、Ｌ＿３、Ｌ＿４、Ｌ＿５、Ｌ＿６にＰ行列の行（ｒｏｗ）をかける場合、Ｌ＿１、Ｌ＿２には、Ｌ＿５、Ｌ＿６にかけられたＰ行列の値をかけると、１番目のトーン（すなわち、Ｌ＿１）から４番目のトーン（すなわち、Ｌ＿４）にもユーザ別に直交性（ｏｒｔｈｏｇｏｎａｌｉｔｙ）が維持される。
【０４１７】
また、前と後に同時に残ったトーンが存在するようにＰ行列をかけてＨＥ−ＬＴＦシーケンスを構成することもできる。例えば、（Ｌ＿２、Ｌ＿３、Ｌ＿４、Ｌ＿５）から（Ｌ＿２２、Ｌ＿２３、Ｌ＿２４、Ｌ＿２５）にＰ＿４×４行列の行（ｒｏｗ）をかけることができる。すなわち、最後に残ったＨＥ−ＬＴＦシーケンス要素には、Ｐ行列の行（ｒｏｗ）の前から順に行列要素（ｍａｔｒｉｘｅｌｅｍｅｎｔ）をかけ、一番最初のＨＥ−ＬＴＦシーケンス要素には、Ｐ行列の行（ｒｏｗ）の後から順に行列要素（ｍａｔｒｉｘ  ｅｌｅｍｅｎｔ）をかけることができる。すなわち、上記の例において残ったＬ＿２６には、Ｌ＿２２にかけられたＰ行列の値をかけ、残ったＬ＿１には、Ｌ＿５にかけられたＰ行列の値をかけることができる。この場合にも、Ｐ行列の循環的直交性（ｃｙｃｌｉｃ  ｏｒｔｈｏｇｏｎａｌｉｔｙ）を利用してユーザ別に直交性（ｏｒｔｈｏｇｏｎａｌｉｔｙ）を維持できる。
【０４１８】
本方式が適用され得るトーン数には制限がない。例えば、ＵＬ  ＭＵ送信に使用されるトーン数が５２、１０６、１０７、１０８、２４２、４８４、９９４、または９９６トーンなどにも全て同様に適用されることができる。
【０４１９】
また、上記の２−Ｄ）方式は、前述した２−Ｃ）方式と組み合わせて利用されることができる。例えば、前述した２−Ｃ）方式のように、様々な長さのＰ行列を組み合わせて使用する場合にも、２−Ｄ）方式を利用して、残ったトーンにＰ行列を循環（ｃｙｃｌｉｃ）して適用することができる。
【０４２０】
また、ＣＦＯ及びチャネル推定のための計算の際、図２１のように、サブキャリアをＰ行列が適用されたトーンブロック（ｔｏｎｅ  ｂｌｏｃｋ）別（すなわち、Ｌ＿１〜Ｌ＿４、Ｌ＿５〜Ｌ＿８、Ｌ＿９〜Ｌ＿１２、．．．）に分けて計算しないこともある。これについて、下記の図面を参照して説明する。
【０４２１】
図２２は、本発明の一実施形態に係るＣＦＯ及びチャネル推定方法を例示する図である。
【０４２２】
図２２では、Ｎ＿ｆが４であり、ＵＬ  ＭＵ送信に参加するユーザが２名であり、使用可能なトーン（または、サブキャリア）が２６である場合を仮定する。
【０４２３】
図２２に示すように、Ｐ行列の循環的直交性（ｃｙｃｌｉｃ  ｏｒｔｈｏｇｏｎａｌｉｔｙ）を利用してＬ＿１〜Ｌ＿４、Ｌ＿２〜Ｌ＿５、Ｌ＿３〜Ｌ＿６、．．．のようなトーンブロック（ｔｏｎｅ  ｂｌｏｃｋ）別に分けてＣＦＯ及びチャネルを計算できる。このようなトーンブロックを用いることになると、ＣＦＯ及びチャネル推定のためのサンプルの個数が増えるので、ＣＦＯ及びチャネル推定の正確性を高めることができるという長所がある。
【０４２４】
また、図２２では、１個のトーン間隔でそれぞれのトーンブロック（ｔｏｎｅ  ｂｌｏｃｋ）を区分したが、本発明がこれに限定されるものではない。すなわち、上記とは異なり、２個若しくは３個などのトーン間隔を有してトーンブロック（ｔｏｎｅ  ｂｌｏｃｋ）を設定することもできる。
【０４２５】
このような方式は、同じ長さのＰ行列が連続的に適用される場合に使用されることができ、本方式が適用され得るトーン数には制限がない。例えば、ＵＬ  ＭＵ送信に使用されるトーン数が５２、１０６、１０７、１０８、２４２、４８４、９９４、または９９６トーンなどにも同様な方式で適用されることができる。
【０４２６】
さらに、図２２の例示においてチャネル推定の際、下記の数式１４のように、各トーンブロック別に導き出されたチャネル係数（ｃｈａｎｎｅｌ  ｃｏｅｆｆｉｃｉｅｎｔ）に加重値（ｗｅｉｇｈｔ）が付加された線形演算（ｌｉｎｅａｒ  ｏｐｅｒａｔｉｏｎ）を介して最終的なトーン別のチャネル係数（ｃｈａｎｎｅｌ  ｃｏｅｆｆｉｃｉｅｎｔ）を求めることができる。
【０４２７】
〔数式１４〕
【数１５】
0006753858.tif 000024
【０４２８】
数式１４においてｈは、求めようとするチャネル状態（すなわち、チャネル推定値）を表す。ｉは、トーンブロック（ｔｏｎｅ  ｂｌｏｃｋ）インデックスを表す。ｗ＿ｉとｈ＿ｉは、ｉ番目のトーンブロック（ｔｏｎｅ  ｂｌｏｃｋ）の加重値（ｗｅｉｇｈ）とチャネル状態（すなわち、チャネル推定値）を表す。
【０４２９】
ここで、加重値は、隣接したトーンであるほど、相関（ｃｏｒｒｅｌａｔｉｏｎ）が大きいので、より大きい値に設定することができる。
【０４３０】
また、前述した循環直交性（ｃｙｃｌｉｃ  ｏｒｔｈｏｇｏｎａｌｉｔｙ）を利用してＨＥ−ＬＴＦシーケンスを生成する場合、長さが８であるＰ行列（すなわち、Ｐ＿８×８）を使用すれば、種々の観点で様々な利得を得ることができるので、Ｐ＿８×８だけを適用する方式をさらに提案する。
【０４３１】
Ｐ＿８×８を使用すれば、まず、８名のユーザまでカバーすることができる。また、Ｐ＿８×８は、直交したＰ＿４×４サブ−行列（ｓｕｂ−ｍａｔｒｉｘ）で構成されるので（すなわち、Ｐ＿４×４のアダマール（Ｈａｄａｍａｒｄ）であるので）、４名以下のユーザであるときは、Ｎ＿ｆが４である場合で動作が可能である。また、Ｐ＿８×８は、直交した２×２サブ−行列（ｓｕｂ−ｍａｔｒｉｘ）で構成されるので、２名以下のユーザであるときは、Ｎ＿ｆが２である場合で動作が可能である。
【０４３２】
ただし、ユーザが４名以下である場合は、直交性（ｏｒｔｈｏｇｏｎａｌｉｔｙ）のために、Ｐ行列の４個の行（ｒｏｗ）（例えば、１番目の行（ｒｏｗ）から４番目の行（ｒｏｗ）、または５番目の行（ｒｏｗ）から８番目の行（ｒｏｗ）等）のみが適用されなければならない。
【０４３３】
また、同様に、ユーザが２名以下である場合は、直交性（ｏｒｔｈｏｇｏｎａｌｉｔｙ）のために、Ｐ行列の２個の行（ｒｏｗ）（例えば、１番目の行（ｒｏｗ）及び２番目の行（ｒｏｗ）（または、３番目の行（ｒｏｗ）及び４番目の行（ｒｏｗ）、５番目の行（ｒｏｗ）及び６番目の行（ｒｏｗ）、７番目の行（ｒｏｗ）及び８番目の行（ｒｏｗ）等）のみが適用されなければならない。
【０４３４】
すなわち、全ての状況で（全ての帯域幅、全てのＯＦＤＭＡの資源ユニットで）長さが８であるＰ行列を固定して適用し、ＵＬ  ＭＵ送信に参加するユーザが５名から８名までである場合には、Ｎ＿ｆが８であるモードで動作し、ＵＬ  ＭＵ送信に参加するユーザが４名以下である場合には、Ｎ＿ｆが４であるモードで、ＵＬ  ＭＵ送信に参加するユーザが３名以下である場合には、Ｎ＿ｆが３であるモードで動作する方法を提案する。
【０４３５】
３．Ｎ＿ｆは最大限減らし、支援可能なユーザ（ｓｕｐｐｏｒｔａｂｌｅ  ｕｓｅｒ）数はそのまま維持する方式
前述した１−Ｃ）方式では、隣接したＮ＿ｆ個トーンのチャネル状態が同様であるとき、数式的にＣＦＯ測定が可能である。したがって、周波数領域（ｆｒｅｑｕｅｎｃｙ  ｄｏｍａｉｎ）で隣接したＮ＿ｆ個トーンのチャネル相関（ｃｈａｎｎｅｌ  ｃｏｒｒｅｌａｔｉｏｎ）が大きくないときは、１−Ｃ）方式は大きい効果を奏することができない場合がある。
【０４３６】
ただし、Ｎ＿ｆ値の分だけのＵＬ  ＭＵ送信のユーザを支援できる方式であるから、Ｎ＿ｆ値を限りなく減らすこともできない。本発明では、Ｎ＿ｆを減らしてチャネル推定の正確度を高めるだけでなく、ＵＬ  ＭＵ送信に支援可能なユーザ数はそのまま維持できる新しい方式をさらに提案する。
【０４３７】
ユーザを種々のグループに分けて、各グループ別にユーザグループ特定したＬＴＦトーン（Ｕｓｅｒ  ｇｒｏｕｐ  ｓｐｅｃｉｆｉｃ  ＬＴＦ  ｔｏｎｅ）を割り当て、同じグループ内に属したユーザ間には、前述した２番の方式を適用してＨＥ−ＬＴＦシーケンスを生成し、ＣＦＯ測定及びチャネル推定を行う。
【０４３８】
ここで、各グループの数は、ＵＬ  ＭＵ送信のために支援される総ユーザ数まで可能である。すなわち、各グループ当たり、１名のユーザが属しても関係ない。
【０４３９】
また、グループ内のユーザの数（または、ストリーム数）は、Ｎ＿ｆ値の設定によって変わることができ、グループ内のユーザの数（または、ストリーム数）は、最大Ｎ＿ｆまで支援可能である。
【０４４０】
また、本方式では、全体ＨＥ−ＬＴＦシンボルのうち、、Ｎ＿ｆ個のＨＥ−ＬＴＦシンボル以後（または、グループ内のユーザの数）には、各グループ別に割り当てられるトーンの位置を変更することにより、各ユーザがＨＥ−ＬＴＦシンボル内で全てのトーンをカバーできる構造を提案する。ここで、全体ＨＥ−ＬＴＦシンボルは、全体グループに属したユーザの数（または、全体グループに割り当てられたストリームの数）によって決定されることができる。
【０４４１】
このように、各ユーザが全てのトーンをカバーしなければならない理由は、チャネル推定のためであり、全体ＨＥ−ＬＴＦシンボルのうち、グループに属したユーザ数によるＨＥ−ＬＴＦシンボル単位にグループ別に割り当てられるトーンの位置を変える理由は、ＣＦＯ測定のためのである。
【０４４２】
図２３は、本発明の一実施形態に係るＨＥ−ＬＴＦシーケンスを生成する方法を例示する図である。
【０４４３】
図２３では、ユーザグループの数は２であり、それぞれのグループに属したユーザの数は２であり、Ｎ＿ｆが２であり、使用可能なトーン（または、サブキャリア）が２６である場合を仮定する。
【０４４４】
例えば、図２３のように、総４名のユーザ（ユーザ１ないし４）を支援する場合、Ｎ＿ｆを２に設定すればグループ当たり、最大２名のユーザまで支援可能である。一例として、図２３のように、２個のグループに分けるとき、ユーザ１とユーザ２をグループ１にセッティングし、ユーザ３とユーザ４は、グループ２にセッティングすることができる。
【０４４５】
４名のユーザが１個のストリームずつ送信する場合であれば、総４個のＨＥ−ＬＴＦシンボルが存在する。
【０４４６】
そして、使用可能なトーンが２６個である場合、１番目と２番目のＨＥ−ＬＴＦシンボルで前の１３番目のトーン２３０１までは、グループ１（ユーザ１及び２）に、残りのトーン２３０２は、グループ２（ユーザ３及び４）に割り当てることができる。
【０４４７】
ただし、本発明がこれに限定されるものではなく、各グループ別に他のトーンを割り当てることもできる。例えば、グループ１には、Ｌ＿１ないしＬ＿６及びＬ＿１４ないしＬ＿２０のように１３個のトーンを割り当て、グループ２には、Ｌ＿７ないしＬ＿１３及びＬ＿２１ないしＬ＿２６のように１３個のトーンを割り当てることができる。
【０４４８】
ここで、各ユーザは、自分の属したグループに割り当てられないトーンには、ＬＴＦ値を０に設定し、自分の属したグループに割り当てられたトーンには、０に設定されたトーンに使用されるパワーまで使用して送信することができる。
【０４４９】
そして、３番目と４番目のＨＥ−ＬＴＦシンボルには、上記とは逆に割り当てる。すなわち、前の１３番目のトーン２３０４までは、グループ２（ユーザ３及び４）に、残りのトーン２３０３は、グループ１（ユーザ１及び２）に割り当てることができる。
【０４５０】
すると、各ユーザは、全てのトーンをカバーでき、上記の２つの方式を適用して全てのトーンのチャネル推定が可能である。また、Ｎ＿ｆを１番の方式や２番の方式に比べて小さく設定できるので、チャネル推定（ｃｈａｎｎｅｌ  ｅｓｔｉｍａｔｉｏｎ）の性能向上も図ることができる。
【０４５１】
そして、上記の例においてＣＦＯ測定は、１番目と２番目のＨＥ−ＬＴＦ  ｓｙｍｂｏｌ間、そして３番目と４番目のＨＥ−ＬＴＦ  ｓｙｍｂｏｌ間の位相（ｐｈａｓｅ）差を介して取得できる。
【０４５２】
この方式は、チャネル推定の性能を高めることができるという長所はあるが、ＣＦＯ計算の際に使用されるサンプルの個数がグループの個数の逆数倍の分だけ減るという短所がある。しかし、サンプルの各々には前述した１番の方式や２番の方式に比べてトーン当たり、より大きいパワーを使用して送信するので、ＣＦＯ測定の信頼性のある（ｒｅｌｉａｂｌｅ）性能を保障できる。
【０４５３】
この方式が適用され得るトーン数には制限がない。例えば、ＵＬ  ＭＵ送信に使用されるトーン数が５２、１０６、１０７、１０８、２４２、４８４、９９４、または９９６トーンなどにも同じ方式で適用されることができる。
【０４５４】
図２４は、本発明の一実施形態に係る上向きリンク多重ユーザ送信のための方法を例示する図である。
【０４５５】
図２４に示すように、無線装置（ＡＰまたはｎｏｎ−ＡＰ  ＳＴＡ）は、ＵＬ  ＭＵ送信帯域幅による周波数領域（ｆｒｅｑｕｅｎｃｙ  ｄｏｍａｉｎ）で予め定義されたシーケンスにサブ−シーケンス単位（すなわち、Ｐ行列の１つの行（ｒｏｗ）の長さ）にＰ行列を適用して（すなわち、かけて）ＨＥ−ＬＴＦシーケンスを生成する（Ｓ２４０１）。
【０４５６】
ここで、無線装置は、前述した１−Ａ）、２−Ａ）、２−Ｂ）、２−Ｃ）、２−Ｄ）及び／又は３番の方式のうち、１つ以上の方式を利用してＨＥ−ＬＴＦシーケンスを生成できる。特に、２−Ｄ）方式が利用される場合、予め定義されたシーケンスをＰ行列の１つの行の長さに分けた残りのシーケンスが存在する場合、残りのシーケンスにＰ行列の１つの行の行列要素が循環シフト（ｃｙｃｌｉｃ  ｓｈｉｆｔ）されてかけられることができる。すなわち、Ｐ行列の循環的直交性（ｃｙｃｌｉｃ  ｏｒｔｈｏｇｏｎａｌｉｔｙ）を利用してＨＥ−ＬＴＦシーケンスを生成できる。
【０４５７】
無線装置は、生成されたＨＥ−ＬＴＦシーケンスがマッピングされる１つ以上のＨＥ−ＬＴＦシンボルにＰ行列の１つの行（ｒｏｗ）を適用する（Ｓ２４０２）。すなわち、無線装置は、生成されたＨＥ−ＬＴＦシーケンスがマッピングされる各ＨＥ−ＬＴＦシンボルのデータトーンにＰ行列を適用する。
【０４５８】
ここで、無線装置は、前述した１−Ｂ）方式を利用して各ＨＥ−ＬＴＦシンボルにＰ行列の１つの行（ｒｏｗ）を適用できる。
【０４５９】
無線装置は、１つ以上のＨＥ−ＬＴＦシンボルを含むＰＰＤＵを送信する（Ｓ２４０３）。
【０４６０】
ここで、ＰＰＤＵは、前述した図１２〜図１５において例示したフォーマットで構成されることができる。
【０４６１】
本発明が適用され得る装置一般
図２５は、本発明の一実施形態に係る無線装置を例示するブロック図である。
【０４６２】
図２５に示すように、本発明に係る装置２５１０は、プロセッサ（ｐｒｏｃｅｓｓｏｒ、２５１１）、メモリ（ｍｅｍｏｒｙ、２５１２）、ＲＦユニット（ｒａｄｉｏ  ｆｒｅｑｕｅｎｃｙ  ｕｎｉｔ、２５１３）を備えることができる。装置２５１０は、本発明に係る実施形態を実現するためのＡＰまたはｎｏｎ−ＡＰ  ＳＴＡでありうる。
【０４６３】
ＲＦユニット２５１３は、プロセッサ２５１１と連結されて無線信号を送受信することができる。例えば、ＩＥＥＥ  ８０２．１１システムによる物理階層を実現できる。
【０４６４】
プロセッサ２５１１は、ＲＦユニット２５１３と連結されてＩＥＥＥ  ８０２．１１システムによる物理階層及び／又はＭＡＣ階層を実現できる。プロセッサ２５１１は、前述した図１〜図２４による本発明の様々な実施形態に係る動作を行うように構成されることができる。また、前述した図１〜図２４による本発明の様々な実施形態に係るＡＰ及び／又はＳＴＡの動作を実現するモジュールがメモリ２５１２に格納され、プロセッサ２５１１によって実行されることができる。
【０４６５】
メモリ２５１２は、プロセッサ２５１１と連結されて、プロセッサ２５１１を駆動するための様々な情報を格納する。メモリ２５１２は、プロセッサ２５１１の内部に含まれるか、またはプロセッサ２５１１の外部に設けられてプロセッサ２５１１と公知の手段によって連結されることができる。
【０４６６】
また、装置２５１０は、１個のアンテナ（ｓｉｎｇｌｅ  ａｎｔｅｎｎａ）または多重アンテナ（ｍｕｌｔｉｐｌｅ  ａｎｔｅｎｎａ）を有することができる。
【０４６７】
上記のような、装置２５１０の具体的な構成は、前述した本発明の様々な実施形態において説明した事項が独立的に適用されるか、または２つ以上の実施形態が同時に適用されるように実現されることができる。
【０４６８】
図２６は、本発明の一実施形態に係る図２５のプロセッサをより具体的に例示する図である。
【０４６９】
図２６では、前述した図２５の装置２５１０が受信端として動作する場合、制御部をより具体的に例示する図である。
【０４７０】
制御部は、ＬＴＦシーケンスアンスクランブルユニット（ＬＴＦ  ｓｅｑｕｅｎｃｅ  ｕｎｓｃｒａｍｂｌｉｎｇ）２６０１、ＣＦＯ推定ユニット（ＣＦＯ  ｅｓｔｉｍａｔｏｒ）２６０２、Ｐ行列デスプレッディング（ｄｅｓｐｒｅａｄｉｎｇ）を用いたレガシチャネル推定ユニット２６０３を備えて構成されることができる。
【０４７１】
ＬＴＦシーケンスアンスクランブルユニット（ＬＴＦ  ｓｅｑｕｅｎｃｅ  ｕｎｓｃｒａｍｂｌｉｎｇ）２６０１は、１つ以上の無線装置から受信した信号からＨＥ−ＬＴＦシーケンスをアンスクランブル（ｕｎｓｃｒａｍｂｌｅ）する。
【０４７２】
すなわち、前述した１−Ｃ）方式のように、ＬＴＦシーケンスアンスクランブルユニット（ＬＴＦ  ｓｅｑｕｅｎｃｅ  ｕｎｓｃｒａｍｂｌｉｎｇ）２６０１は、数式８により受信した信号からＨＥ−ＬＴＦシーケンス及びＨＥ−ＬＴＦシーケンスに適用されたＰ行列コード（すなわち、Ｐ行列の１つの行）を除去（すなわち、アンスクランブル（ｕｎｓｃｒａｍｂｌｅ））することができる。
【０４７３】
ＣＦＯ推定ユニット（ＣＦＯ  ｅｓｔｉｍａｔｏｒ）２６０２は、必要な場合、ＣＦＯを推定する。
【０４７４】
ＣＦＯ推定ユニット（ＣＦＯ  ｅｓｔｉｍａｔｏｒ）２６０２は、受信した信号が送信されたシンボル間の位相差に基づいて推定されることができ、特に、Ｐ行列コード（すなわち、Ｐ行列の１つの行）長さのサブキャリア別にチャネルが同一であると仮定することによって推定されることができる。
【０４７５】
すなわち、前述した１−Ｃ）方式のように、ＣＦＯ推定ユニット（ＣＦＯ  ｅｓｔｉｍａｔｏｒ）２６０２は、Ｎ＿ｆサブキャリアにわたって、チャネルが高い相関性を有すると仮定し、数式９によって各ストリーム別に信号を抽出できる。そして、数式１０によって各ＨＥ−ＬＴＦシンボル別に位相回転（ｐｈａｓｅ  ｒｏｔａｔｉｏｎ）を導き出し、数式１１により導き出されたＨＥ−ＬＴＦシンボル間の位相差（ｐｈａｓｅ  ｄｉｆｆｅｒｅｎｃｅ）に基づいて数式１２によりＣＦＯ推定値を導き出すことができる。
【０４７６】
Ｐ行列デスプレッディング（ｄｅｓｐｒｅａｄｉｎｇ）を用いたレガシチャネル推定ユニット２６０３は、Ｐ行列デスプレッディング（ｄｅｓｐｒｅａｄｉｎｇ）を用いてチャネル推定を行う。
【０４７７】
すなわち、前述した１−Ｃ）方式のように、Ｐ行列デスプレッディング（ｄｅｓｐｒｅａｄｉｎｇ）を用いたレガシチャネル推定ユニット２６０３は、前述した数式１２により導き出されたＣＦＯ推定値を数式９に適用して、各ストリームに対して各ＨＥ−ＬＴＦシンボル別にチャネル推定値を導き出すことができる。
【０４７８】
以上で説明された実施形態は、本発明の構成要素等と特徴が所定形態で結合されたものである。各構成要素または特徴は、別の明示的言及がない限り、選択的なものと考慮されなければならない。各構成要素または特徴は、他の構成要素や特徴と結合されていない形態で実施され得る。また、一部構成要素及び／又は特徴を結合して本発明の実施形態を構成することも可能である。本発明の実施形態において説明される動作の順序は変更されることができる。ある実施形態の一部構成や特徴は、他の実施形態に含まれることができ、または、他の実施形態の対応する構成または特徴と交替されることができる。特許請求の範囲で明示的な引用関係がない請求項を結合して実施形態を構成したり、出願後の補正によって新しい請求項に含ませ得ることは自明である。
【０４７９】
本発明に係る実施形態は、様々な手段、例えば、ハードウェア、ファームウェア（ｆｉｒｍｗａｒｅ）、ソフトウェア、またはそれらの結合などにより実現されることができる。ハードウェアによる実現の場合、本発明の一実施形態は、１つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより実現されることができる。
【０４８０】
ファームウェアやソフトウェアによる実現の場合、本発明の一実施形態は、以上で説明された機能または動作を行うモジュール、手順、関数などの形態で実現されることができる。ソフトウェアコードは、メモリに格納されて、プロセッサにより駆動されることができる。前記メモリは、前記プロセッサの内部または外部に位置して、既に公知となった様々な手段によって前記プロセッサとデータをやり取りすることができる。
【０４８１】
本発明は、本発明の必須特徴を逸脱しない範囲で他の特定の形態で具体化され得ることは当業者に自明である。したがって、上述した詳細な説明は、全ての面において制限的に解釈されてはならず、例示的なものと考慮されなければならない。本発明の範囲は、添付された請求項の合理的解釈により決定されなければならず、本発明の等価的範囲内での全ての変更は、本発明の範囲に含まれる。
【産業上の利用可能性】
【０４８２】
本発明の無線通信システムで上向きリンク多重ユーザ送受信方案は、ＩＥＥＥ  ８０２．１１システムに適用される例を中心として説明したが、ＩＥＥＥ  ８０２．１１システムの他にも、様々な無線通信システムに適用することが可能である。
【図１】
0006753858.tif 000027
【図２】
0006753858.tif 000028
【図３】
0006753858.tif 000029
【図４】
0006753858.tif 000030
【図５（ａ）】
0006753858.tif 000031
【図５（ｂ）】
0006753858.tif 000032
【図５（ｃ）】
0006753858.tif 000033
【図６】
0006753858.tif 000034
【図７】
0006753858.tif 000035
【図８】
0006753858.tif 000036
【図９（ａ）】
0006753858.tif 000037
【図９（ｂ）】
0006753858.tif 000038
【図１０】
0006753858.tif 000039
【図１１】
0006753858.tif 000040
【図１２】
0006753858.tif 000041
【図１３】
0006753858.tif 000042
【図１４】
0006753858.tif 000043
【図１５】
0006753858.tif 000044
【図１６】
0006753858.tif 000045
【図１７】
0006753858.tif 000046
【図１８】
0006753858.tif 000047
【図１９】
0006753858.tif 000048
【図２０】
0006753858.tif 000049
【図２１】
0006753858.tif 000050
【図２２】
0006753858.tif 000051
【図２３】
0006753858.tif 000052
【図２４】
0006753858.tif 000053
【図２５】
0006753858.tif 000054
【図２６】
0006753858.tif 000055